(57)【要約】  Ａｂｒｅｕ脳熱トンネル（ＡＢＴＴ）から温度信号を取得し、温度信号を解析し、かつ解析から人体の病態を決定するように構成されたシステム、及びこれを行う方法を説明する。これに加えて、病態の処置のためのＡＢＴＴへの熱信号の印加のためのシステムを説明する。【選択図】      図１
2018511411.tif 000002
【特許請求の範囲】
【請求項１】
脳の温度を変更するための装置であって、
１対の温度センサであって、該対の温度センサのうちの各１つが、眉と眼の間に位置付けられた左及び右Ａｂｒｅｕ脳熱トンネル（ＡＢＴＴ）終端のそれぞれ１つの温度を測定するように位置決めされてそのように構成され、該対の温度センサのうちの各１つが、該それぞれのＡＢＴＴ終端の該温度を表す温度信号を送信するように構成される前記１対の温度センサと、
前記温度信号を受信し、該温度信号を解析し、かつ該温度信号から病態を決定するように構成されたプロセッサと、
前記人体の予め決められた温度が前記温度センサのうちの少なくとも一方によって測定されるまで前記病態の前記決定に応答して少なくとも一方の（ＡＢＴＴ）終端に熱を印加するか又はそこから熱を除去するように位置決めされてそのように構成され、予め決められた期間にわたって該予め決められた温度を取得するように熱の印加又は熱の除去を制御するように構成された温度変更デバイスと、
を含むことを特徴とする装置。
【請求項２】
前記病態は、前記左及び前記右ＡＢＴＴ終端の間の温度勾配から決定されることを特徴とする請求項１に記載の装置。
【請求項３】
前記予め決められた温度は、少なくともセ氏３７．５度であることを特徴とする請求項１に記載の装置。
【請求項４】
前記予め決められた期間は、少なくとも１０分であることを特徴とする請求項３に記載の装置。
【請求項５】
前記予め決められた温度は、ベースライン温度から決定されることを特徴とする請求項１に記載の装置。
【請求項６】
前記予め決められた温度は、セ氏３７，２度であり、前記予め決められた期間は、１０秒よりも長いか又はそれに等しいことを特徴とする請求項１に記載の装置。
【請求項７】
前記予め決められた温度は、セ氏３６．２度よりも低いか又はそれに等しく、前記予め決められた期間は、少なくとも２分であることを特徴とする請求項１に記載の装置。
【請求項８】
前記予め決められた温度は、セ氏３６．０度よりも低いか又はそれに等しく、前記予め決められた期間は、少なくとも２分であることを特徴とする請求項１に記載の装置。
【請求項９】
前記温度センサの各々が、前記ＡＢＴＴ終端と相互作用するようなサイズ及び寸法にされることを特徴とする請求項１に記載の装置。
【請求項１０】
Ａｂｒｅｕ脳熱トンネル（ＡＢＴＴ）終端の温度を変更するためのシステムであって、
人体の温度を読み取り、かつ該温度を表す温度信号を送信するように位置決めされた温度センサと、
前記温度信号を受信し、該温度信号から前記ＡＢＴＴ終端の前記温度を上昇させるか、低下させるか、又は維持する必要性を要求するヒト病態を決定し、かつ該ＡＢＴＴ終端の該温度を上昇させるか、低下させるか、又は維持する該必要性に基づいて温度制御信号を送信するように構成されたプロセッサと、
前記温度制御信号を受信するように構成され、かつ前記人体の予め決められた温度が前記温度センサによって測定されるまで前記ＡＢＴＴ終端に熱を印加するか又はそこから熱を除去するように位置決めされた温度変更デバイスと、
を含むことを特徴とするシステム。
【請求項１１】
前記予め決められた温度に達した状態で、前記プロセッサは、該予め決められた温度を予め決められた期間にわたって維持する温度制御信号を前記温度変更デバイスに送信することを特徴とする請求項１０に記載のシステム。
【請求項１２】
被検者の左ＡＢＴＴ終端の第１の温度を測定するように位置決めされ、かつ第１の温度信号を送信するように構成された第１の温度センサと、
前記被検者の右ＡＢＴＴ終端の第２の温度を測定するように位置決めされ、かつ第２の温度信号を送信するように構成された第２の温度センサと、
前記第１の温度信号及び前記第２の温度信号を受信し、かつ該第１の温度信号及び該第２の温度信号に基づいて温度制御信号を送信するように構成されたプロセッサと、
前記左ＡＢＴＴ終端及び前記右ＡＢＴＴ終端のうちの一方から熱を除去するように位置決めされた温度変更デバイスであって、該温度変更デバイスが、前記温度制御信号を受信し、かつ該温度制御信号に応答して該温度変更デバイスが該左ＡＢＴＴ終端及び該右ＡＢＴＴ終端のうちの該一方から熱を除去して予め決められた期間にわたって該左ＡＢＴＴ終端及び該右ＡＢＴＴ終端のうちの該一方でセ氏３６．０度よりも低いか又はそれに等しい第１の温度に到達させ、該左ＡＢＴＴ終端及び該右ＡＢＴＴ終端のうちの他方から熱を除去して該予め決められた期間にわたって該左ＡＢＴＴ終端及び該右ＡＢＴＴ終端のうちの該一方から取得した該第１の温度よりもセ氏０．２度低い第２の温度を取得するように構成され、該第１の温度が、前記被検者の利き手の反対に位置付けられた該一方のＡＢＴＴ終端で取得される前記温度変更デバイスと、
を含むことを特徴とする装置。
【請求項１３】
前記予め決められた期間は、１分よりも長いか又はそれに等しいことを特徴とする請求項１２に記載の装置。
【請求項１４】
被検者の左ＡＢＴＴ終端の第１の温度を測定するように位置決めされ、かつ該第１の温度を表す第１の信号を送信するように構成された第１の温度センサと、
前記被検者の右ＡＢＴＴ終端の第２の温度を測定するように位置決めされ、かつ該第２の温度を表す第２の信号を送信するように構成された第２の温度センサと、
前記第１の信号及び前記第２の信号を受信し、前記右ＡＢＴＴ終端と比較して前記左ＡＢＴＴ終端でのセ氏０．１度よりも大きいか又はそれに等しい温度低下を識別し、かつセ氏０．１度よりも大きいか又はそれに等しい該温度低下がいずれかの時間間隔中に識別された時に警報信号を送信するように構成されたプロセッサと、
前記警報信号を受信し、かつ警報を与えるように構成された警報デバイスと、
を含むことを特徴とする装置。
【請求項１５】
前記警報は、潜在的な心臓関連病態に関するものであることを特徴とする請求項１４に記載の装置。
【請求項１６】
被検者の左ＡＢＴＴ終端の第１の温度を測定し、かつ該第１の温度を表す第１の信号を送信するように位置決めされた第１の温度センサと、
前記被検者の右ＡＢＴＴ終端の第２の温度を測定し、かつ該第２の温度を表す第２の信号を送信するように位置決めされた第２の温度センサと、
前記第１の信号及び前記第２の信号を受信し、該第１の信号及び該第２の信号から前記左ＡＢＴＴ終端及び前記右ＡＢＴＴ終端のうちの一方での該左ＡＢＴＴ終端及び該右ＡＢＴＴ終端のうちの他方と比較してセ氏０．２度よりも大きいか又はそれに等しい温度上昇を識別し、かつ該左ＡＢＴＴ終端及び該右ＡＢＴＴ終端のうちの該一方での該左ＡＢＴＴ終端及び該右ＡＢＴＴ終端のうちの該他方と比較して０．２度よりも大きいか又はそれに等しい該温度上昇が識別された時に警報信号を送信するように構成されたプロセッサと、
前記警報信号を受信し、かつ警報を与えるように構成された警報デバイスと、
を含むことを特徴とする装置。
【請求項１７】
前記温度上昇が１２０時間よりも短い期間中であるか又は１２０時間よりも長いか又はそれに等しい期間中であるか否かを決定することを特徴とする請求項１６に記載の装置。
【請求項１８】
前記温度上昇は、１２０時間よりも長いか又はそれに等しい前記期間中にセ氏０．５度よりも大きいか又はそれに等しく、前記警報は、潜在的な癌に関するものであることを特徴とする請求項１７に記載の装置。
【請求項１９】
温度上昇率が、セ氏０．００００５度毎日よりも低いか又はそれに等しく、前記警報は、潜在的な癌に関するものであることを特徴とする請求項１７に記載の装置。
【請求項２０】
前記温度上昇は、４８時間よりも長くかつ１２０時間よりも短いか又はそれに等しい期間中にセ氏０．６度よりも大きく、前記警報は、潜在的な動脈瘤に関するものであることを特徴とする請求項１８に記載の装置。
【請求項２１】
前記温度上昇は、セ氏０．２度よりも大きいか又はそれに等しくかつセ氏０．２５度よりも小さく、前記警報は、発作に関するものであることを特徴とする請求項１７に記載の装置。
【請求項２２】
前記左ＡＢＴＴ終端と前記右ＡＢＴＴ終端の間の温度逆転を更に含み、
前記警報は、重度の発作に関するものである、
ことを特徴とする請求項２１に記載の装置。
【請求項２３】
被検者の左ＡＢＴＴ終端の第１の温度を測定し、かつ該第１の温度を表す第１の信号を送信するように位置決めされた第１の温度センサと、
前記被検者の右ＡＢＴＴ終端の第２の温度を測定し、かつ該第２の温度を表す第２の信号を送信するように位置決めされた第２の温度センサと、
前記第１の信号及び前記第２の信号を受信し、該第１の信号及び該第２の信号から前記左ＡＢＴＴ終端と比較して前記右ＡＢＴＴ終端でのセ氏０．２度よりも大きいか又はそれに等しい温度低下を識別し、かつ該左ＡＢＴＴ終端及び該右ＡＢＴＴ終端の該一方での該左ＡＢＴＴ終端及び該右ＡＢＴＴ終端のうちの他方と比較して０．２度よりも大きいか又はそれに等しい温度上昇が識別された時に警報信号を送信するように構成されたプロセッサと、
前記警報信号を受信し、かつ警報を与えるように構成された警報デバイスと、
を含むことを特徴とする装置。
【請求項２４】
前記第１の信号及び前記第２の信号は、周囲温度に関して補償するために前記プロセッサによって調節され、
周囲温度に関して補償された後に前記左ＡＢＴＴ終端と比較して前記右ＡＢＴＴ終端でのセ氏０．２度よりも大きいか又はそれに等しい温度低下が識別された時に、前記プロセッサは、警報信号を送信する、
ことを特徴とする請求項２３に記載の装置。
【請求項２５】
セ氏０．２度の前記温度低下が、１２時間よりも短い経過時間中に発生し、かつ前記左ＡＢＴＴ終端と前記右ＡＢＴＴ終端の間の温度逆転が発生した時に、前記プロセッサは、左脳卒中を示す警報信号を送信することを特徴とする請求項２３に記載の装置。
【請求項２６】
前記右側の前記温度低下は、セ氏０．６度よりも大きいか又はそれに等しいことを特徴とする請求項２３に記載の装置。
【請求項２７】
被検者の左ＡＢＴＴ終端の第１の温度を測定するように位置決めされ、かつ該第１の温度を表す第１の信号を送信するように構成された第１の温度センサと、
前記被検者の右ＡＢＴＴ終端の第２の温度を測定するように位置決めされ、かつ該第２の温度を表す第２の信号を送信するように構成された第２の温度センサと、
前記第１の信号及び前記第２の信号を受信するように構成され、次に
前記左ＡＢＴＴ終端及び前記右ＡＢＴＴ終端でのセ氏０．２度よりも大きいか又はそれに等しい温度低下を周囲温度に関する該温度低下の補償の後に識別し、かつセ氏０．２度よりも大きいか又はそれに等しい該温度低下が、通常の睡眠時間の前に起こる時間に発生する１２０分よりも短い時間間隔中に識別された時に警報信号を送信し、
前記左ＡＢＴＴ終端及び前記右ＡＢＴＴ終端でのセ氏０．４度よりも大きいか又はそれに等しい温度低下を９６時間よりも短い時間間隔中に周囲温度に関する該温度低下の補償の後に識別し、かつセ氏０．４度の該温度低下が識別された時に前記警報信号を送信し、又は
前記左ＡＢＴＴ終端及び前記右ＡＢＴＴ終端でのセ氏０．５度よりも大きいか又はそれに等しい温度低下をいずれかの時間間隔中に周囲温度に関する該温度低下の補償の後に識別し、かつセ氏０．５度の該温度低下が識別された時に前記警報信号を送信する、
ように構成されたプロセッサと、
前記警報信号を受信し、かつ警報を与えるように構成された警報デバイスと、
を含むことを特徴とする装置。
【請求項２８】
前記警報は、潜在的な心臓関連病態に関するものであることを特徴とする請求項２７に記載の装置。
【発明の詳細な説明】
【技術分野】
【０００１】
本発明の開示は、Ａｂｒｅｕ脳熱トンネル（ＡＢＴＴ）から温度信号を取得し、温度信号を解析し、かつ解析から人体の病態を決定するように構成されたシステム、及びこれを行う方法に関する。これに加えて、本発明の開示は、病態の処置のためのＡＢＴＴへの熱信号の印加のためのシステムを提供する。
【背景技術】
【０００２】
癌、心臓まひ、発作、及び脳卒中などのようなヒト病態の診断は、従来、多くの場合に時間を消費して高額である複数の検査を用いて行われている。時に発作のような病態の診断は観察に基づくものであり、発作の観察は、発作が発生しているという唯一の表示である。更に、ヒト病態の処置は、頻繁に極めて有害な副作用を有する手術、治療、及び薬剤を伴うものである。
【先行技術文献】
【特許文献】
【０００３】
【特許文献１】米国特許出願第１４／５１２，４２１号明細書
【特許文献２】米国特許出願第１４／５９３，８４８号明細書
【特許文献３】米国特許第７，１８７，９６０号明細書
【特許文献４】米国特許第８，１７２，４５９号明細書
【特許文献５】米国特許第８，３２８，４２０号明細書
【特許文献６】米国特許第８，７２１，５６２号明細書
【特許文献７】米国特許第８，８４９，３７９号明細書
【特許文献８】米国特許第９，０１１，３４９号明細書
【特許文献９】米国特許第９，１１９，５３０号明細書
【特許文献１０】米国特許出願第１４／５００，３６２号明細書
【特許文献１１】米国特許出願第１４／５００，５５０号明細書
【特許文献１２】米国特許出願第１４／６２２，２８４号明細書
【特許文献１３】米国特許出願第１４／６８７，１０６号明細書
【発明の概要】
【課題を解決するための手段】
【０００４】
本発明の開示の実施形態の利点及び特徴は、添付図面と共に見る時に例示的実施形態の以下の詳細説明からより明らかになるであろう。
【図面の簡単な説明】
【０００５】
【図１】ＡＢＴＴ及びＡＢＴＴに関連付けられた顔面静脈の概略図である。
【図２】Ａｂｒｅｕ脳熱トンネルとある一定の他の顔面特徴部とを示すヒト頭蓋骨を垂直方向に通る概略部分断面図である。
【図３】脳コア内への血流の様式的表現を示す図である。
【図４】ＡＢＴＴ終端の大体の場所を示す顔面の一部分の図である。
【図５】本発明の開示の例示的実施形態による第１のシステムの図である。
【図６】本発明の開示の例示的実施形態による第２のシステムの図である。
【図７】本発明の開示の例示的実施形態による第３のシステムの図である。
【図８】本発明の開示の例示的実施形態による第４のシステムの図である。
【図９】本発明の開示の例示的実施形態による甲状腺障害及び他の障害に対する第１の処置過程を示す図である。
【図１０】本発明の開示の例示的実施形態による甲状腺障害及び他の障害に対する第２の処置過程を示す図である。
【図１１】本発明の開示の例示的実施形態による甲状腺障害及び他の障害に対する第３の処置過程を示す図である。
【図１２】本発明の開示の例示的実施形態による甲状腺障害及び他の障害に対する第４の処置過程を示す図である。
【図１３】本発明の開示の例示的実施形態による甲状腺障害及び他の障害に対する第５の処置過程を示す図である。
【図１４】本発明の開示の例示的実施形態による甲状腺障害及び他の障害に対する第６の処置過程を示す図である。
【図１５】本発明の開示の例示的実施形態による甲状腺障害及び他の障害に対する第７の処置過程を示す図である。
【図１６Ａ】本発明の開示の例示的実施形態による診断過程を示す図である。
【図１６Ｂ】本発明の開示の例示的実施形態による診断過程を示す図である。
【図１６Ｃ】本発明の開示の例示的実施形態による診断過程を示す図である。
【図１６Ｄ】本発明の開示の例示的実施形態による診断過程を示す図である。
【図１６Ｅ】本発明の開示の例示的実施形態による診断過程を示す図である。
【図１６Ｆ】本発明の開示の例示的実施形態による診断過程を示す図である。
【図１６Ｇ】本発明の開示の例示的実施形態による診断過程を示す図である。
【図１６Ｈ】本発明の開示の別の例示的実施形態による診断過程を示す図である。
【図１７】本発明の開示の例示的実施形態による甲状腺障害及び他の障害に対する第８の処置過程を示す図である。
【図１８】本発明の開示の例示的実施形態による甲状腺障害及び他の障害に対する第９の処置過程を示す図である。
【図１９】本発明の開示の例示的実施形態による甲状腺障害及び他の障害に対する第１０の処置過程を示す図である。
【図２０】ＡＢＴＴ終端に存在するデータ、情報、又は特性を取得又は測定することができる追加の測定デバイスを示す図である。
【図２１】本発明の開示の例示的実施形態によりＡＢＴＴ終端を位置付けるのを補助し、次にＡＢＴＴ終端での温度を測定するように構成されたデバイスの側面図である。
【図２２】図２１のデバイスの斜視図である。
【図２３】本発明の開示の例示的実施形態によりＡＢＴＴ終端を位置付けるのを補助し、次にＡＢＴＴ終端での温度を測定するように構成された別のデバイスの正面図である。
【図２４】図２３のデバイスの側面図である。
【図２４Ａ】本発明の開示の例示的実施形態によりＡＢＴＴ終端を位置付けるのを補助し、次にＡＢＴＴ終端での温度を測定するように構成された更に別のデバイスの図である。
【図２４Ｂ】図２４Ａのデバイスの別の図である。
【図２４Ｃ】本発明の開示の例示的実施形態によりＡＢＴＴ終端を位置付けるのを補助し、次にＡＢＴＴ終端での温度を測定するように構成された更に別のデバイスの図である。
【図２４Ｄ】図２４Ｃのデバイスの別の図である。
【図２４Ｅ】本発明の開示の例示的実施形態によりＡＢＴＴ終端を位置付けるのを補助し、次にＡＢＴＴ終端での温度を測定するように構成された更に別のデバイスの図である。
【図２４Ｆ】図２４Ｅのデバイスの別の図である。
【図２４Ｇ】図２４Ｃのデバイスの別の図である。
【図２４Ｈ】図２４Ａのデバイスの別の図である。
【図２５】本発明の開示の例示的実施形態により少なくとも１つのＡＢＴＴ終端を位置付け、次に少なくとも１つのＡＢＴＴ終端の温度を測定するように構成され、第１の構成にある更に別のデバイスの図である。
【図２５Ａ】本発明の開示の例示的実施形態により少なくとも１つのＡＢＴＴ終端を位置付け、次に少なくとも１つのＡＢＴＴ終端の温度を測定するように構成された更に別のデバイスの図である。
【図２５Ｂ】本発明の開示の例示的実施形態により少なくとも１つのＡＢＴＴ終端を位置付け、次に少なくとも１つのＡＢＴＴ終端の温度を測定するように構成された更に別のデバイスの図である。
【図２６】第２の構成にある図２５のデバイスの別の図である。
【図２７】図２５のデバイスの側面図である。
【図２８】図２５のデバイスの斜視図である。
【図２９】本発明の開示の例示的実施形態により少なくとも１つのＡＢＴＴ終端の温度を測定するように構成され、第１の位置にあるデバイスの図である。
【図３０】第２の位置にある図２９のデバイスの別の図である。
【図３１】図２９のデバイスの側面図である。
【図３２】図２９のデバイスの斜視図である。
【図３３】本発明の開示の例示的実施形態により少なくとも１つのＡＢＴＴ終端の温度を測定するように構成され、ユーザの顔面に隣接して位置決めされた別のデバイスの上面図である。
【図３４】デバイスの各部分に対する運動範囲を示す図３３のデバイスの別の図である。
【図３５】図３３のデバイスの背面図である。
【図３６】本発明の開示の例示的実施形態によりＡＢＴＴ終端を位置付け、次にＡＢＴＴ終端の温度を測定するように構成された装置の図である。
【図３７】図３６の装置の側面図である。
【図３８】本発明の開示の例示的実施形態によりＡＢＴＴ終端を位置付け、次にＡＢＴＴ終端の温度を測定するように構成された別の装置の図である。
【図３９】図３８の装置の側面図である。
【図４０】本発明の開示の例示的実施形態によりＡＢＴＴ終端を位置付け、次にＡＢＴＴ終端の温度を測定するように構成された更に別の装置の正面図である。
【図４１】図４０の装置の側面図である。
【図４２】本発明の開示の例示的実施形態によりＡＢＴＴ終端を位置付け、次にＡＢＴＴ終端の温度を測定するように構成された更に別の装置の正面図である。
【図４３】図４２の装置の側面図である。
【図４４】本発明の開示の例示的実施形態によりＡＢＴＴ終端を位置付け、次にＡＢＴＴ終端の温度を測定するように構成された更に別の装置の正面図である。
【図４５】図４４の装置の側面図である。
【図４６】本発明の開示の例示的実施形態によりＡＢＴＴ終端を位置付け、次にＡＢＴＴ終端の温度を測定するように構成された更に別の装置の正面図である。
【図４７】図４６の装置の側面図である。
【図４７Ａ】揺動アーム支持装置上に位置決めされた図２４Ｃ及び図２４Ｄのデバイスの図である。
【図４７Ｂ】図４７Ａのデバイスの別の図である。
【図４７Ｃ】図４７Ａの装置のためのネジベースの装着機構の図である。
【図４７Ｄ】入れ子式支持体上に位置決めされた図２１Ｃ及び図２１Ｄのデバイスの図である。
【図４７Ｅ】本発明の開示の例示的実施形態により入れ子式支持体上に位置決めされた別のデバイスの図である。
【図４８】本発明の開示の例示的実施形態によりＡＢＴＴ終端を位置付け、次にＡＢＴＴ終端の温度を測定するように構成されたシステムの図である。
【図４９】図４８のシステムの別の図である。
【図５０】図４８のシステムの更に別の図である。
【図５０Ａ】本発明の開示の例示的実施形態によりＡＢＴＴ終端を位置付け、次にＡＢＴＴ終端の温度を測定するように構成された別のシステムの図である。
【図５０Ｂ】図５０Ａのシステムのカード読取器の図である。
【図５１】本発明の開示の例示的実施形態による図４８のシステムに対する支持構造体の図である。
【図５２】図５１の支持構造体の側面図である。
【図５３】本発明の開示の例示的実施形態による図４８のシステムに対する代替実施形態支持構造体の図である。
【図５４】図５３の支持構造体の側面図である。
【図５５】本発明の開示の例示的実施形態によりＡＢＴＴ終端を位置付け、次にＡＢＴＴ終端の温度を測定するように構成された別のシステムの図である。
【図５６】図５５のシステムの別の図である。
【図５７】本発明の開示の例示的実施形態による図５５のシステムに対する支持構造体の図である。
【図５８】図５７の支持構造体の側面図である。
【図５９】図５５のシステムのカメラ位置を制御するデバイスの図である。
【図６０】本発明の開示の例示的実施形態によりＡＢＴＴ終端を位置付け、次にＡＢＴＴ終端の温度を測定するように構成された更に別のシステムの図である。
【図６１】図６０のシステムの別の図である。
【図６２】図６０のシステムの更に別の図である。
【図６３】本発明の開示の例示的実施形態による図６０のシステムに対する支持構造体の図である。
【図６４】図６３の支持構造体の側面図である。
【図６５】図６０のシステムのカメラ位置を制御するデバイスの図である。
【図６６】本発明の開示の例示的実施形態によりＡＢＴＴ終端を位置付け、次にＡＢＴＴ終端の温度を測定するように構成された更に別のシステムの図である。
【図６７】図６６のシステムの別の図である。
【図６８】図６６のシステムの更に別の図である。
【図６９】本発明の開示の例示的実施形態による図６６のシステムに対する支持構造体の図である。
【図７０】図５２の支持構造体の側面図である。
【図７１】図６６のシステムのカメラ位置を制御するデバイスの図である。
【図７２】図６６のシステムの起動デバイスの図である。
【図７３】本発明の開示の例示的実施形態によりＡＢＴＴ終端を位置付け、次にＡＢＴＴ終端の温度を測定するように構成された更に別のシステムの図である。
【図７４】図７３のシステムの別の図である。
【図７５】図７３のシステムの更に別の図である。
【図７６】本発明の開示の例示的実施形態による図７３のシステムに対する支持構造体の図である。
【図７７】図７６の支持構造体の側面図である。
【図７８】図７３のシステムのカメラ位置を制御するデバイスの図である。
【図７９】図７３のシステムの起動デバイスの図である。
【図８０】本発明の開示の例示的実施形態によりＡＢＴＴ終端を位置付け、次にＡＢＴＴ終端の温度を測定するように構成された更に別のシステムの図である。
【図８１】図８０のシステムの別の図である。
【図８２】図８０のシステムの更に別の図である。
【図８３】本発明の開示の例示的実施形態による図８０のシステムに対する支持構造体の図である。
【図８４】図８３の支持構造体の側面図である。
【図８５】図８０のシステムのカメラ位置を制御するデバイスの図である。
【図８６】図８０のシステムの起動デバイスの図である。
【図８７】本発明の開示の例示的実施形態によりＡＢＴＴ終端を位置付け、次にＡＢＴＴ終端の温度を測定するように構成された別のシステムの図である。
【図８７Ａ】本発明の開示の例示的実施形態によりＡＢＴＴ終端を位置付け、次にＡＢＴＴ終端の温度を測定するように構成された更に別のシステムの図である。
【図８７Ｂ】図８７Ａのシステムの一部分の図である。
【図８７Ｃ】本発明の開示の例示的実施形態によりＡＢＴＴ終端を位置付け、次にＡＢＴＴ終端の温度を測定するように構成された更に別のシステムの図である。
【図８７Ｄ】図８７Ｃのシステムの一部分の図である。
【図８７Ｅ】本発明の開示の例示的実施形態によりＡＢＴＴ終端を位置付け、次にＡＢＴＴ終端の温度を測定するように構成された更に別のシステムの図である。
【図８７Ｆ】図８７Ｅのシステムの一部分の図である。
【図８７Ｇ】本発明の開示の例示的実施形態によりＡＢＴＴ終端を位置付け、次にＡＢＴＴ終端の温度を測定するように構成された更に別のシステムの図である。
【図８７Ｈ】図８７Ｇのシステムの一部分の図である。
【図８７Ｉ】本発明の開示の例示的実施形態によりＡＢＴＴ終端を位置付け、次にＡＢＴＴ終端の温度を測定するように構成された更に別のシステムの図である。
【図８７Ｊ】図８７Ｉに記載のクランプの図である。
【図８７Ｋ】図８７Ｉのシステムの一部分の図である。
【図８７Ｌ】本発明の開示の例示的実施形態によりＡＢＴＴ終端を位置付け、次にＡＢＴＴ終端の温度を測定するように構成されたシステムの図である。
【図８７Ｍ】図８７Ｌのシステムのセンサデバイスの図である。
【図８７Ｎ】本発明の開示の例示的実施形態による別のセンサデバイスの図である。
【図８７Ｏ】本発明の開示の例示的実施形態による更に別のセンサデバイスの図である。
【図８７Ｐ】本発明の開示の例示的実施形態による更に別のセンサデバイスの図である。
【図８７Ｑ】修正された特徴を有する図７０Ｌのシステムの図である。
【図８８】本発明の開示の例示的実施形態によるＡＢＴＴ取得過程の図である。
【図８９】動脈瘤のリスクを示すＡＢＴＴ温度のグラフである。
【図９０】癌のリスクを示すＡＢＴＴ温度のグラフである。
【図９１】発作のリスクを示すＡＢＴＴ温度のグラフである。
【図９２】感染の進行を示すＡＢＴＴ温度のグラフである。
【図９３】アルツハイマー病又は海馬を超えるアルツハイマー病の広がりを示すＡＢＴＴ温度のグラフである。
【図９４】膿瘍のリスクを示すＡＢＴＴ温度のグラフである。
【図９５】脳卒中のリスクを示すＡＢＴＴ温度の数値表示を示す図である。
【図９６】本発明の開示の例示的実施形態により測定デバイスを有して構成された電子装置の図である。
【図９７】図９６の電子装置の側面図である。
【図９８】図９６の電子装置の端面図である。
【図９９】図９６の電子装置の斜視図である。
【図１００】本発明の開示の例示的実施形態により測定デバイスを有して構成された別の電子装置の平面図である。
【図１０１】図１００のデバイスの斜視図である。
【図１０２】本発明の開示の例示的実施形態により測定デバイスを有して構成された更に別の電子装置の図である。
【図１０３】本発明の開示の例示的実施形態により測定デバイスを有して構成された更に別の電子装置の斜視図である。
【図１０４】本発明の開示の例示的実施形態により測定デバイスを有して構成された更に別の電子装置の斜視図である。
【図１０５】本発明の開示の例示的実施形態によりセンサの周りに位置決めされた鼻あてを有する図１０３の電子装置の斜視図である。
【図１０６】本発明の開示の例示的実施形態によりセンサの周りに位置決めされた鼻あてを有する図１０４の電子装置の斜視図である。
【図１０７】図１０３のデバイスの使用時の図である。
【図１０８】図１０３のデバイスの鼻あてを用いた使用時の図である。
【図１０９】本発明の開示の例示的実施形態により測定デバイスを有して構成された電子装置の図である。
【図１１０】本発明の開示の別の例示的実施形態により測定デバイスを有して構成された電子装置の図である。
【図１１１】本発明の開示の更に別の例示的実施形態により測定デバイスを有して構成された電子装置の図である。
【図１１２】本発明の開示の更に別の例示的実施形態により測定デバイスを有して構成された電子装置の斜視図である。
【図１１３】図１１２の電子装置の端面図である。
【図１１４】図１１２の電子装置の側面図である。
【図１１５】電子装置の測定デバイスに対して利用可能な位置を示す図１１２の電子装置の別の図である。
【図１１６】本発明の開示の例示的実施形態による分離可能センサデバイスの斜視図である。
【図１１７】本発明の開示の別の例示的実施形態による図１１６の分離可能センサデバイスを組み込んだ電子装置の斜視図である。
【図１１８】本発明の開示の更に別の例示的実施形態による分離可能センサデバイス及び電子装置の斜視図である。
【図１１９】本発明の開示の更に別の例示的実施形態によるセンサシステムの斜視図である。
【図１２０】図１１６の分離可能センサデバイスの図である。
【図１２１】本発明の開示の例示的実施形態による温度変更デバイス及び電子装置の図である。
【図１２２】本発明の開示の別の例示的実施形態による温度変更デバイスの図である。
【図１２３】本発明の開示の更に別の例示的実施形態による温度変更デバイスの図である。
【図１２４】本発明の開示の更に別の例示的実施形態による温度変更デバイスの図である。
【図１２５】本発明の開示の例示的実施形態による分離可能センサデバイスの図である。
【図１２６】本発明の開示の別の例示的実施形態による分離可能センサデバイスの図である。
【図１２７】本発明の開示の例示的実施形態による別の分離可能センサデバイスの斜視図である。
【図１２８】本発明の開示の例示的実施形態により電子装置内に挿入された図１２６の分離可能センサデバイスの図である。
【図１２９】本発明の開示の例示的実施形態により測定デバイスを有して構成された電子装置の図である。
【図１３０】図１２９の電子装置の別の図である。
【図１３１】図１２９の電子装置の更に別の図である。
【図１３２】本発明の開示の例示的実施形態による分離可能センサデバイスの図である。
【図１３３】本発明の開示の例示的実施形態による別の分離可能センサデバイスの図である。
【図１３４】本発明の開示の例示的実施形態により図１３３の分離可能センサデバイスがそこに位置決めされた電子装置の斜視図である。
【図１３５】図１３３及び図１３４の分離可能センサデバイス及び電子装置の更に別の図である。
【図１３６】本発明の開示の例示的実施形態による更に別の分離可能センサデバイスの図である。
【図１３７】本発明の開示の例示的実施形態による更に別の分離可能センサデバイスの図である。
【図１３８】本発明の開示の例示的実施形態により電子装置に取り付けられ、ユーザの鼻上に位置決めされた図１３７の分離可能センサデバイスの斜視図である。
【図１３９】ユーザの鼻上に位置決めされた図１３７の分離可能センサデバイスの更に別の図である。
【図１４０】本発明の開示の例示的実施形態による別の分離可能センサデバイスの斜視図である。
【図１４１】本発明の開示の例示的実施形態による更に別の分離可能センサデバイスの図である。
【図１４２】本発明の開示の例示的実施形態による更に別の分離可能センサデバイス及び電子装置の斜視図である。
【図１４３】本発明の開示の例示的実施形態による更に別の分離可能センサデバイスの斜視図である。
【図１４４】本発明の開示の例示的実施形態による分離可能温度変更デバイス及び電子装置の斜視図である。
【図１４５】ユーザの鼻上に位置決めされた図１４０の分離可能センサデバイスの図である。
【図１４６】本発明の開示の例示的実施形態によりユーザの鼻上に位置決めされ、スポーツヘルメットによって支持された図１４２の分離可能センサデバイスの図である。
【図１４７】本発明の開示の例示的実施形態によりユーザの鼻上に位置決めされた図１４４の分離可能センサデバイスとスポーツヘルメットによって支持された図１４４の電子装置との図である。
【図１４８】本発明の開示の例示的実施形態による分離可能センサデバイスの斜視図である。
【図１４９】本発明の開示の例示的実施形態による別の分離可能センサデバイスの斜視図である。
【図１５０】本発明の開示の例示的実施形態により電子装置に取り付けられた分離可能センサデバイスの斜視図である。
【図１５１】本発明の開示の例示的実施形態による更に別の分離可能センサデバイスの斜視図である。
【図１５２】電子装置に取り付けられ、ＡＢＴＴからのエミッションの測定を行うためにユーザによって使用されている図１４９の分離可能センサデバイスの斜視図である。
【図１５３】本発明の開示の例示的実施形態により電子装置上に位置決めされた更に別の分離可能センサデバイスの図である。
【図１５４】本発明の開示の例示的実施形態により電子装置上に位置決めされた更に別の分離可能センサデバイスの図である。
【図１５５】分離可能センサデバイスの一部分がＡＢＴＴからのエミッションを測定する位置までピボット回転された図１５３の分離可能センサデバイス及び電子装置の図である。
【図１５６】図１５３及び図１５５の分離可能センサデバイス及び電子装置の別の図である。
【図１５７】ＡＢＴＴからのエミッションを読み取るためにユーザによって作動されている図１５４の分離可能センサデバイス及び電子装置の斜視図である。
【図１５８】本発明の開示の例示的実施形態による測定デバイスを含む腕時計の図である。
【図１５９】本発明の開示の別の例示的実施形態による測定デバイスを含む腕時計の図である。
【図１６０】ＡＢＴＴからのエミッションを読み取るために図１５８の腕時計を作動させているユーザの図である。
【図１６１】本発明の開示の更に別の例示的実施形態による測定デバイスを含む腕時計の図である。
【図１６２】本発明の開示の更に別の例示的実施形態による測定デバイスを含む腕時計の図である。
【図１６３】ＡＢＴＴからのエミッションを読み取るために図１６３の腕時計を作動させているユーザの図である。
【図１６４】本発明の開示の更に別の例示的実施形態による測定デバイスを含む腕時計の図である。
【図１６５】本発明の開示の更に別の例示的実施形態による測定デバイスを含む腕時計の図である。
【図１６６】ＡＢＴＴからのエミッションを読み取るために図１６４の腕時計を作動させているユーザの図である
【図１６７】本発明の開示の例示的実施形態によるセンサデバイスの図である。
【図１６８】本発明の開示の例示的実施形態による別のセンサデバイスの図である。
【図１６９】本発明の開示の例示的実施形態による更に別のセンサデバイスの図である。
【図１７０】本発明の開示の例示的実施形態による更に別のセンサデバイスの図である。
【図１７１】本発明の開示の例示的実施形態により電子装置に接続された図１６９のセンサデバイスの図である。
【図１７２】本発明の開示の例示的実施形態により図１６８〜図１７１のセンサデバイスに適合するディスプレイの回転機構の図である。
【図１７３】図１７１のデバイスの回転機構の第１の図である。
【図１７４】図７９のデバイスの回転機構の第２の図である。
【図１７５】図１７１のデバイスの回転機構の第３の図である。
【図１７６】図１７１のデバイスの回転機構の第４の図である。
【図１７７】本発明の開示の例示的実施形態によるセンサデバイスの回転機構の図である。
【図１７８】本発明の開示の例示的実施形態による支持構造体の図である。
【図１７９】図１７８の支持構造体の別の図である。
【図１８０】本発明の開示の例示的実施形態による別の支持構造体の図である。
【図１８１】図１７８及び図１７９の支持構造体の別の図である。
【図１８２】本発明の開示の例示的実施形態によるセンサクリップアセンブリの図である。
【図１８３】本発明の開示の例示的実施形態によるセンサヘッドの図である。
【図１８４】本発明の開示の別の例示的実施形態によるセンサヘッドの図である。
【図１８５】本発明の開示の例示的実施形態による温度計の図である。
【図１８６】図１８５の温度計の別の図である。
【図１８７】本発明の開示の例示的実施形態によるセンサヘッドの図である。
【図１８８】図１８７に記載のセンサヘッドの別の図である。
【図１８９】図１８７に記載のセンサヘッドの更に別の図である。
【図１９０】図１８７に記載のセンサヘッドの更に別の図である。
【図１９１】本発明の開示の例示的実施形態によるセンサデバイスの図である。
【図１９２】本発明の開示の例示的実施形態による別のセンサデバイスの図である。
【図１９３】本発明の開示の例示的実施形態による別の電子装置の図である。
【図１９４】図１９３の電子装置の一部分の図である。
【図１９５】本発明の開示の例示的実施形態による更に別の装置の図である。
【図１９６】図１９５の装置の別の図である。
【図１９７】本発明の開示の例示的実施形態による更に別の装置の図である。
【発明を実施するための形態】
【０００６】
癌、心臓まひ、発作、及び脳卒中などのようなヒト病態の診断及び処置は、従来、多くの場合に時間を消費して高額である複数の検査及び処置を用いて行われている。時に発作のような病態の診断は、観察に基づくものであり、発作の観察は、発作が発生しているという唯一の表示である。同様に、処置は時間を消費する場合があり、多くの場合に病態の根本原因を絞り込み損ねる。更に悪いことに、処置は、多くの場合に一部の処置の侵襲性又は一部の処置の副作用に起因して追加の問題の原因である。
【０００７】
本発明の開示は、Ａｂｒｅｕ脳熱トンネル又はＡＢＴＴが、脳−面熱力学連通及び脳中枢との直接的な熱接続に関する最初の公知の構造を与えるという発見から生じたものである。解剖学的かつ生理学的には、図１〜図４に示すように、ＡＢＴＴ１２は、脳の制御中枢にある脳コア２４とＡＢＴＴ終端１０の皮膚との間に連続的で直接的な不撹乱接続部を含む。ＡＢＴＴ終端１０の皮膚は、最少数の層を有する最も薄い皮膚であり、脂肪層が不在であり、人体上のあらゆる皮膚のうちで最も高い熱伝導率を有するという点で独特である。
【０００８】
トンネルの一端での身体的及び生理学的な事象は、反対端で再現される。従って、全体が引用によって本明細書に組み込まれている２０１４年１０月１１日出願で現在特許出願中の米国特許出願第１４／５１２，４２１号明細書に記載されているように、ＡＢＴＴ１２は、脳コア２４からＡＢＴＴ終端１０への有意な障壁のない温度信号の直接的な伝達を可能にする。更に、ＡＢＴＴ終端１０での熱の印加及び熱の除去を含む温度の変更は、脳コア２４に直接に影響を及ぼし、最終的に患者又は被検者の全身に影響を及ぼす。従って、本発明の開示は、ＡＢＴＴ終端１０から温度信号を取得し、これらの信号を解析し、これらの信号からヒト病態を決定し、更に、ＡＢＴＴ終端１０への熱印加又はそこからの熱除去によって特定の病態を処置するためのシステム及び方法を説明する。本発明の開示のシステム及び方法が、病態を予想するものであり、更に、現存する病態を診断するものであることを明確に理解しなければならない。「予想」診断は、そのような診断が、例えば、前糖尿病病態又は高血中コレステロール濃度を決定することができるという観点から現存はするが、これらの診断は、その後の病態が発生する可能性があるというインジケータに過ぎない。それとは対照的に、本発明の開示のシステム及び方法は、実際の病状が発生の初期段階にあることを決定することができ、これは、病態が極めて重症化するのを防ぐ予防対策を講じる際に有益である。そのような予防対策は、ＡＢＴＴ終端１０への熱の印加又は除去を含むことができる。
【０００９】
解剖学的構造は、前頭静脈１４、上眼瞼静脈１６、眼窩上静脈１８、及び眼角静脈２０という４つの静脈の合流を示している。眼角静脈２０は、ＡＢＴＴ１２から遠くに延び、顔面静脈２２に移行する。合流した状態で、眼３２と眉２８の間のＡＢＴＴターゲット区域１０から視床下部に存在する温度中枢又は海綿静脈洞に存在する身体の熱貯蔵区域である脳２４の中枢内への直接的な無弁接続が存在する。
【００１０】
図１及び図２は、他の顔面特徴部に対するこれらの静脈の大体の場所を示している。眼角静脈／顔面静脈２０／２２は、鼻２６のわきに沿って上に走り、上眼瞼静脈１６は、眉２８に沿って走り、前頭静脈１４及び眼窩上静脈１８は、額３０を通って延びる。開示目的で、本明細書において関連の顔面の区域又は静脈を参照する術語は、上記に言及した静脈及びＡＢＴＴターゲット区域１０のうちの１又は２以上として以下に説明する。
【００１１】
本明細書で説明するように、静脈１４、１６、１８、２０、及び２２は、上瞼の領域内で鼻梁に隣接する上内側眼窩内で合流し、阻害されることなく脳の中枢に直接流れる。この区域内の皮膚は、全体が引用によって組み込まれている本出願人による現在特許出願中の米国特許出願第１４／５１２，４２１号明細書に示すように、体内で最も薄い皮膚であり、脂肪がなく脳コアからＡＢＴＴ終端１０の皮膚への意外に高速な温度連通を与える。これらの血管は、一般的に血流及び血管に沿った温度信号の直接的で高速な伝達に対する重大な障害である弁を欠く。弁を持たないことで、これらの血管は、脳の視床下部領域へ、及びそこから温度信号を直接搬送するための直接的で阻害のない通路を確実に与える。更に、ＡＢＴＴ１２は、トンネル（ＡＢＴＴ１２）の中央部分に対応し、無弁であり、双方向血流を有し、ＡＢＴＴ終端１０の皮膚面を脳に接続する上眼静脈（ＳＯＶ）２３を含む。ＳＯＶは、眼３２と眉２８の間の上内側眼窩の皮膚、すなわち、ＡＢＴＴ終端１０の直下に位置し、ＡＢＴＴ終端１０の皮膚面から脳へ、更に視床下部への直接的な導管である。脳の視床下部領域は、中枢神経系と内分泌系の間の結合部であり、従って、例えば、空腹、喉の乾き、体温、疲労、血圧、免疫反応、概日周期、ホルモンの生成及び分泌、並びに多くの他のもののような多くの基本身体機能に対する制御中枢としての機能をもたらす。
【００１２】
ＡＢＴＴ１２上の、それにわたる、又はそれに隣接する皮膚上の本明細書ではターゲット区域又は終端１０と記すＡＢＴＴ１２の顔面端は、内眼角靭帝の場所の眼３２の内側コーナから計った直径で約１１ｍｍの大きさがあり、更にＡＢＴＴ上部突出部として更に約６ｍｍ又は７ｍｍにわたって上に延び、次に、更に別の２２ｍｍにわたって上瞼内に角状突出部として延びる。ＡＢＴＴ終端１０内及びＡＢＴＴ終端１０の近くのＡＢＴＴ角状突出部内には脂肪が不在であり、脂肪層は、ＡＢＴＴ終端１０から離間距離だけ離れた区域に存在する。
【００１３】
本発明の開示の多くの態様は、プログラムされた命令を実行することができるコンピュータシステム又は他のハードウエア、例えば、汎用コンピュータ、専用コンピュータ、ワークステーション、又は他のプログラム可能データ処理装置の要素によって実施されることになるアクションシーケンスに関して説明する。これらの実施形態の各々において、様々なアクションは、専用回路（例えば、専用機能を実施するように相互接続した離散論理ゲート）により、１又は２以上のプロセッサ（例えば、１又は２以上のマイクロプロセッサ、中央演算処理装置（ＣＰＵ）、及び／又は特定用途向け集積回路）によって実行されるプログラムモジュールのようなプログラム命令（ソフトウエア）により、又はこれら両方の組合せによって実施することができることは認識されるであろう。例えば、実施形態は、ハードウエア、ソフトウエア、ファームウエア、マイクロコード、又はこれらのあらゆる組合せに実施することができる。命令は、必要なタスクを実行し、ストレージ媒体又は他のストレージのような非一時的機械可読媒体に格納することができるプログラムコード又はコードセグメントとすることができる。コードセグメントは、手順、機能、サブプログラム、プログラム、ルーチン、サブルーチン、モジュール、ソフトウエアパッケージ、クラス、又は命令、データ構造、又はプログラムステートメントのあらゆる組合せを表すとすることができる。コードセグメントは、情報、データ、引数、パラメータ、又はメモリ内容を渡す及び／又は受け入れることによって別のコードセグメント又はハードウエア回路に結合することができる。
【００１４】
非一時的機械可読媒体は、更に、本明細書で説明する技術をプロセッサに実施させることになるプログラムモジュール及びデータ構造のような適切なコンピュータ命令セットを含有する半導体メモリ、磁気ディスク、及び光ディスクのようなコンピュータ可読担体のいずれかの有形形態の範囲で具現化されるものと考えることができる。コンピュータ可読媒体は、１又は２以上のワイヤを有する電気接続部、磁気ディスクストレージ、磁気カセット、磁気テープ、又は他の磁気ストレージデバイス、携帯コンピュータディスケット、ランダムアクセスメモリ（ＲＡＭ）、読取専用メモリ（ＲＯＭ）、消去可能プログラム可能読取専用メモリ（例えば、ＥＰＲＯＭ、ＥＥＰＲＯＭ、又はフラッシュメモリ）、又は情報を格納することができるあらゆる他の有形媒体を含むことができる。本明細書では、本発明の開示のシステムは、特定の機能を実施する様々なモジュール及びユニットを有するものとして例示し、解説することに注意しなければならない。
【００１５】
これらのモジュール及びユニットは、明瞭化の目的でその機能に基づいて例示するものに過ぎず、必ずしも特定のハードウエア又はソフトウエアを表すわけではないことを理解しなければならない。この点に関して、これらのモジュール、ユニット、及び他の構成要素は、本明細書で説明する特定の機能を実質的に実行するように実施されたハードウエア及び／又はソフトウエアとすることができる。異なる構成要素の様々な機能は、ハードウエアモジュール及び／又はソフトウエアモジュールとしてあらゆる方式で組み合わせるか又は分離することができ、個別又は組合せで有用であるとすることができる。システムには、キーボード、ディスプレイ、及びポインティングデバイスなどを含むがこれらに限定されない入力／出力デバイス又はＩ／Ｏデバイス、又はユーザインタフェースを直接的又は介在するＩ／Ｏコントローラを通してかのいずれかで結合することができる。従って、本発明の開示の様々な態様は、多くの異なる形態に具現化することができ、全てのそのような形態は、本発明の開示の範囲にあるように考えられている。
【００１６】
図５は、全体的に５０で示す本発明の開示の例示的実施形態による第１のシステムの図を示している。システム５０は、ＡＢＴＴ終端インタフェース５２と制御ユニット５４とを含むように構成される。ＡＢＴＴ終端インタフェース５２は、第１のインタフェースモジュール５６と第２のインタフェースモジュール５８とを含むように構成される。各インタフェースモジュール５６及び５８は、支柱６０上で少なくとも垂直に移動可能であるように位置決めされ、更に支柱６０は、その周りに回転可能に各インタフェースモジュール５６及び５８が旋回することを可能にする。各支柱６０は、床装着、テーブル装着、ベッド装着、ラック装着等とすることができる台座８２上で支持されるように構成される。ＡＢＴＴ終端１０上に、それにわたって、又はそれに隣接して適合するように構成され、様々なサイズの顔面に対して第１のインタフェースモジュール５６と第２のインタフェースモジュール５８との間隔を変更するための第１のインタフェースモジュール５６及び第２のインタフェースモジュール５８の調節可能性を有して構成された２つのロッド又は突出部を有する板を含む複数の構成が、第１のインタフェースモジュール５６及び第２のインタフェースモジュール５８に対して存在することを理解しなければならない。そのような調節可能性は、手動、電子的、又は例えばモータによる電気的なものとすることができ、かつ第１のインタフェースモジュール５６及び第２のインタフェースモジュール５８からの温度入力の解析による自動的なものとすることができる。更に、板は、１つのロッド又は突出部のみを有することができることを理解しなければならない。更に、二重センサロッド又は突出部は、コンピュータ画面、セル電話デバイス、テレビジョン、ミラー、腕時計、クレジットカード機のようないずれかの画面、及びユーザ又は被検者が日頃から観ているか又は見ているいずれかのデバイス、並びに類似のものの一部として構成することができる。更に、二重センサは、接触センサ及び／又は非接触センサを含むことができることを理解しなければならない。
【００１７】
各インタフェースモジュール５６及び５８は、温度センサ又は熱センサ６２と少なくとも１つの温度変更デバイス６４とを含むように構成される。従って、システム５０は、二重センサ構成又はセンサ対構成を含み、それによってＡＢＴＴ終端１０を両側で同時に測定するように構成された独立型ユニットとして構成される。システム５０は、１センサ構成又は１検出器構成を含み、それによってＡＢＴＴ終端１０を片側で測定するように構成され、片側における測定後に反対側のＡＢＴＴ終端１０を測定するようにデバイス５０が調節される独立型ユニットとすることができことを理解しなければならない。システム５０は、１つのセンサを含み、温度変更デバイスを含まないことができ、それによって診断デバイス又はモニタデバイスとして機能することができることを理解しなければならない。システム５０は、１つの温度変更デバイスを含み、センサを含まないことができ、処置デバイスとして機能することができることを理解しなければならない。システム５０は、１センサ構成又は１検出器構成を含み、それによってＡＢＴＴ終端１０を片側で測定するように構成され、片側における測定後に反対側のＡＢＴＴ終端１０を処置するようにデバイス５０が適応された独立型ユニットを含むことができることを理解しなければならない。システム５０は、１つの温度変更デバイス構成を含み、それによってＡＢＴＴ終端１０を片側で処置するように構成され、片側で測定が行われた後に反対側のＡＢＴＴ終端１０を処置するようにデバイス５０が適応される独立型ユニットとすることができることを理解しなければならない。温度センサ又は熱センサ６２は、例えば、熱電対列、サーミスタ、熱電対、及び赤外線（ＩＲ）などのような接触センサ又は非接触センサ、又は接触センサと非接触センサの組合せとすることができる。センサ構成は、撮像アレイ及び非撮像アレイを含むアレイを更に含むことができる。非接触センサは、ＡＢＴＴ終端１０を含む顔面の熱マップを生成するように構成又は適応された熱電対アレイ又は他の熱センサがそこに位置決めされた板として構成することができる。そのような接触センサ又は非接触センサは、ＡＢＴＴ終端１０の温度を単一測定値又は経時的測定値として測定するように構成される。熱電対アレイは、コンピュータ画面、セル電話デバイス、テレビジョン、ミラー、腕時計、クレジットカード機の画面のようないずれかの画面、及びユーザ又は被検者にデバイスを注視させるいずれかのデバイス、並びに類似のものの一部として含めることができる。
【００１８】
温度変更デバイス６４は、例えば、インタフェースモジュール５６及び５８の温度を上昇又は低下させることを可能にする熱電デバイス及び抵抗加熱器などとすることができる。各温度モジュール５６及び５８は、それぞれのＡＢＴＴ終端１０上に、それにわたって、その近くに、又はそれに隣接して位置決めされた接触面又は非接触面とすることができるＡＢＴＴインタフェース面６６内で終端する突出部を含むように更に構成される。当然ながら、本明細書で更に説明する病態の処置に関して、処置に対して最も有効な構成は、ＡＢＴＴインタフェース面６６をＡＢＴＴ終端１０と接触状態にするためのものであることが予想される。
【００１９】
制御ユニット５４は、全てがハウジング７８内に位置決めされた少なくともプロセッサ６８と、非一時的メモリ７０と、セル電話、腕時計、テレビジョン、ラップトップ、眼鏡類などのような外部電子デバイス８０との双方向通信のための送受信機７２と、ディスプレイ７４と、電力供給器又は電源７６とを含むように構成される。電源７６は、従来の壁コンセント、バッテリ、ソーラーアレイ、発電器などを含むことができることを理解しなければならない。制御ユニット５４は、ＡＢＴＴ終端インタフェース５２にワイヤ又はケーブル８４によって接続することができ、又は無線接続することができる。制御ユニット５４への入力は、ディスプレイ７４を通じたもの、制御ユニット５４に有線又は無線で接続することができる個別のキーボードを通じたもの、及びセル電話又は他の無線デバイスのような遠隔に位置付けられた別の電子装置を含む他の装置によるものとすることができる。少なくとも１つのＡＢＴＴ終端１０から温度信号を収集し、かつ少なくとも１つのＡＢＴＴ終端１０に処置を提供するように構成されたシステム５０のようなシステムの機能を本明細書でより詳細に説明する。システム５０は、症状、病歴、摂取薬剤、手術、又は診断又は病態評価を提供する間に取得されるあらゆる健康情報を入力することを可能にするように構成された入力装置又は入力デバイスを含むように更に構成することができる。
【００２０】
本発明の開示のシステム、デバイス、及び方法は、測定デバイスと熱送出デバイス又は熱除去デバイスとの組合せを含み、熱送出デバイス及び熱除去デバイスは、ＡＢＴＴ終端１０の皮膚に対して作用し、測定デバイスは、ＡＢＴＴ終端１０上の温度を測定するか又は身体の面上の温度を測定するデバイス及び／又は体内の温度を測定するデバイスを有することを理解しなければならない。熱を印加又は除去するために右左両方のＡＢＴＴ終端１０が使用される場合に、これに代えて、例えば、図５に示すように、口腔温度センサ７３、鼓膜温度センサ７５、食道温度センサ７７、膀胱温度センサ７９、及び直腸温度センサ又は直腸内温度センサ８１などのような体内の場所で温度を測定するデバイスを使用することができる。そのような温度測定デバイスは、制御ユニット５４にワイヤ又はケーブル８３によって接続することができ、又は制御ユニット５４に無線接続することができる。本発明は、ＡＢＴＴに適合し、温度測定部分と熱送出部分とを有するように適応されたデバイスを更に含むことを更に理解しなければならない。
【００２１】
図６は、全体的に１００で示す本発明の開示の例示的実施形態による第２のシステムの図を示している。システム１００は、ＡＢＴＴ終端に熱を供給するか又はそこから熱を除去する機能を含むのではなく、診断温度測定デバイスとして構成される。システム１００は、光学アセンブリ１０２と電子アセンブリ１０４とを含むように構成される。光学アセンブリ１０２は、ＩＲ撮像アレイ１０６を含むように構成され、更にレンズアセンブリ１０８を含むように構成することができ、これらの両方がハウジング１１０に位置決めされる。ＩＲ撮像アレイ１０６は、少なくとも１つのＡＢＴＴ終端１０の温度プロファイル、温度マップ、又は温度画像を取り込むように構成され、両方のＡＢＴＴ終端１０の温度プロファイルを同時に取り込むように構成することができる。電子アセンブリ１０４は、全てがハウジング７８内に位置決めされたプロセッサ６８と、非一時的メモリ７０と、外部電子デバイス８０との双方向通信のための送受信機７２と、ディスプレイ７４と、電力供給器７６とを含む制御ユニット５４の特徴を含むように構成することができる。制御ユニット５４は、ワイヤ又はケーブル８４によってＡＢＴＴ終端インタフェース５２に接続することができ、又は無線接続することができる。
【００２２】
図７は、全体的に１５０で示す本発明の開示の例示的実施形態による第３のシステムの図を示している。システム１５０は、両方共に支持フレーム１６０上に位置決めされた又はそこで支持されたＡＢＴＴ終端インタフェース１５２と制御ユニット１５４とを含むように構成される。支持フレーム１６０は、眼鏡フレームと類似の方式で構成されるが、レンズの存在は必要ではない。ＡＢＴＴ終端インタフェース１５２は、第１のインタフェースモジュール１５６と第２のインタフェースモジュール１５８を含むように構成される。各インタフェースモジュール１５６及び１５８は、支持フレーム１６０上でそれに対して柔軟に移動可能であるように位置決めされる。各インタフェースモジュール１５６及び１５８は、温度センサ１６２と少なくとも１つの温度変更デバイス１６４とを含むように構成される。温度変更デバイス１６４は、インタフェースモジュール１５６及び１５８の温度を上昇又は低下させることを可能にする例えば熱電デバイス及び抵抗加熱器などとすることができる。各温度モジュール１５６及び１５８は、接触面又は非接触面とすることができるＡＢＴＴインタフェース面１６６を含むように更に構成される。当然ながら、本明細書で更に説明する病態の処置に関して、処置に対して最も有効な構成は、ＡＢＴＴインタフェース面１６６をＡＢＴＴ終端１０と接触状態にするためのものであることが予想される。
【００２３】
制御ユニット１５４は、全てが支持フレーム１６０上に位置決めされた少なくともプロセッサ６８と、非一時的メモリ７０と、セル電話、腕時計、テレビジョン、ラップトップ、ミラー、クレジットカードデバイスなどのような外部電子デバイス８０との双方向通信のための送受信機７２と、電力供給器１７６とを含むように構成される。制御ユニット１５４は、ＡＢＴＴ終端インタフェース１５２に１又は２以上のワイヤ又はケーブル１８４によって接続することができ、又は無線接続することができる。制御ユニット１５４への入力は、個別の電子デバイス８０を通じたものとすることができ、又は支持フレーム１６０上に位置決めされ、遠隔制御デバイス、個別のキーボードへの有線接続を与えるように構成されたコネクタ１７４を通じたもの及びセル電話又は他の無線デバイスのような遠隔に位置付けられた別の電子装置を含む他の装置によるものとすることができる。少なくとも１つのＡＢＴＴ終端１０から温度信号を収集し、かつ少なくとも１つのＡＢＴＴ終端１０に処置を提供するように構成されたシステム１５０のようなシステムの機能を本明細書でより詳細に説明する。
【００２４】
図８は、全体的に２００で示す本発明の開示の例示的実施形態による第４のシステムの図を示している。システム２００は、両方共に着用可能支持体２１０上に位置決めされた又はそこに支持されたＡＢＴＴ終端インタフェース２０２と制御ユニット２０４とを含むように構成される。着用可能支持体２１０は、鼻クリップ、ハット、キャップ、ヘッドバンド、ヘッド家電、及び特に着用可能物品の方式の他のヘッド支持式及びヘッド装着式構成として構成することができる。ＡＢＴＴ終端インタフェース２０２は、第１のインタフェースモジュール２０６と第２のインタフェースモジュール２０８を含むように構成される。各インタフェースモジュール２０６及び２０８は、着用可能支持体２１０上でそれに対して柔軟に移動可能であるように位置決めされる。各インタフェースモジュール２０６及び２０８は、温度センサ２１２と少なくとも１つの温度変更デバイス２１４とを含むように構成される。温度変更デバイス２１４は、インタフェースモジュール２０６及び２０８の温度を上昇又は低下させることを可能にする例えば熱電デバイス及び抵抗加熱器などとすることができる。各温度モジュール２０６及び２０８は、接触面又は非接触面とすることができるＡＢＴＴインタフェース面２１６を含むように更に構成される。当然ながら、本明細書で更に説明する病態の処置に関して、処置に対して最も有効な構成は、ＡＢＴＴインタフェース面１６６をＡＢＴＴ終端１０と接触状態にするためのものであることが予想される。
【００２５】
制御ユニット２０４は、全てが着用可能支持体２１０上に位置決めされた少なくともプロセッサ６８と、非一時的メモリ７０と、セル電話、腕時計、テレビジョン、ラップトップなどのような外部電子デバイス８０との双方向通信のための送受信機７２と、電力供給器７６とを含むように構成される。制御ユニット２０４は、ＡＢＴＴ終端インタフェース２０２に１又は２以上のワイヤ又はケーブル２３４によって接続することができ、又は無線接続することができる。制御ユニット２０４への入力は、個別の電子デバイス８０を通じたものとすることができ、又は着用可能支持体２１０上に位置決めされ、遠隔制御デバイス、個別のキーボードへの有線接続を与えるように構成されたコネクタ２２４を通じたもの及びセル電話又は他の無線デバイスのような遠隔に位置付けられた別の電子装置を含む他の装置によるものとすることができる。少なくとも１つのＡＢＴＴ終端１０から温度信号を収集し、かつ少なくとも１つのＡＢＴＴ終端１０に処置を提供するように構成されたシステム２００のようなシステムの機能を本明細書でより詳細に説明する。
【００２６】
上記で記述したシステムは例示的なものに過ぎないことを理解しなければならない。システムは、診断のみ、処置のみ、又は診断と処置の組合せを提供するように構成することができる。更に、両方のＡＢＴＴ終端１０を両側で同時に測定するように構成された本明細書で説明する二重ＡＢＴＴインタフェース及び温度センサではなく、１つのＡＢＴＴインタフェース又は温度センサだけを含むシステムでは、本明細書で説明する比較を達成するために一方のＡＢＴＴ終端１０の測定を行い、他方のＡＢＴＴ終端１０の測定をそれに続けることができる。言い換えれば、本明細書で説明するためのシステムは、本明細書で説明する過程を用いて実施されるシステムの例示的な説明に過ぎない。
【００２７】
下記で説明する過程は、人体のこれまで知られていなかった特性を利用する。より具体的には、脳は中大脳静脈を有し、この静脈が脳からＡＢＴＴ終端１０に熱情報を伝達することによって熱力学特性を有することを本出願人は実験を通して認識した。従って、本発明の開示に説明するように、ＡＢＴＴ終端１０で発生する変化、振動、又は勾配を識別することによって様々な脳の病態を検出することができる。両側測定は、患者又は被検者の２つのＡＢＴＴ終端１０の間に罹患側で反対の非罹患側又は「健全」側と比較してセ氏０．２５度よりも大きいか又はそれに等しい増大を有する勾配が存在する場合に、発作の発症を予想することができるか又は発作を診断するのに使用することができる。
【００２８】
両側測定は、患者又は被検者の２つのＡＢＴＴ終端１０の間に罹患側で反対の健全側又は非罹患側と比較してセ氏０．２度よりも大きいか又はそれに等しい低下を有する勾配が存在する場合に、脳卒中の発症又は脳卒中の診断を予想する。
【００２９】
脳は、高い圧力を有する動脈（内頸動脈）が低い圧力を有する静脈血のプール（海綿静脈洞）内に閉じ込められ、深刻な合併症及び破裂をもたらす可能性がある異常を有する。本出願人は、この異なる血管圧及び高いレイノルズ数を有する動脈−静脈の組合せが、熱情報を心臓から海綿静脈洞へ、かつ脳に伝達することによって熱力学特性を有し、この情報がＡＢＴＴ終端１０に存在することを実験を通して認識した。従って、本発明の開示の装置及び方法によってＡＢＴＴ終端１０で発生する変化又は勾配を識別することで様々な疾病、生理学的病態、及び心臓病態を検出することができる。
【００３０】
例えば、ＡＢＴＴ終端１０の両側測定は、２３００時又は１１ＰＭの前に１２０分よりも短いか又はそれに等しい期間内に周囲温度の変化なくセ氏０．２度よりも大きいか又はそれに等しいＡＢＴＴ終端１０の温度の両側低下が存在する場合に、心臓まひ、心臓疾患の発症を予想するか又は心臓まひ又は心臓疾患を診断する。そのようなシステムは、周囲温度感知、湿度感知、及び時計等による時間間隔モニタを含むように構成されることに注意しなければならない。本出願人が示すように睡眠中には脳温の自然降下が存在するので、好ましくは、２２００時又は１０ＰＭの後に発生する両側低下の検出が、プロセッサ６８によって非一時的メモリ７０のようなメモリに格納された当該者に関する正常又は標準のベースラインと比較される。睡眠中又は２２００時以降にセ氏０．３度の温度低下が標準的に存在し、デバイスがこの時間又は睡眠中に両側で０．４度よりも大きいか又はそれに等しい降下を識別した場合は心臓異常が示されている。睡眠中又は２２００時以降にセ氏０．４度の温度低下が標準的に存在し、デバイスがこの時間又は睡眠中に両側で０．５度よりも大きいか又はそれに等しい降下を識別した場合は心臓異常が示されている。睡眠中又は２２００時以降にセ氏「ｘ」度の温度低下が標準的に存在し、デバイスがこの時間又は睡眠中に両側で「ｘ」よりも０．２度だけ大きい降下を識別した場合に、「ｘ」の絶対値に関係なく心臓異常が示されている。睡眠中又は２２００時以降にセ氏「ｘ」度の温度低下が標準的に存在し、デバイスがこの時間又は睡眠中に両側で「ｘ」よりも０．４度だけ大きい降下を識別した場合に、「ｘ」の絶対値に関係なく重度の心臓異常が示されている。
【００３１】
軽度の心臓病態では、本出願人が明らかにした心臓−脳接続部の熱力学に起因して左側が低めの温度を有する。中度の心臓病態が存在する場合に、両方のＡＢＴＴ終端１０の温度がほぼ同等に低下、低減するか、又は障害を被る。プロセッサ６８のようなプロセッサは、右ＡＢＴＴ終端１０と比較して左ＡＢＴＴ終端１０により高い温度変化が存在するか否かを識別するようにも構成される。右ＡＢＴＴ終端１０と比較して左ＡＢＴＴ終端１０でいずれかの値の温度低下であるが、好ましくはセ氏０．１度よりも大きいか又はそれに等しい低下が存在する場合に、心臓虚血、心筋梗塞、又は不整脈のような阻害性又は進行性の心臓病態の診断が確認され、左と右の間の勾配が大きい程、心筋梗塞である高重度から心筋虚血である低重度までの病態はより深刻である。同様に、高応答心房細動（重度の不整脈）は、低心室応答心房細動のような軽度の不整脈と比較して右と左の間により大きい熱勾配を有する。
【００３２】
本出願人はまた、多くの場合に、左利き又は右利きとして略式で示される右又は左優性がＡＢＴＴ１２及びＡＢＴＴ終端１０の温度に影響を及ぼすことを認識して検証を行った。右利きの人では、左ＡＢＴＴ終端１０が右ＡＢＴＴ終端１０の温度よりも高い。左利きの人では、右ＡＢＴＴ終端１０が左ＡＢＴＴ終端１０よりも高い温度を有する。本発明の開示のシステム及び方法は、ユーザ、被検者、又は患者がいかなる側が優先するかを入力することを可能にし、及び／又は左手又は右手の使用を検出するためにタブレット上で手書きをすることのような優性を検証することを可能にするように構成され、そのような実施形態によるシステムは、優性を決定するために電子パッドなどを含むように構成される。更に、本出願人は、非接触熱電対列及びサーミスタを用いた熱画像又は熱マッピングを使用することによって左利き又は右利きとして略式で示される右又は左優性を認識して検証し、更に優性が、ＡＢＴＴ１２及びＡＢＴＴ終端１０の最高温度を有する熱の島（等温域）のサイズに影響を及ぼすことを認識した。右利きの人では、左ＡＢＴＴ終端１０の高温画像のサイズが、右ＡＢＴＴ終端１０の高温画像のサイズよりも大きい。左利きの人では、右ＡＢＴＴ終端１０が、熱画像内で左ＡＢＴＴ終端１０よりも大きい高温域を有する。
【００３３】
本明細書で説明するあらゆる病態の診断において、重症度を決定するために、又は病態の発現よりもはるかに前に病態を予想するために優性を対処又は考慮することができる。例えば、発作の病歴又は発作の家族病歴を有する人において、片側でセ氏０．２度よりも大きいか又はそれに等しいＡＢＴＴ終端１０の温度の増大は、当該側の発作の徴候を示している。発作の病歴又は発作の家族病歴を有する人において、片側でセ氏０．３度よりも大きいか又はそれに等しいＡＢＴＴ終端１０の温度の増大は、当該側の中度の発作の徴候を示すことを理解しなければならない。発作の病歴又は発作の家族病歴を有する人において、片側でセ氏０．４度よりも大きいか又はそれに等しいＡＢＴＴ終端１０の温度の増大は、当該側の重度の発作の徴候を示すことを理解しなければならない。発作の病歴又は発作の家族病歴を有する人において、片側でセ氏０．１度よりも大きいか又はそれに等しいＡＢＴＴ終端１０の温度の増大は、当該側の軽度の発作の徴候を示すことを理解しなければならない。ベースライン温度が「ｙ」という値を有し、片側で反対側と比較して「ｙ」温度レベルよりも大きいセ氏０．１度強とセ氏０．２５度弱の間の温度上昇が存在する場合に、「ｙ」の絶対値とは無関係に軽度の発作が示されている。ベースライン温度が「ｙ」という値を有し、片側で反対側と比較して「ｙ」温度レベルよりも大きいセ氏０．２５度に等しいか又はそれよりも高い温度上昇が存在する場合に、「ｙ」の絶対値とは無関係に発作が示されている。
【００３４】
この実施形態では、優性が考慮に入れられる。左ＡＢＴＴ終端１０と右ＡＢＴＴ終端１０の間の温度優性の逆転は、かなり深刻な病態又はかなり差し迫った病態を示している。温度の逆転は、通常は低めの温度を有する非優性側のＡＢＴＴ終端１０が、優性側のＡＢＴＴ終端１０よりも高い温度を達成することによって定められる。一例として、本出願人が明らかにしたように、右利きの人は、通常は左ＡＢＴＴ終端１０で高めの温度を有することになる。従って、右利きの人において左ＡＢＴＴ終端１０での温度よりも高い右ＡＢＴＴ終端１０での温度のような非優性側のＡＢＴＴ終端１０が優性側のＡＢＴＴ終端１０よりも高い温度を有すると本発明の開示のシステム及び方法が決定した場合に、そのような病態は、温度の逆転及びかなり深刻な問題又はかなり重度の発作を示している。
【００３５】
血管異常の病歴又は脳卒中の家族病歴を有する人において、一方のＡＢＴＴ終端１０だけにおけるセ氏０．２度よりも大きいか又はそれに等しい温度低下は、当該側の脳卒中を示している。高血圧及び／又は糖尿病の病歴又は脳卒中の家族病歴を有する人において、片側のＡＢＴＴ終端１０でのセ氏０．３度よりも大きいか又はそれに等しい温度低下は、当該側の中度の脳卒中の発症を示すことを理解しなければならない。脳卒中の病歴又は脳卒中の家族病歴を有する人において、片側のＡＢＴＴ終端１０でのセ氏０．４度よりも大きいか又はそれに等しい温度低下は、当該側の重度の脳卒中の発症を示すことを理解しなければならない。脳卒中の病歴又は脳卒中の家族病歴を有する人において、片側のＡＢＴＴ終端１０でのセ氏０．１度よりも大きいか又はそれに等しい温度低下は、当該側の軽度の脳卒中の発症を示すことを理解しなければならない。ベースライン温度が「ｚ」という値を有し、片側で反対側と比較して「ｚ」温度レベルに対してセ氏０．１度強とセ氏０．２５度弱の間の温度低下が存在する場合に、「ｚ」の絶対値とは無関係に軽度の脳卒中又は脳虚血が示されている。ベースライン温度が「ｚ」という値を有し、片側で反対側と比較して「ｚ」温度レベルに対してセ氏０．２５度に等しいか又はそれよりも高い温度低下が存在する場合に、「ｚ」の絶対値とは無関係に脳卒中が示されている。この実施形態では、優性が考慮に入れられる。従って、上述のように温度優性の逆転が存在する場合に、かなり深刻な病態又はかなり差し迫った病態が示されている。一例として、本出願人が明らかにしたように、右利きの人は、通常は左ＡＢＴＴ終端１０で高めの温度を有することになる。従って、本発明の開示のシステム及び方法が、右利きの人の右ＡＢＴＴ終端１０での高めの温度のような比較的高めの温度を非優性側で検出した場合に、当該者の左側の重度の脳卒中のリスクが示されている。それに対して、右利きの人の右側で脳卒中が発生している場合に、通常は右側が脳卒中によって更に低下した低めの温度を有し、左右ＡＢＴＴ終端１０の間の差を大きくするので、左右ＡＢＴＴ終端１０の間の勾配は正常のものよりもかなり大きくなる。従って、左右ＡＢＴＴ終端１０の間のより大きい温度差は、非優性側の脳卒中の診断に対応する。
【００３６】
上述のように、セ氏０．２度よりも大きいか又はそれに等しい両側低下が存在する場合に、両側測定は、心臓まひ、心臓疾患の発症、又は心臓まひ又は心臓疾患の診断を予想する。左ＡＢＴＴ終端１０での温度低下が心臓病態を示すことを考慮し、更に脳の優性な半球が高めの温度を有することを考慮した上で、本発明の開示のシステムは、測定中のＡＢＴＴ終端１０の各側の温度に対処するように構成される。従って、本発明の開示のシステム及び方法は、左ＡＢＴＴ終端１０及び右ＡＢＴＴ終端１０に関連付けられたセンサを識別するように構成される。従って、左ＡＢＴＴ終端１０でその優性の理由から高めの温度を有することが予想される右利きの人が右ＡＢＴＴ終端１０よりも低い温度を有する場合に、心臓病態が示されている。本出願人が明らかにしたように、軽度の心臓病態では、左ＡＢＴＴ終端１０での温度は、心臓−脳の熱力学に起因して低めの温度を有する。中度の病態が存在する場合に、両方のＡＢＴＴ終端１０が同等に温度低減を受けるか又は障害を被る。高血圧の病歴又は心臓疾患の家族病歴を有する人において、両側のＡＢＴＴ終端１０でのセ氏０．３度よりも大きいか又はそれに等しい温度低下は、中度の心臓まひの発症を示すことを理解しなければならない。高血圧の病歴又は心臓疾患の家族病歴を有する人において、両側のＡＢＴＴ終端１０でのセ氏０．４度よりも大きいか又はそれに等しい温度低下は、重度の心臓まひの発症を示すことを理解しなければならない。高血圧の病歴又は心臓疾患の家族病歴を有する人において、ＡＢＴＴ終端１０でのセ氏０．１度よりも大きいか又はそれに等しい温度低下は、心臓虚血の発症を示すことを理解しなければならない。ベースライン温度が「ｗ」という値を有し、片側で反対側と比較して「ｗ」温度レベルに対してセ氏０．１度強とセ氏０．２０度弱の間の温度低下が存在する場合に、「ｗ」の絶対値とは無関係に心臓虚血が示されている。ベースライン温度が「ｗ」という値を有し、「ｗ」温度レベルに対してセ氏０．２０度に等しいか又はそれよりも高い温度低下が存在する場合に、「ｗ」の絶対値とは無関係に心臓まひが示されている。
【００３７】
血管異常又はアテローム性動脈硬化の病歴を有する人において、一方のＡＢＴＴ終端１０だけにおけるセ氏０．２５度よりも大きいか又はそれに等しい温度低下は、当該側の軽度の首動脈血栓症（例えば、頸動脈血栓症）を示している。血管異常又はアテローム性動脈硬化の病歴を有する人において、片側のＡＢＴＴ終端１０でのセ氏０．３５度よりも大きいか又はそれに等しい温度低下は、当該側の中度の首動脈血栓症（例えば、頸動脈血栓症）を示すことを理解しなければならない。血管異常又はアテローム性動脈硬化の病歴を有する人において、片側のＡＢＴＴ終端１０でのセ氏０．５度よりも大きいか又はそれに等しい温度低下は、当該側の重度の首動脈血栓症（例えば、頸動脈血栓症）を示すことを理解しなければならない。血管異常又はアテローム性動脈硬化の病歴を有する人において、片側のＡＢＴＴ終端１０でのセ氏０．１度よりも大きいか又はそれに等しい温度低下は、当該側の初期の首動脈血栓症（例えば、頸動脈血栓症）を示すことを理解しなければならない。ベースライン温度が「ｐ」という値を有し、片側で反対側と比較して「ｐ」温度レベルに対してセ氏０．２度強とセ氏０．３度弱の間の温度低下が存在する場合に、「ｐ」の絶対値とは無関係に首動脈血栓症（例えば、頸動脈血栓症）が示されている。ベースライン温度が「ｐ」という値を有し、片側で反対側と比較して「ｐ」温度レベルに対してセ氏０．３度に等しいか又はそれよりも高い温度低下が存在する場合に、「ｐ」の絶対値とは無関係に重度の首動脈血栓症（例えば、頸動脈血栓症）が示されている。この実施形態では、優性が考慮に入れられる。従って、上述のように温度優性の逆転が存在する場合に、かなり深刻な病態又はかなり差し迫った病態が示されている。一例として、本出願人が明らかにしたように、右利きの人は、通常は左ＡＢＴＴ終端１０で高めの温度を有することになる。従って、本発明の開示のシステム及び方法が、右利きの人の右ＡＢＴＴ終端１０での高めの温度のような比較的高めの温度を非優性側で検出した場合に、当該者の左側の重度の首動脈血栓症（例えば、頸動脈血栓症）のリスクが示されている。それに対して、右利きの人の右側で首動脈血栓症（例えば、頸動脈血栓症）が発生している場合に、通常は右側が血栓症によって更に低下した低めの温度を有し、左右ＡＢＴＴ終端１０の間の差を大きくするので、左右ＡＢＴＴ終端１０の間の勾配は正常のものよりもかなり大きくなる。従って、左右ＡＢＴＴ終端１０の間のより大きい温度差は、非優性側の首動脈血栓症（例えば、頸動脈血栓症）の診断に対応する。
【００３８】
血管異常又はアテローム性動脈硬化の病歴を有する人において、一方のＡＢＴＴ終端１０だけにおけるセ氏０．１５度よりも大きいか又はそれに等しい温度上昇は、当該側の軽度の首静脈血栓症（例えば、頸静脈血栓症）を示している。血管異常又はアテローム性動脈硬化の病歴を有する人において、片側のＡＢＴＴ終端１０でのセ氏０．２５度よりも大きいか又はそれに等しい温度上昇は、当該側の中度の首静脈血栓症（例えば、頸静脈血栓症）を示すことを理解しなければならない。血管異常又はアテローム性動脈硬化の病歴を有する人において、片側のＡＢＴＴ終端１０でのセ氏０．３５度よりも大きいか又はそれに等しい温度上昇は、当該側の重度の首静脈血栓症（例えば、頸静脈血栓症）を示すことを理解しなければならない。血管異常又はアテローム性動脈硬化の病歴を有する人において、片側のＡＢＴＴ終端１０でのセ氏０．１度よりも大きいか又はそれに等しい温度上昇は、当該側の初期の首静脈血栓症（例えば、頸静脈血栓症）を示すことを理解しなければならない。ベースライン温度が「ｑ」という値を有し、片側で反対側と比較して「ｑ」温度レベルに対してセ氏０．１５度強とセ氏０．３度弱の間の温度上昇が存在する場合に、「ｑ」の絶対値とは無関係に首静脈血栓症（例えば、頸静脈血栓症）が示されている。ベースライン温度が「ｑ」という値を有し、片側で反対側と比較して「ｑ」温度レベルに対してセ氏０．３度に等しいか又はそれよりも高い温度上昇が存在する場合に、「ｐ」の絶対値とは無関係に重度の首静脈血栓症（例えば、頸静脈血栓症）が示されている。
【００３９】
例示的な例として、通常は右利き又は右優性であると考えられ、左ＡＢＴＴ終端１０で温度Ｘ及び右ＡＢＴＴ終端１０で温度Ｙを有する人においては、標準温度関係はＸ＞Ｙである。右利き又は右優性の人が心臓病態を有する場合に、左ＡＢＴＴ終端１０での温度はセ氏Ｘマイナス０．２度になり、右ＡＢＴＴ終端１０での温度はセ氏Ｙマイナス０．１度になる。両方のＡＢＴＴ終端１０の温度は低下するが、ＡＢＴＴ終端１０の温度は、左側でより大きく低下する。従って、軽度の心臓病態ではこれらの温度は均等化する傾向を有し、右ＡＢＴＴと左ＡＢＴＴとがほぼ同じ温度を有する。更に、深刻な病態では、両側が同等に低減することになり、従って、右利きの人では左ＡＢＴＴが右ＡＢＴＴよりも高い状態に留まる。
【００４０】
左利き又は左優性の人では、病態は右利きの人のものから逆転する。従って、標準の温度関係はＸ＜Ｙである。左利き又は左優性の人が心臓病態を有する場合に、左ＡＢＴＴ終端での温度は上記と変わらずにセ氏Ｘマイナス０．２度になり、右ＡＢＴＴ終端での温度も変わらずにセ氏Ｙマイナス０．１度になるが、左利きの人では左ＡＢＴＴ終端１０の温度が右ＡＢＴＴ終端１０の温度よりも既に低いので、右利きの人では左ＡＢＴＴ終端１０の温度が左ＡＢＴＴ終端１０の低下した温度よりもかなり低くなる。従って、左利きの人に軽度の心臓病態が存在する場合は左右ＡＢＴＴ終端１０の温度の間により大きい差が存在する。更に、深刻な病態では、両方のＡＢＴＴ終端１０の温度が同等に低減することになり、従って、この状況では左右ＡＢＴＴ終端１０の間の差は無変化状態に留まる。
【００４１】
ＡＢＴＴ終端１０の端部は、視床下部と呼ばれる脳の中枢部分と、神経−内分泌接続部、すなわち、神経系から脳又は脳下垂体によってホルモンが生成される場所への接続部から構成される視床下部−下垂体軸とに体内で接続する。本出願人は、ＡＢＴＴ１２がこの軸及び脳下垂体と接続することを認識し、更にＡＢＴＴ終端１０を通してこの軸を認識して検証し、本明細書に開示するもののような専用デバイス及び方法を用いてこの軸及び脳下垂体に対して影響を及ぼすことができることを認めた。このデバイスは、ある熱量、好ましくはセ氏３７．５度よりも高いか又はそれに等しい値に達する熱量を好ましくは１０分よりも長いか又はそれに等しい期間にわたってＡＢＴＴ終端１０に印加する保熱材料、熱電デバイス又はペルチェデバイス、及び赤外線発熱無接触デバイスなどを含むことができる温度変更デバイスを含むように構成される。熱量及び熱への露出持続時間は変化し、病期及び病種に依存することを理解しなければならない。この熱効果は、視床下部−下垂体軸及び脳下垂体への熱パイプとして機能するＡＢＴＴ１０を通して伝達され、熱発生の生成を低減するか又は熱発生に関するホルモンの生成を低減する必要性を示している。熱発生に関する主なホルモンは、甲状腺ホルモンであり、従って、このデバイス及び方法を通して甲状腺ホルモンの生成の低減を達成することができる。ＡＢＴＴ１２を通じた熱は、甲状腺放出ホルモン生成の低減を達成し、それによって甲状腺ホルモン生成が低減される。それとは逆に、ＡＢＴＴ終端１０からの熱の除去は、甲状腺放出ホルモン生成の増加をもたらす。例えば、例示的実施形態では、ＡＢＴＴ終端１０に熱を印加するためのシステムは、ホルモンの生成を低下させるために、ベースライン温度と比較してセ氏０．３度よりも大きいか又はそれに等しい量だけＡＢＴＴ終端１０での温度を上昇させることができる。同様に、ＡＢＴＴ終端１０から熱を除去するためのシステムは、ホルモンの生成を増大するために、ベースライン温度と比較してセ氏０．３度よりも大きいか又はそれに等しい量だけＡＢＴＴ終端１０での温度を低下させることができる。従って、本発明の開示のデバイス及び方法は、甲状腺機能亢進又はいずれかの甲状腺ホルモン増加を処置するために使用することができる。更に、一般的に甲状腺癌は、癌性組織を刺激する甲状腺ホルモンの存在による腫瘍の成長に関連付けられる。従って、本発明の開示の教示が提供する甲状腺ホルモンの低減は、甲状腺癌の処置に使用することができる。更に、本明細書では特定の処置実施形態を説明するが、ＡＢＴＴ終端１０での温度を上昇及び低下させる段階を他の障害を処置するために使用することができることを理解しなければならない。一例として、本発明の開示は、好ましくはセ氏３７．０度よりも高いか又はそれに等しい値に達する熱量の熱を好ましくは５分よりも長いか又はそれに等しい期間にわたって送出するデバイスによってアルツハイマー疾を処置するためのデバイス及び方法を更に提供する。更に、本発明の開示は、好ましくはセ氏３７．０度よりも高いか又はそれに等しい値に達する熱量の熱を好ましくは１０分よりも長いか又はそれに等しい期間にわたって送出するデバイスによってアルツハイマー疾を予防するためのデバイス及び方法を提供する。アルツハイマー病では熱量及び熱への露出持続時間は変化し、病期に依存することを理解しなければならない。
【００４２】
甲状腺ホルモンの生成を増加させ、様々な障害を処置するための別の実施形態は、ある熱量をＡＢＴＴ終端１０から除去し、この熱量を好ましくはセ氏３５度よりも低いか又はそれに等しい温度値を有するデバイスによって好ましくは３分よりも長いか又はそれに等しい期間にわたって除去する保熱材料、熱電デバイス又はペルチェデバイス、及び赤外線無接触デバイスなどのような温度変更デバイスを含むように構成されたデバイスを含む。更に、本発明の開示は、好ましくはセ氏３４．５度よりも低いか又はそれに等しい値に達する熱量の熱を好ましくは５分よりも長いか又はそれに等しい期間にわたって除去するデバイスによって多発性硬化症を処置するためのデバイス及び方法を提供する。
【００４３】
甲状腺ホルモンの生成を増加させ、様々な障害を処置するための別の実施形態は、熱をＡＢＴＴ終端１０から除去し、この熱量を好ましくはセ氏０．２度よりも大きいか又はそれに等しい量だけベースライン温度よりも低い温度値を有するデバイスによって好ましくは５分よりも長いか又はそれに等しい期間にわたって除去する保熱材料、及び熱電デバイス又はペルチェデバイスなどのような温度変更デバイスを含むように構成され、ベースライン値を識別し、セ氏０．２度よりも大きいか又はそれに等しい量だけベースライン温度よりも低い温度を達成するための温度制御信号を温度変更デバイスに送信することによって温度変更デバイスを作動させるように構成されたプロセッサを含むように構成されたデバイスを含む。
【００４４】
甲状腺ホルモンの生成を低減し、様々な障害を処置するための別の実施形態は、ある熱量をＡＢＴＴ終端１０に印加する保熱材料、熱電デバイス又はペルチェデバイス、及び赤外線無接触デバイスなどのような温度変更デバイスであって、この印加熱量を好ましくはセ氏０．２度よりも大きいか又はそれに等しい量だけベースライン温度よりも高い温度値を有する温度変更デバイスによって好ましくは１０分よりも長いか又はそれに等しい期間にわたって印加する上記温度変更デバイスを含むように構成され、ベースライン値を識別し、セ氏０．２度よりも大きいか又はそれに等しい量だけベースライン温度よりも高い温度を達成するように温度変更デバイスを作動させるように構成されたプロセッサを含むように構成されたデバイスを含む。
【００４５】
本発明の開示のデバイス及び方法に従って他のホルモンを活性化すること、すなわち、ホルモンの生成を増加又は低減することができることを理解しなければならない。本発明の開示のデバイス及び方法に従って空腹、快楽、疼痛、睡眠、熱のような他の視床下部中枢及び視交又上核を刺激又は抑制することができることも理解しなければならない。更に、本発明の開示は、好ましくはセ氏３４度よりも低いか又はそれに等しい値に達する熱量の熱を好ましくは２０分よりも長いか又はそれに等しい期間にわたって除去するデバイスによって肥満を処置するため及び／又は空腹中枢の抑制のためのデバイス及び方法を提供する。更に、本発明の開示は、好ましくはセ氏３４度よりも低いか又はそれに等しい値に達する熱量の熱を好ましくは１５分よりも長いか又はそれに等しい期間にわたって除去するデバイスによって疼痛を処置するため及び／又は疼痛中枢の抑制のためのデバイス及び方法を提供する。
【００４６】
心拍数、血圧、血流量、酸素濃度及び酸素飽和度、並びに二酸化炭素及び他のガスに加えてグルコース濃度などのような身体の化学量。脳温が最適脳熱域から外れるように変更された熱力学状態は、心循環系の変化をもたらす場合があり、腫瘍形成及び／又は神経病態を識別することができる。別の実施形態では、本発明の開示の二重感知システムは、１又は２以上のＡＢＴＴ終端１０で心拍数を検出して一方の区域において検出された心拍を反対側と比較した差が異常な熱力学状態及び／又は血栓塞栓突起を示す両側心拍検出システムを含む。一例として、右の心循環系又は大脳系において血栓塞栓突起が発生している時には、右ＡＢＴＴ終端１０での心拍数が左ＡＢＴＴ終端１０と６０秒当たり１拍又は２拍以上の量だけ異なる。別の実施形態では、本発明の開示の二重感知システムは、ＡＢＴＴ終端１０で血圧を検出して一方の区域において検出された血圧を反対側と比較した差が異常な熱力学状態、腫瘍形成、及び／又は血栓塞栓突起を示す両側血圧検出システムを含む。一例として、右の大脳系において腫瘍形成又は血栓突起が発生している時には、右ＡＢＴＴ終端１０での血圧が左ＡＢＴＴ終端１０での血圧とは収縮期又は拡張期のいかなる血圧に関しても５ｍｍＨｇよりも大きいか又はそれに等しい量だけ異なる。別の実施形態では、本発明の開示の二重感知システムは、ＡＢＴＴ終端１０で酸素濃度又は飽和度を検出して一方の区域において検出された酸素濃度又は飽和度を反対側と比較した差が異常な熱力学状態、腫瘍形成、神経機能不全、及び／又は血管突起を示す両側酸素検出システムを含む。一例として、右の大脳系において外傷性脳損傷が発生している時には、右ＡＢＴＴ終端１０での酸素は左ＡＢＴＴ終端１０と異なり、右ＡＢＴＴ終端１０は９４％に等しいか又はそれよりも低い酸素飽和度を有し、それに対して左ＡＢＴＴ終端１０は９５％と１００％の間の酸素飽和度を有する。右の大脳系において重度の外傷性脳損傷又は脳卒中が発生している時には、右ＡＢＴＴ終端１０での酸素は左ＡＢＴＴ終端１０と異なり、右ＡＢＴＴ終端１０は９１％に等しいか又はそれよりも低い酸素飽和度を有し、それに対して左ＡＢＴＴ終端１０は９５％と１００％の間の酸素飽和度を有する。右の大脳系において重度の脳卒中が発生している時には、右ＡＢＴＴ終端１０での酸素は左ＡＢＴＴ終端１０と異なり、右ＡＢＴＴ終端１０は８６％よりも低いか又はそれに等しい酸素飽和度を有し、それに対して左ＡＢＴＴ終端１０は９５％と１００％の間の酸素飽和度を有する。別の実施形態では、本発明の開示の二重感知システムは、ＡＢＴＴ終端１０でグルコース濃度を検出して一方の区域において検出されたグルコース濃度を反対側と比較した差が異常な熱力学状態、腫瘍形成、神経病態、及び／又は血管突起を示す両側グルコース検出システムを含む。一例として、右脳において腫瘍形成が発生している時には、右ＡＢＴＴ終端１０でのグルコース濃度は左ＡＢＴＴ終端１０と異なり、右ＡＢＴＴ終端１０は、左ＡＢＴＴ終端１０でのグルコース濃度と比較して３ｍｇ／ｄｌよりも大きいか又はそれに等しいグルコース濃度を有する。図２０は、ＡＢＴＴ終端１０に結合することができ、グルコースを測定するための分光計９４２と、酸素負荷を測定するための光源及び光検出器９４４と、血圧及び脈拍数を測定するための圧力板９４６と、同じく血圧及び脈拍数を測定するための圧電センサ９４８とを含む例示的な測定デバイスを示している。当然ながらそのようなデバイスは例示的であり、ＡＢＴＴ終端から複数の同時測定値を取得するために温度センサと組み合わせるか又は互いを組み合わせることができる。
【００４７】
脳損傷又は脳震盪の病歴を有する人において、一方のＡＢＴＴ終端１０だけにおけるセ氏０．１５度よりも大きいか又はそれに等しい温度上昇は、当該側における軽度の外傷性脳損傷を示している。脳損傷又は脳震盪の病歴を有する人において、片側のＡＢＴＴ終端１０でのセ氏０．２５度よりも大きいか又はそれに等しい温度上昇は、当該側の中度の外傷性脳損傷を示すことを理解しなければならない。脳損傷又は脳震盪の病歴を有する人において、片側のＡＢＴＴ終端１０でのセ氏０．３５度よりも大きいか又はそれに等しい温度上昇は、当該側の重度の外傷性脳損傷を示すことを理解しなければならない。血管異常又はアテローム性動脈硬化の病歴を有する人において、片側のＡＢＴＴ終端１０でのセ氏０．１度よりも大きいか又はそれに等しい温度上昇は、当該側の初期の外傷性脳損傷を示すことを理解しなければならない。脳損傷又は脳震盪の病歴を有する人において、ベースライン温度が「ｂ」という値を有し、片側で反対側と比較して「ｂ」温度レベルに対してセ氏０．１５度強とセ氏０．２５度弱の間の温度上昇が存在する場合に、「ｂ」の絶対値とは無関係に当該側の外傷性脳損傷が示されている。脳損傷又は脳震盪の病歴を有する人において、ベースライン温度が「ｂ」という値を有し、片側で反対側と比較して「ｂ」温度レベルに対してセ氏０．２５度に等しいか又はそれよりも高い温度上昇が存在する場合に、「ｐ」の絶対値とは無関係に重度の外傷性脳損傷が示されている。
【００４８】
図２０は、ＡＢＴＴ終端又は他の身体領域に存在するデータ、情報、又は特性を取得又は測定することができて、グルコースを測定するための分光計９４２と、酸素負荷を測定するための光源及び光検出器９４４と、血圧及び脈拍数を測定するための圧力板９４６と、同じく血圧及び脈拍数を測定するための圧電センサ９４８とを含む追加の測定デバイスを示している。
【００４９】
図９は、全体的に２５０で示す本発明の開示の例示的実施形態による甲状腺障害及び他の障害に対する第１の処置過程を示している。ＡＢＴＴ１２の端部は、視床下部と呼ばれる脳の中枢部分と、神経−内分泌接続部、すなわち、神経系から脳（又は脳下垂体）によってホルモンが生成される場所への接続部から構成される視床下部−下垂体軸とに体内で接続する。本出願人は、ＡＢＴＴ１２がこの軸及び脳下垂体と接続することを認識し、更にＡＢＴＴを通してこの軸を認識して検証し、ＡＢＴＴ終端１０に熱を供給するように構成された本明細書に開示するもののような専用デバイスを用いてこの軸及び脳下垂体に対して影響を及ぼすことができることを認めた。このデバイスは、ある熱量、好ましくはセ氏３７．５度よりも高いか又はそれに等しい値に達する熱量を好ましくは１０分よりも長いか又はそれに等しい期間にわたってＡＢＴＴ１２に印加する保熱材料、熱電デバイス、ペルチェデバイス、及び赤外線発熱無接触デバイスなどを含む熱入力を含む。この熱効果は、上述の軸及び脳下垂体にＡＢＴＴ１２熱パイプを通じて伝達され、熱発生を低減する必要性又は熱発生に関するホルモンの生成を低減する必要性を示している。熱発生に関する主なホルモンは、甲状腺ホルモンであり、従って、このデバイス及び過程２５０の方法を通して甲状腺ホルモンの生成の低減を達成することができる。ＡＢＴＴ１２を通じた熱は、甲状腺放出ホルモン生成の低減を達成し、それによって甲状腺ホルモン生成が低減される。従って、過程２５０の方法及び関連のデバイスは、甲状腺機能亢進又はいずれかの甲状腺ホルモン増加を処置するために使用することができる。更に、一般的に甲状腺癌は、癌性組織を刺激する甲状腺ホルモンの存在による腫瘍の成長に関連付けられる。従って、本発明の開示が提供する甲状腺ホルモンの低減は、甲状腺癌の処置に使用することができる。
【００５０】
過程２５０は、システムの制御デバイス、温度センサ、及び他の電子要素を初期化する段階、及び非一時的メモリから比較のためのプログラム及び予め決められた値をロードする段階などを含むことができる開始過程２５２で始まる。開始過程２５２が完了した状態で、制御は、開始過程２５２から熱出力過程２５４に移る。
【００５１】
熱出力過程２５４では、少なくとも１つのＡＢＴＴインタフェース面６６に熱を供給するために、温度変更デバイス６４のような１又は２以上の温度変更デバイスが起動又は給電される。初期温度は、セ氏３７．５度のような予め決められた値とすることができる。熱を発生させている時に、温度センサ６２のような温度センサは、少なくとも１つのＡＢＴＴ終端１０の温度を同時に測定することができる。ＡＢＴＴ終端１０は温度センサの場所に対して理想的な場所であり、身体内の他の場所はＡＢＴＴ終端１０と同じ精度及び精度を有することにはならないが、ＡＢＴＴ終端１０に熱を印加する段階又はＡＢＴＴ終端１０から熱を除去する段階による温度変化をモニタするのに身体の面上又は体内の他の場所に位置付けられた温度センサを使用することができ、面センサ又は体内センサを本発明の開示のあらゆる実施形態に適用することができることを理解しなければならない。更に、身体の面上と体内の両方にある身体の他の部分内に位置付けられたセンサが本発明の開示の範囲にあり、脳と皮膚面の脱結合、及び脳と身体の体内部分の間の脱結合に関する情報を提供する。熱出力過程２５４が完了した状態で、制御は、過程２５４から予め決められた温度判断過程２５６に移る。
【００５２】
予め決められた温度判断過程２５６では、関連のＡＢＴＴ終端１０の温度が、図９の例示的実施形態ではセ氏３７．５度である予め決められた温度に達しているか否かに関する決定が行われる。ＡＢＴＴ終端１０の温度が予め決められた温度よりも高くなく、かつそれに等しくない場合に、制御は、判断過程２５６から出力温度上昇過程２５８に移る。ＡＢＴＴ終端１０の温度が予め決められた温度よりも高いか又はそれに等しい場合に、制御は、判断過程２５６から経過時間判断過程２６０に移る。
【００５３】
経過時間判断過程２６０では、予め決められた時間が経過したか否かの決定が行われる。図９の実施形態では１０分である予め決められた時間が経過した場合に、制御は、経過時間判断過程２６０から終了過程２６２に移り、そこで過程２５０が完了したという通知をユーザ又はオペレータに提供することができる。そのような通知は、例えば、ディスプレイ、振動、又は可聴音を通じたものとすることができる。依然として予め決められた時間が経過していない場合に、制御は、経過時間が予め決められた時間間隔よりも長くなるか又はそれに等しくなるまで経過時間判断過程２６０にループして戻ることによって経過時間判断過程２６０に留まる。
【００５４】
図１０は、全体的に３００で示す本発明の開示の例示的実施形態による甲状腺障害及び他の障害に対する第２の処置過程を示している。視床下部に対して影響を及ぼすための又は甲状腺ホルモンの生成を低下させるためのこの実施形態は、ある熱量をＡＢＴＴ終端１０に供給する保熱材料、熱電デバイス、ペルチェデバイス、及び赤外線無接触デバイスなどのような熱入力デバイス、熱入力装置、又は熱入力機構であって、この追加熱量を好ましくはセ氏３７．２度よりも高いか又はそれに等しい温度値を有するデバイスによって好ましくは１０秒よりも長いか又はそれに等しい期間にわたって追加する上記熱入力デバイス、熱入力装置、又は熱入力機構を含み、セ氏３７．２度よりも高いか又はそれに等しい温度を達成するように温度変更デバイスを起動するコントローラを有するデバイスを含む。
【００５５】
過程３００は、システムの制御デバイス、温度センサ、及び他の電子要素を初期化する段階、及び非一時的メモリから比較のためのプログラム及び予め決められた値をロードする段階などを含むことができる開始過程３０２で始まる。開始過程３０２が完了した状態で、制御は、開始過程３０２から熱出力判断過程３０４に移る。
【００５６】
熱出力判断過程３０４では、少なくとも１つのＡＢＴＴインタフェース面６６に熱を供給するために、温度変更デバイス６４のような１又は２以上の温度変更デバイスが起動又は給電される。初期温度は、セ氏３７．２度のような予め決められた値とすることができる。熱を発生させている時に、温度センサ６２のような温度センサは、少なくとも１つのＡＢＴＴ終端１０の温度を同時に測定することができる。熱出力判断過程３０４が完了した状態で、制御は、過程３０４から予め決められた温度過程３０６に移る。
【００５７】
予め決められた温度過程３０６では、関連のＡＢＴＴ終端１０の温度が、図１０の例示的実施形態ではセ氏３７．２度である予め決められた温度に達しているか否かに関する決定が行われる。ＡＢＴＴ終端１０の温度が予め決められた温度よりも高くなく、かつそれに等しくない場合に、制御は、過程３０６から出力温度上昇過程３０８に移る。ＡＢＴＴ終端１０の温度が予め決められた温度よりも高いか又はそれに等しい場合に、制御は、過程３０６から経過時間判断過程３１０に移る。
【００５８】
経過時間判断過程３１０では、予め決められた時間が経過したか否かの決定が行われる。図１０の実施形態では１０秒である予め決められた時間が経過した場合に、制御は、経過時間判断過程３１０から終了過程３１２に移り、そこで過程３００が完了したという通知をユーザ又はオペレータに提供することができる。そのような通知は、例えば、ディスプレイ、振動、又は可聴音を通じたものとすることができる。依然として予め決められた時間が経過していない場合に、制御は、経過時間が予め決められた時間間隔よりも長くなるか又はそれに等しくなるまで経過時間判断過程３１０にループして戻ることによって経過時間判断過程３１０に留まる。
【００５９】
図１１は、全体的に３５０で示す本発明の開示の例示的実施形態による甲状腺障害及び他の障害に対する第３の処置過程を示している。甲状腺ホルモンの生成を増大するためのこの実施形態は、ある熱量をＡＢＴＴ終端１０から除去する被冷却保熱材料、及び熱電デバイス又はペルチェデバイスなどのようなＡＢＴＴ終端１０から熱を除去することができ、この熱を好ましくはセ氏３６．２度よりも高いか又はそれに等しい温度値を有するデバイスによって好ましくは２分よりも長いか又はそれに等しい期間にわたって除去するデバイスを含むデバイスを含む。
【００６０】
過程３５０は、システムの制御デバイス、温度センサ、及び他の電子要素を初期化する段階、及び非一時的メモリから比較のためのプログラム及び予め決められた値をロードする段階などを含むことができる開始過程３５２で始まる。開始過程３５２が完了した状態で、制御は、開始過程３５２から熱除去過程３５４に移る。
【００６１】
熱除去過程３５４では、少なくとも１つのＡＢＴＴインタフェース面６６から熱を除去するために、温度変更デバイス６４のような１又は２以上の温度変更デバイスが起動又は給電される。ＡＢＴＴインタフェース面６６の初期温度は、セ氏３６．２度のような予め決められた値とすることができる。熱が除去されている時に、温度センサ６２のような温度センサは、少なくとも１つのＡＢＴＴ終端１０の温度を同時に測定することができる。熱除去過程３５４が完了した状態で、制御は、過程３５４から予め決められた温度判断過程３５６に移る。
【００６２】
予め決められた温度判断過程３５６では、関連のＡＢＴＴ終端１０の温度が、図１１の例示的実施形態ではセ氏３６．２度である予め決められた温度に達しているか否かに関する決定が行われる。ＡＢＴＴ終端１０の温度が予め決められた温度よりも低くなく、かつそれに等しくない場合に、制御は、判断過程３５６から出力温度低下過程３５８に移る。ＡＢＴＴ終端１０の温度が予め決められた温度よりも低いか又はそれに等しい場合に、制御は、判断過程３５６から経過時間判断過程３６０に移る。
【００６３】
経過時間判断過程３６０では、予め決められた時間が経過したか否かの決定が行われる。図１１の実施形態では２分である予め決められた時間が経過した場合に、制御は、経過時間判断過程３６０から終了過程３６２に移り、そこで過程３５０が完了したという通知をユーザ又はオペレータに提供することができる。そのような通知は、例えば、ディスプレイ、振動、又は可聴音を通じたものとすることができる。依然として予め決められた時間が経過していない場合に、制御は、経過時間が予め決められた時間間隔よりも長くなるか又はそれに等しくなるまで経過時間判断過程３６０にループして戻ることによって経過時間判断過程３６０に留まる。
【００６４】
図１２は、全体的に４００で示す本発明の開示の例示的実施形態による甲状腺障害及び他の障害に対する第４の処置過程を示している。甲状腺ホルモンの生成を増大するためのこの実施形態は、ある熱量をＡＢＴＴ終端１０から除去する被冷却保熱材料、及び熱電デバイス又はペルチェデバイスなどのようなＡＢＴＴ終端１０から熱を除去することができ、この熱を好ましくはセ氏３６．０度よりも低いか又はそれに等しい温度値を有するデバイスによって好ましくは２分よりも長いか又はそれに等しい期間にわたって除去するデバイスを含むデバイスを含む。
【００６５】
過程４００は、システムの制御デバイス、温度センサ、及び他の電子要素を初期化する段階、及び非一時的メモリから比較のためのプログラム及び予め決められた値をロードする段階などを含むことができる開始過程４０２で始まる。開始過程４０２が完了した状態で、制御は、開始過程４０２から熱除去過程４０４に移る。
【００６６】
熱除去過程４０４では、少なくとも１つのＡＢＴＴインタフェース面６６から熱を除去するために、温度変更デバイス６４のような１又は２以上の温度変更デバイスが起動又は給電される。ＡＢＴＴインタフェース面６６の初期温度は、セ氏３６．０度のような予め決められた値とすることができる。熱が除去されている時に、温度センサ６２のような温度センサは、少なくとも１つのＡＢＴＴ終端１０の温度を同時に測定することができる。熱除去過程４０４が完了した状態で、制御は、過程４０４から予め決められた温度判断過程４０６に移る。
【００６７】
予め決められた温度判断過程４０６では、関連のＡＢＴＴ終端１０の温度が、図１２の例示的実施形態ではセ氏３６．０度である予め決められた温度に達しているか否かに関する決定が行われる。ＡＢＴＴ終端１０の温度が予め決められた温度よりも低くなく、かつそれに等しくない場合に、制御は、判断過程４０６から出力温度低下過程４０８に移る。ＡＢＴＴ終端１０の温度が予め決められた温度よりも低いか又はそれに等しい場合に、制御は、判断過程４０６から経過時間判断過程４１０に移る。
【００６８】
経過時間判断過程４１０では、予め決められた時間が経過したか否かの決定が行われる。図１２の実施形態では２分である予め決められた時間が経過した場合に、制御は、経過時間判断過程４１０から終了過程４１２に移り、そこで過程４００が完了したという通知をユーザ又はオペレータに提供することができる。そのような通知は、例えば、ディスプレイ、振動、又は可聴音を通じたものとすることができる。依然として予め決められた時間が経過していない場合に、制御は、経過時間が予め決められた時間間隔よりも長くなるか又はそれに等しくなるまで経過時間判断過程４１０にループして戻ることによって経過時間判断過程４１０に留まる。
【００６９】
図１３は、全体的に４５０で示す本発明の開示の例示的実施形態による甲状腺障害及び他の障害に対する第５の処置過程を示している。甲状腺ホルモンの生成を増大するためのこの実施形態は、熱をＡＢＴＴ終端１０から除去することができる冷却可能保熱材料、及び熱電デバイス又はペルチェデバイスなどのようなＡＢＴＴ終端１０からの熱の除去のためのデバイスであって、この熱を好ましくはベースライン温度と比較してセ氏０．２度よりも低いか又はそれに等しい温度値を有するデバイスによって好ましくは１分よりも長いか又はそれに等しい期間にわたって除去する上記デバイスを含み、ベースライン値を識別し、ベースライン温度と比較してセ氏０．２度よりも低いか又はそれに等しい温度を達成するように熱除去デバイス又は熱除去装置を起動するコントローラを有するデバイスを含む。代替実施形態では、この期間を本明細書で説明するように３分よりも長いか又はそれに等しいもの、１０分よりも長いか又はそれに等しいもののような長めとすることができる。
【００７０】
過程４５０は、システムの制御デバイス、温度センサ、及び他の電子要素を初期化する段階、及び非一時的メモリから比較のためのプログラム及び予め決められた値をロードする段階などを含むことができる開始過程４５２で始まる。開始過程４５２が完了した状態で、制御は、開始過程４５２から受信温度入力過程４５４に移る。
【００７１】
温度入力過程４５４では、温度センサ６２のような１又は２以上の温度センサからの温度信号が受信される。本明細書で説明するように、ＡＢＴＴ終端１０の温度を表すそのような信号は、１つのＡＢＴＴ終端１０からのもの又は２つのＡＢＴＴ終端１０からのものとすることができる。温度信号が受信された状態で、制御は、温度入力過程４５４からベースライン確立判断過程４５６に移る。
【００７２】
ベースライン確立判断過程４５６では、ベースライン温度を確立するほど十分な温度情報を受信したか否かをプロセッサ６８のようなプロセッサが決定する。依然として十分な情報が受信されていない場合に、制御は、ベースライン確立判断過程４５６から受信温度入力過程４５４に移る。少なくとも２分のようなある間隔にわたる平均温度と考えるべきベースライン温度を確立するほど十分な温度情報を受信した場合に、制御は、ベースライン確立判断過程４５６から左／右優性確立過程４５８に移る。
【００７３】
本出願人は、右又は左優性がＡＢＴＴ終端１０の温度に影響を及ぼすことを認識して検証した。右利きの人では、左ＡＢＴＴ終端１０が右ＡＢＴＴ終端１０よりも高い温度を有する。左利きの人では、右ＡＢＴＴ終端１０が左ＡＢＴＴ終端１０よりも高い温度を有する。本発明の開示のシステムは、優性側に関する情報を入力するための入力装置を含むように構成することができ、システムプロセッサは、優性側を決定するために受信温度情報を解析することができ、又は優性を決定するために手書きにおいて優性側を決定することのような他の検証技術を使用することができる。従って、過程４５０は、優性を決定するために手書き入力を可能にするための電子パッドなどを含むように構成されたシステム上に実施することができる。過程４５８では、そのような優性は、解析、検証、又は入力によって確立される。優性が確立された状態で、制御は、左／右優性確立過程４５８から左利き判断過程４６０に移る。
【００７４】
左利き判断過程４６０では、被検者又は患者が左利きではない場合に、制御は温度判断過程４６２に移る。被検者又は患者が左利きである場合に、制御は温度判断過程４７０に移る。
【００７５】
温度判断過程４６２において、過程４５０は、右ＡＢＴＴ終端１０での温度がセ氏３６．０度よりも低いか又はそれに等しく、かつ左ＡＢＴＴ終端１０の温度が右ＡＢＴＴ終端１０の温度マイナスセ氏０．２度よりも低いか又はそれに等しいか否かを決定する。判断過程４６２の条件が満たされない場合に、制御は、デバイス６４のような温度変更デバイスの温度を低下させる温度調節過程４６４に移る。次に、制御は、受信温度入力過程４７４に移る。
【００７６】
受信温度入力過程４７４では、例えば、１又は２以上の温度センサ６２から温度信号が受信される。温度信号が受信された状態で、制御は、上述のように機能する温度判断過程４６２に移る。
【００７７】
温度判断過程４６２の条件が満たされた状態で、制御は、過程４６２から経過時間過程４６６に移る。経過時間過程４６６では、予め決められた間隔が経過したか否かの決定が行われる。例示的実施形態では、予め決められた間隔は少なくとも１分である。別の例示的実施形態では、予め決められた間隔は少なくとも１０分である。予め決められた間隔が経過した場合に、制御は、経過時間過程４６６から終了過程４６８に移り、そこで過程４５０が完了したという通知をユーザ又はオペレータに提供することができる。そのような通知は、例えば、ディスプレイ、振動、又は可聴音を通じたものとすることができる。依然として予め決められた時間が経過していない場合に、制御は、経過時間が予め決められた時間間隔よりも長くなるか又はそれに等しくなるまで経過時間判断過程４６６にループして戻ることによって経過時間判断過程４６６に留まる。
【００７８】
温度判断過程４７０に戻ると、過程４５０は、左ＡＢＴＴ終端１０での温度がセ氏３６．０度よりも低いか又はそれに等しく、かつ右ＡＢＴＴ終端１０の温度が左ＡＢＴＴ終端１０の温度マイナスセ氏０．２度よりも低いか又はそれに等しいか否かを決定する。判断過程４７０の条件が満たされない場合に、制御は、デバイス６４のような温度変更デバイスの温度を低下させる温度調節過程４７２に移る。次に、制御は、受信温度入力過程４７６に移る。
【００７９】
受信温度入力過程４７６では、例えば、１又は２以上の温度センサ６２から温度信号が受信される。温度信号が受信された状態で、制御は温度判断過程４７０に移る。温度判断過程４７０の条件が満たされた状態で、制御は、過程４７０から上述のように機能する経過時間判断過程４６６に移る。
【００８０】
図１４は、全体的に５００で示す本発明の開示の例示的実施形態による甲状腺障害及び他の障害に対する第６の処置過程を示している。視床下部に対して影響を及ぼすため又は甲状腺ホルモンの生成を増大するためのこの実施形態は、ある熱量をＡＢＴＴ終端１０から除去する被冷却保熱材料、及び熱電デバイス又はペルチェデバイスなどのようなＡＢＴＴ終端１０から熱を除去することができるデバイスであって、この熱を好ましくはセ氏３５．７度よりも低いか又はそれに等しい温度値を有するデバイスによって好ましくは１秒よりも長いか又はそれに等しい期間にわたって除去する上記デバイスを含み、ベースライン値を識別し、セ氏３５．７度よりも低いか又はそれに等しい温度を達成するように熱除去デバイス又は熱除去装置を作動させるプロセッサ６８のようなプロセッサを含むデバイスを含む。
【００８１】
過程５００は、システムの制御デバイス、温度センサ、及び他の電子要素を初期化する段階、及び非一時的メモリから比較のためのプログラム及び予め決められた値をロードする段階などを含むことができる開始過程５０２で始まる。開始過程５０２が完了した状態で、制御は、開始過程５０２から熱除去過程５０４に移る。
【００８２】
熱除去過程５０４では、少なくとも１つのＡＢＴＴインタフェース面６６から熱を除去するために、温度変更デバイス６４のような１又は２以上の温度変更デバイスが起動又は給電される。ＡＢＴＴインタフェース面６６の初期温度は、セ氏３０．０度のような予め決められた値とすることができる。熱が除去されている時に、温度センサ６２のような温度センサは、少なくとも１つのＡＢＴＴ終端１０の温度を同時に測定することができる。熱除去過程５０４が完了した状態で、制御は、過程５０４から予め決められた温度判断過程５０６に移る。
【００８３】
予め決められた温度判断過程５０６では、関連のＡＢＴＴ終端１０の温度が、図１４の例示的実施形態ではセ氏３５．７度である予め決められた温度に達しているか否かに関する決定が行われる。ＡＢＴＴ終端１０の温度が予め決められた温度よりも低くなく、かつそれに等しくない場合に、制御は、判断過程５０６から出力温度低下過程５０８に移る。ＡＢＴＴ終端１０の温度が予め決められた温度よりも低いか又はそれに等しい場合に、制御は、判断過程５０６から経過時間判断過程５１０に移る。経過時間判断過程５１０では、予め決められた時間が経過したか否かの決定が行われる。図１４の実施形態では１秒である予め決められた時間が経過した場合に、制御は、経過時間判断過程５１０から終了過程５１２に移り、そこで過程５００が完了したという通知をユーザ又はオペレータに提供することができる。そのような通知は、例えば、ディスプレイ、振動、又は可聴音を通じたものとすることができる。依然として予め決められた時間が経過していない場合に、制御は、経過時間が予め決められた時間間隔よりも長くなるか又はそれに等しくなるまで経過時間判断過程５１０にループして戻ることによって経過時間判断過程５１０に留まる。
【００８４】
図１５は、全体的に５５０で示すいくつかの点で図１３の実施形態と類似の本発明の開示の例示的実施形態による甲状腺障害及び他の障害に対する第７の処置過程を示している。甲状腺ホルモンの生成を増加又は低下させるためのこの実施形態は、本明細書で説明するようにＡＢＴＴ終端１０に熱を追加するか又はそこから熱を除去することができる熱電デバイス又はペルチェデバイスのようなＡＢＴＴ終端１０に熱を追加するか又はそこから熱を除去することができるデバイスを含む。
【００８５】
図１５の実施形態は、ＡＢＴＴ終端１０での温度をセ氏０．２度よりも大きいか又はそれに等しい量だけベースライン温度よりも高い温度値に上昇させることによってアルツハイマー病を予防又は処置するか又は高熱を処置するように構成される。
【００８６】
更に、図１５の実施形態は、ＡＢＴＴ終端１０での温度をセ氏０．２度よりも大きいか又はそれに等しい量だけベースライン温度よりも低い温度値に低下させることによってパーキンソン病を予防又は処置し、外傷性脳損傷を予防又は処置し、更に乳幼児突然死症候群（ＳＩＤＳ）を予防又は処置するように構成される。
【００８７】
過程５５０は、システムの制御デバイス、温度センサ、及び他の電子要素を初期化する段階、及び非一時的メモリから比較のためのプログラム及び予め決められた値をロードする段階などを含むことができる開始過程５５２で始まる。開始過程５５２が完了した状態で、制御は、開始過程５５２から受信温度入力過程５５４に移る。
【００８８】
温度入力過程５５４では、温度センサ６２のような１又は２以上の温度センサからの温度信号が受信される。本明細書で説明するように、そのような信号は、１つのＡＢＴＴ終端１０からのもの又は２つのＡＢＴＴ終端１０からのものとすることができる。温度信号が受信された状態で、制御は、温度入力過程５５４からベースライン確立判断過程５５６に移る。
【００８９】
ベースライン確立判断過程５５６では、ベースライン温度を確立するほど十分な温度情報を受信したか否かをプロセッサ６８のようなプロセッサが決定する。依然として十分な情報が受信されていない場合に、制御は、ベースライン確立判断過程５５６から受信温度入力過程５５４に移る。少なくとも２分のようなある間隔にわたる平均温度と考えるべきベースライン温度を確立するほど十分な温度情報を受信した場合に、制御は、ベースライン確立判断過程５５６からオペレータ入力過程５５８に移る。
【００９０】
オペレータ入力過程５５８では、ホルモン生成を増大すること又は低下させることのいずれをシステムが行う必要があるかをオペレータ又はユーザが入力する。オペレータ入力過程５５８が完了した状態で、制御は、オペレータ入力過程５５８から甲状腺生成増大判断過程５６０に移る。
【００９１】
甲状腺生成物増加判断過程５６０において、ホルモン生成が増大されることになる場合に、制御は熱除去過程５７２に移る。ホルモン生成を低下させるべきである場合に、制御は、判断過程５６０から熱印加過程５６２に移る。
【００９２】
熱印加過程５６２では、１又は２以上のＡＢＴＴ終端１０に熱を印加するためにデバイス６４のような１又は２以上の温度変更デバイスの温度が上昇される。次に、制御は、熱印加過程５６２から温度判断過程５６４に移る。
【００９３】
温度判断過程５６４では、各ＡＢＴＴ終端１０の温度がベースライン温度プラスセ氏０．２度よりも高いか又はそれに等しいか否かが決定される。温度がこの値よりも低い場合に、制御は、温度上昇過程５７０に移る。温度がこの値よりも高いか又はそれに等しい場合に、制御は、判断過程５６４から時間経過判断過程５６６に移る。
【００９４】
時間経過判断過程５６６では、熱印加の経過時間が１分のような予め決められた期間よりも長いか又はそれに等しい時間に達しているか否かが決定される。予め決められた経過時間に達している場合に、制御は終了過程５６８に移り、そこで過程５５０は終了する。経過時間が予め決められた期間よりも短い場合に、制御は、予め決められた間隔に達するまで時間経過判断過程５６６にループして戻る。
【００９５】
温度上昇過程５７０に戻ると、温度変更デバイスの温度は、セ氏０．１度のような予め決められた量だけ増大される。次に、制御は、温度上昇過程５７０から上述のように機能する温度判断過程５６４に移る。
【００９６】
ここで熱除去過程５７２に戻ると、ホルモン生成を増大するためにＡＢＴＴ終端１０から熱を除去するように温度変更デバイスが起動される。温度変更デバイスの初期温度は、ベースライン温度又はベースライン温度マイナスセ氏０．２度、又は別の値とすることができる。熱除去過程５７２が完了した状態で、制御は温度判断過程５７４に移る。
【００９７】
温度判断過程５７４では、各ＡＢＴＴ終端１０の温度がベースライン温度マイナスセ氏０．２度よりも低いか又はそれに等しいか否かが決定される。温度がこの値よりも高い場合に、制御は温度低下過程５７６に移る。温度がこの値よりも低いか又はそれに等しい場合に、制御は、判断過程５７４から時間経過判断過程５７８に移る。
【００９８】
時間経過判断過程５７８では、熱除去の経過時間が２分のような予め決められた期間よりも長いか又はそれに等しい時間に達しているか否かが決定される。予め決められた経過時間に達している場合に、制御は、上記で記述した終了過程５６８に移る。経過時間が予め決められた期間よりも短い場合に、制御は、予め決められた間隔に達するまで時間経過判断過程５７８にループして戻る。
【００９９】
温度低下過程５７６に戻ると、温度変更デバイスの温度が、セ氏０．１度のような予め決められた量だけ低下される。次に、制御は、温度低下過程５７６から上述のように機能する温度判断過程５７４に移る。
【０１００】
図１６Ａ〜図１６Ｇは、全体的に６００で示す本発明の開示の例示的実施形態による診断過程を示している。過程６００は、以下の説明から明らかなように複数の病態を検出するように構成される。本明細書で提供する説明から、本発明の開示が、本明細書に開示するデバイス、装置、及びシステムを使用する測定と期間との様々な組合せによって病態を検出及び識別することを意図していることを理解しなければならない。それに即して、図１６Ａ〜図１６Ｇが、本明細書の他の箇所で開示する組合せの一部分を表すことを理解しなければならない。過程６００は、システムの制御デバイス、温度センサ、及び他の電子要素を初期化する段階、及び非一時的メモリから比較のためのプログラム及び予め決められた値をロードする段階などを含むことができる開始過程６０２で始まる。開始過程６０２が完了した状態で、制御は、開始過程６０２から受信温度入力過程６０４に移る。
【０１０１】
受信温度入力過程６０４では、センサ６２のような温度センサから温度信号が受信される。温度データが受信された状態で、制御は、温度入力過程６０４から周囲温度受信過程６０６に移る。
【０１０２】
周囲温度受信過程６０６では、患者又は被検者の周囲温度に関する温度が、従来の温度センサ（図示せず）から受信される。周囲温度が受信された状態で、制御は、時間情報受信過程６０８に移る。
【０１０３】
時間情報受信過程６０８では、現在時刻データが受信される。そのようなデータは、外部ソース、プロセッサ６８、又は別のソースから来るとすることができる。時間情報が受信された状態で、制御は、時間情報過程６０８からベースライン確立判断過程６１０に移る。
【０１０４】
ベースライン確立判断過程６１０において、過程６００は、ＡＢＴＴ終端１０に関するベースライン温度を確立するほど十分な温度情報が取得されたか否かを決定する。十分な情報が利用可能である場合に、制御は、ベースライン確立判断過程６１０から左／右優性確立過程６１２に移る。不十分な情報しか利用可能ではない場合に、制御は、上述のように機能する温度センサ入力受信過程６０４に移る。
【０１０５】
左／右優性確立過程６１２において、過程６００は、以前に取得した温度情報を用いてどちらのＡＢＴＴ終端１０が優性ＡＢＴＴ終端１０であるかを決定する。そのような情報は、ユーザ又はオペレータの入力又は上記で記述した検証によって取得することができる。左／右優性が決定された状態で、制御は、左／右優性確立過程６１２から予め決められた温度上昇判断過程６２４に移る。
【０１０６】
温度上昇判断過程６２４では、いずれのＡＢＴＴ終端の温度がセ氏０．２度よりも大きいか又はそれに等しい量だけ増大したか否かが決定される。温度がこの予め決められた量だけ増大した場合に、制御は、温度上昇判断過程６２４から経過時間判断過程６２６に移る。一方のＡＢＴＴ終端１０の温度だけがセ氏０．２度よりも大きいか又はそれに等しく増大しなかった場合に、制御は、温度上昇過程６２４から温度低下判断過程６３２に移る。
【０１０７】
経過時間判断過程６２６において、過程６００は、温度測定の合計経過時間が１２０時間よりも長いか又はそれに等しい間隔内に発生したか否かを決定する。増大がそれよりも短い間隔内で発生した場合に、制御は、下記で更に説明する過程６００の別の部分に接続するコネクタ６２８に移る。増大が１２０時間よりも長いか又はそれに等しい時点で発生した場合に、制御は、下記で更に説明する過程６００の別の部分に接続するコネクタ６３０に移る。１２０時間よりも長いい期間で発生する一貫した温度漸増は癌を示すことに注意しなければならない。
【０１０８】
温度低下判断過程６３２に戻ると、一方のＡＢＴＴ終端１０の温度がセ０．２氏度よりも大きいか又はそれに等しい量だけ低下した場合に、制御は周囲温度判断過程６３４に移る。他の場合に、制御はコネクタ６４８に移る。
【０１０９】
周囲温度判断過程６３４に戻ると、ＡＢＴＴ終端１０での低下の原因になる周囲温度変化が発生したか否かが決定される。周囲温度がこの低下の原因であると思われる場合に、制御はコネクタ６４８に移る。他の場合に、制御は経過時間判断過程６３６に移る。
【０１１０】
経過時間判断過程６３６では、温度低下の経過時間が１２時間よりも短い間隔内のか否かが決定される。この間隔が１２時間よりも短い場合に、制御は、下記で更に説明するコネクタ６３８に移る。他の場合に、制御は片側温度低下判断過程６４０に移る。
【０１１１】
側温度低下判断過程６４０では、一方のＡＢＴＴ１０の温度低下が、セ氏０．６度よりも大きいか又はそれに等しいか否かが決定される。この条件が満たされている場合に、制御は、片側判断過程６４０から経過時間判断過程６４４に移る。他の場合に、制御は、片側判断過程６４０から下記で更に説明するコネクタ６４２に移る。
【０１１２】
経過時間判断過程６４４では、経過時間が１２０時間よりも短いか又はそれに等しいか否かが決定される。この条件が満たされている場合に、制御は、下記で更に説明するコネクタ６３８に移る。他の場合に、制御はコネクタ６４２に移る。
【０１１３】
コネクタ６４８に戻ると、コネクタ６４８は、図１６Ｂのコネクタ６５０に接続され、更にコネクタ６５０は、両側温度低下判断過程６５２に接続する。判断過程６５２では、両方のＡＢＴＴ終端１０での温度上昇がセ氏０．２度の予め決められた温度値よりも高いか又はそれに等しいか否かが決定される。この条件が満たされている場合に、制御は、判断過程６５２から周囲温度判断過程６５４に移る。他の場合に、制御は、別の両側温度低下判断過程６５８に移る。
【０１１４】
周囲温度判断過程６５４では、周囲温度がＡＢＴＴ終端１０の温度に影響を及ぼしたか否かが決定される。周囲温度がＡＢＴＴ終端１０の温度に影響を及ぼした場合に、制御は、周囲温度判断過程６５４から両側温度低下判断過程６５８に移る。他の場合に、制御は判断過程６５６に移る。
【０１１５】
判断過程６５６では、温度低下が測定された経過時間が１２０分よりも短く、かつ温度測定が通常の睡眠時間の前の期間内で発生したか否かが決定される。経過時間が１２０分よりも長いか又はそれに等しいか又は温度低下が通常の睡眠時間以外で発生した場合に、制御は、判断過程６５６から温度低下判断過程６７０に移る。経過時間が１２０分よりも短く、かつ温度低下が通常の睡眠時間以外で発生した場合に、制御は、経過時間判断過程６５６から警報出力過程６６４に移る。
【０１１６】
警報出力過程６６４では、心臓まひが差し迫っているか又は現在発生中であることを警告する警報が、例えば、ディスプレイ７４を通して、聴覚的に、又は振動によって出力される。次に、制御は、警報出力過程６６４から、上記で記述した終了過程６２０に移る。
【０１１７】
両側温度低下判断過程６５８に戻ると、両方のＡＢＴＴ終端１０の温度がセ氏０．４度よりも大きいか又はそれに等しい量だけ低下したか否かが決定される。両側の低下がセ氏０．４度よりも小さい場合に、制御は、コネクタ６６６へ、更に図１６Ａのコネクタ６６８に移り、上述のように作動する温度センサ入力受信過程６０４に戻る。両側の低下がセ氏０．４度よりも大きいか又はそれに等しい場合に、制御は周囲温度判断過程６６０に移る。
【０１１８】
周囲温度判断過程６６０では、周囲温度がＡＢＴＴ終端１０の温度に影響を及ぼしたか否かが決定される。周囲温度がＡＢＴＴ終端１０の温度に影響を及ぼした場合に、制御は、周囲温度判断過程６６０からコネクタ６６６に移る。他の場合に、制御は経過時間判断過程６６２に移る。
【０１１９】
経過時間判断過程６６２では、温度低下が測定された経過時間が９６時間よりも短いか又はそれに等しいか否かが決定される。低下が９６時間よりも長いい間隔で発生した場合に、制御は、経過時間判断過程６６２から上記で記述したコネクタ６６６に移る。低下が９６時間よりも短いか又はそれに等しい間隔内に発生した場合に、制御は、経過時間判断過程６６２から上述のように機能する警報出力過程６６４に移る。
【０１２０】
温度低下判断過程６７０に戻ると、両方のＡＢＴＴ終端１０の温度低下が両側でセ氏０．４度よりも大きいか又はそれに等しいか否かが決定される。低下がセ氏０．４度よりも大きいか又はそれに等しい場合に、制御は、温度低下判断過程６７０から警報出力過程６７２に移る。他の場合に、制御は、温度低下判断過程６７０から、図１６Ｃのコネクタ６７８に接続するコネクタ６７６に移る。
【０１２１】
警報出力過程６７２では、心臓まひが差し迫っているか又は現在進行中であるという表示を与えるための警報が、ディスプレイ７４を通して、聴覚的に、又は振動によって出力される。医療従事者は、更に別の検査及び分析に対して根拠を与えるためにそのような表示を使用することができる。次に、制御は、警報出力過程６７２から終了過程６２０に移る。
【０１２２】
コネクタ６７８に戻ると、コネクタ６７８は、ＡＢＴＴ終端１０の温度か新しいより低いベースラインレベルを正規化又は確立したか否かを決定する正規化温度判断過程６８０に接続する。新しいより低いベースラインが確立されていない場合に、制御はコネクタ６８２に移り、コネクタ６８２は、図１６Ａのコネクタ６６８に接続され、次に、上記で記述した温度センサ入力受信過程６０４に接続される。新しいより低いベースライン温度が確立されている場合に、制御は、温度センサ入力受信過程６８４に移る。
【０１２３】
温度センサ入力受信過程６８４では、温度センサ６２のような温度センサから温度信号が受信される。次に、制御は、温度低下判断過程６８６に移る。
【０１２４】
温度低下判断過程６８６では、１又は２以上のＡＢＴＴ終端１０の温度が更に低下したか否かが決定される。低下が発生した場合に、制御は、周囲温度判断過程６８８に移る。低下が発生しなかった場合に、制御は、上記で記述したコネクタ６８２に移る。
【０１２５】
周囲温度判断過程６８８では、周囲温度がＡＢＴＴ終端１０の温度に影響を及ぼしたか否かが決定される。周囲温度がＡＢＴＴ終端１０の温度に影響を及ぼした場合に、制御は、周囲温度判断過程６６０からコネクタ６８２に移る。他の場合に、制御は合計温度低下判断過程６９０に移る。
【０１２６】
合計温度低下判断過程６９０では、オリジナルベースラインからの合計温度低下がセ氏０．３度よりも大きいか又はそれに等しいか否かが決定される。合計低下がセ氏０．３度よりも小さい場合に、制御は、合計温度低下判断過程６９０から経過時間判断過程６９４に移る。合計低下がセ氏０．３度よりも大きいか又はそれに等しい場合に、制御は、合計温度低下判断過程６９０から正規化温度判断過程６９２に移る。
【０１２７】
正規化温度判断過程６９２では、ＡＢＴＴ終端１０の温度が新しいより低いベースライン値に対して正規化されたか否かが決定される。ＡＢＴＴ終端１０の温度が新しいより低いベースライン値に対して正規化されている場合に、制御は、正規化温度判断過程６９２から上述のように機能する温度センサ入力受信過程６８４に移る。他の場合に、制御は、正規化温度判断過程６９２から上述のように機能するコネクタ６８２に移る。
【０１２８】
経過時間判断過程６９４に戻ると、温度低下の経過時間が９６時間よりも短いか又はそれに等しい間隔内に発生したか否かが決定される。間隔が９６時間の予め決められた間隔よりも長い場合に、制御は、経過時間判断過程６９４から上述のように機能するコネクタ６８２に移る。経過間隔が９６時間よりも短いか又はそれに等しい場合に、制御は、経過時間判断過程６９４から警報出力過程６９６に移る。
【０１２９】
警報出力過程６９６では、心臓異常が差し迫っているか又は現在進行中であるという表示を示すための警報が、ディスプレイ７４を通して、聴覚的に、又は振動によって出力される。医療従事者は、更に別の検査及び分析に対して根拠を与えるためにそのような表示を使用することができる。次に、制御は、警報出力過程６９６から終了過程６２０に移る。
【０１３０】
図１６Ａのコネクタ６８３に戻ると、コネクタ６３８は、図１６Ｄのコネクタ６９８に接続され、更にコネクタ６３８は、左側低下判断過程７００に接続する。左側低下判断過程７００では、左ＡＢＴＴ終端１０で温度低下が存在するか否かの決定が行われる。左ＡＢＴＴ終端での低下が存在する場合に、制御は、左側低下判断過程７００から逆転判断過程７０１に移る。他の場合に、制御は、左側低下判断過程７００から逆転判断過程７０３に移る。
【０１３１】
逆転判断過程７０１では、左ＡＢＴＴ終端１０と右ＡＢＴＴ終端１０の間に温度逆転が存在するか否かの決定が行われる。温度逆転が存在する場合に、制御は、逆転判断過程７０１から警報出力過程７０５に移る。他の場合に、制御は、逆転判断過程７０１から警報出力過程７０２に移る。
【０１３２】
警報出力過程７０２では、警報が、例えば、ディスプレイ７４又は可聴性又は振動性とすることができる他の出力デバイスに送信される。この出力警報は、差し迫った、すなわち、前兆的なもの又は進行中のものである可能性がある右脳卒中を示している。次に、制御は、警報出力過程７０２から終了過程６２０に移る。
【０１３３】
警報出力過程７０５では、警報が、例えば、ディスプレイ７４又は可聴性又は振動性とすることができる他の出力デバイスに送信される。この出力警報は、差し迫った、すなわち、前兆的なもの又は進行中のものである可能性がある重度の右脳卒中を示している。次に、制御は、警報出力過程７０５から終了過程６２０に移る。
【０１３４】
逆転判断過程７０３に戻ると、左ＡＢＴＴ終端１０と右ＡＢＴＴ終端１０の間に温度逆転が存在するか否かの決定が行われる。温度逆転が存在する場合に、制御は、逆転判断過程７０３から警報出力過程７０７に移る。他の場合に、制御は、逆転判断過程７０３から警報出力過程７０４に移る。
【０１３５】
警報出力過程７０４では、警報が、例えば、ディスプレイ７４又は可聴性又は振動性とすることができる他の出力デバイスに送信される。この出力警報は、差し迫った、すなわち、前兆的なもの又は進行中のものである可能性がある右脳卒中を示している。次に、制御は、警報出力過程７０４から終了過程６２０に移る。
【０１３６】
警報出力過程７０７では、警報が、例えば、ディスプレイ７４又は可聴性又は振動性とすることができる他の出力デバイスに送信される。この出力警報は、差し迫った、すなわち、前兆的なもの又は進行中のものである可能性がある重度の左脳卒中を示している。次に、制御は、警報出力過程７０７から終了過程６２０に移る。
【０１３７】
図１６Ａ内の６４２に戻ると、接続は、図１６Ｅのコネクタ７０６へのものであり、コネクタ７０６は、ＡＢＴＴ終端１０の温度が新しいより低いベースラインレベルを正規化又は確立したか否かを決定する正規化温度判断過程７０８に接続する。新しいより低いベースラインが確立されていない場合に、制御はコネクタ７１０に移り、コネクタ７１０は、図１６Ａのコネクタ６６８に接続され、それに上記で記述した温度センサ入力受信過程６０４が続く。新しいより低いベースライン温度が確立されている場合に、制御は、温度センサ入力受信過程７１２に移る。
【０１３８】
温度センサ入力受信過程７１２では、温度センサ６２のような温度センサから温度信号が受信される。次に、制御は、温度低下判断過程７１４に移る。
【０１３９】
温度低下判断過程７１４では、１又は２以上のＡＢＴＴ終端１０の温度が更に低下したか否かが決定される。低下が一方のＡＢＴＴ終端１０だけで発生した場合に、制御は、合計温度低下判断過程７１６に移る。低下が一方のＡＢＴＴ終端１０だけで発生しなかった場合に、制御は、温度低下判断過程７１４から上述のように機能するコネクタ７１０に移る。
【０１４０】
合計温度低下判断過程７１６では、オリジナルベースラインからの合計温度低下がセ氏０．５度よりも大きいか又はそれに等しいか否かが決定される。ＡＢＴＴ終端１０合計温度低下がセ氏０．５度よりも大きいか又はそれに等しい場合に、制御は、合計温度低下判断過程７１６から経過時間判断過程７２２に移る。オリジナルベースラインからの合計低下がセ氏０．５度よりも小さい場合に、制御は、合計温度低下判断過程７１６から正規化温度判断過程７１８に移る。
【０１４１】
正規化温度判断過程７１８では、ＡＢＴＴ終端１０の温度が新しいより低いベースライン値に対して正規化されたか否かが決定される。ＡＢＴＴ終端１０の温度が新しいより低いベースライン値に対して正規化されている場合に、制御は、正規化温度判断過程７１８から上述のように機能する温度センサ入力受信過程７１２に移る。他の場合に、制御は、正規化温度判断過程７１８から上述のように機能するコネクタ７１０に移る。
【０１４２】
経過時間判断過程７２２に戻ると、温度低下の経過時間が１６８時間よりも短いか又はそれに等しい間隔内に発生したか否かが決定される。間隔が１６８時間の予め決められた間隔よりも長い場合に、制御は、経過時間判断過程７２２から上述のように機能するコネクタ７１０に移る。経過間隔が１６８時間よりも短いか又はそれに等しい場合に、制御は、経過時間判断過程７２２からコネクタ６９８に移り、このコネクタ６９８は、上述のように機能する図１６Ｄのコネクタ６９８に接続する。
【０１４３】
図１６Ａのコネクタ６２８に戻ると、コネクタ６２８は、図１６Ｆのコネクタ７２４に接続され、コネクタ７２４は、片側温度上昇判断過程７２６に接続する。片側温度上昇判断過程７２６では、一方のＡＢＴＴ終端１０の温度上昇がセ氏０．５度よりも大きいか又はそれに等しいか否かが決定される。そのような温度上昇が測定された場合に、制御は、片側温度上昇判断過程７２６から警報出力過程７２８に移る。そのような温度上昇が測定されなかった場合に、制御は、片側温度上昇判断過程７２６から温度上昇判断過程７３０に移る。
【０１４４】
警報出力過程７２８では、警報が、例えば、ディスプレイ７４又は可聴性又は振動性とすることができる他の出力デバイスに送信される。この出力警報は、癌病態の可能性を示している。次に、制御は、警報出力過程７２８から温度上昇判断過程７３０に移る。
【０１４５】
温度上昇判断過程７３０では、温度上昇が１日当たりセ氏０．０００４度よりも小さいか又はそれに等しいか否かが決定される。そのような増大が測定された場合に、制御は、温度上昇判断過程７３０から警報出力過程７３２に移る。そのような増大が測定されなかった場合に、制御は、温度上昇判断過程７３０から温度上昇判断過程７３４に移る。
【０１４６】
警報出力過程７３２では、警報が、例えば、ディスプレイ７４又は可聴性又は振動性とすることができる他の出力デバイスに送信される。この出力警報は、侵襲性の低い癌病態の可能性を示し、それによって追加の診断が推奨される可能性が高いことが医療従事者に示すはずである。次に、制御は、警報出力過程７３２から終了過程６２０に移る。
【０１４７】
温度上昇判断過程７３４では、温度上昇が１日当たりセ氏０．０００８度よりも小さいか又はそれに等しいか否かが決定される。そのような増大が測定された場合に、制御は、温度上昇判断過程７３４から警報出力過程７３６に移る。そのような増大が測定されなかった場合に、制御は、温度上昇判断過程７３４から温度上昇判断過程７３８に移る。
【０１４８】
警報出力過程７３６では、警報が、例えば、ディスプレイ７４又は可聴性又は振動性とすることができる他の出力デバイスに送信される。この出力警報は、侵襲性が高まった癌病態の可能性を示し、それによって追加の診断が推奨される可能性が高いことが医療従事者に示すはずである。次に、制御は、警報出力過程７３６から終了過程６２０に移る。
【０１４９】
温度上昇判断過程７３８では、温度上昇が１日当たりセ氏０．００１度よりも小さいか又はそれに等しいか否かが決定される。そのような増大が測定された場合に、制御は、温度上昇判断過程７３８から警報出力過程７４０に移る。そのような増大が測定されなかった場合に、制御は、温度上昇判断過程７３８から温度上昇判断過程７４２に移る。
【０１５０】
警報出力過程７４０では、警報が、例えば、ディスプレイ７４又は可聴性又は振動性とすることができる他の出力デバイスに送信される。この出力警報は、中度の侵襲性の癌病態の可能性を示し、それによって追加の診断が推奨されることを医療従事者に示すはずである。次に、制御は、警報出力過程７４０から終了過程６２０に移る。
【０１５１】
温度上昇判断過程７４２では、温度上昇が１日当たりセ氏０．００４度よりも小さいか又はそれに等しいか否かが決定される。そのような増大が測定された場合に、制御は、温度上昇判断過程７４２から警報出力過程７４４に移る。そのような増大が測定されなかった場合に、制御は、温度上昇判断過程７４３から温度上昇判断過程７４６に移る。
【０１５２】
警報出力過程７４４では、警報が、例えば、ディスプレイ７４又は可聴性又は振動性とすることができる他の出力デバイスに送信される。この出力警報は、侵襲性癌病態の可能性を示し、それによって追加の診断が推奨されることを医療従事者に示すはずである。次に、制御は、警報出力過程７４４から終了過程６２０に移る。
【０１５３】
警報出力過程７４６では、警報が、例えば、ディスプレイ７４又は可聴性又は振動性とすることができる他の出力デバイスに送信される。この出力警報は、侵襲性の高い癌病態の可能性を示し、それによって追加の診断が推奨されることを医療従事者に示すはずである。次に、制御は、警報出力過程７４６から終了過程６２０に移る。
【０１５４】
図１６Ａのコネクタ６３０に戻ると、コネクタ６３０は、図１６Ｇのコネクタ７４８に接続され、コネクタ７４８は、温度上昇判断過程７５０に接続する。温度上昇判断過程７５０では、一方のＡＢＴＴ終端１０での温度上昇がセ氏０．２５度よりも大きいか又はそれに等しいか否かが決定される。一方のＡＢＴＴ終端１０での温度上昇がセ氏０．２５度よりも大きいか又はそれに等しい場合に、制御は、温度上昇判断過程７５０から時間経過判断過程７５２に移る。一方のＡＢＴＴ終端１０での温度上昇がセ氏０．２５度よりも小さい場合に、制御は、温度上昇判断過程７５０から温度逆転判断過程７５６に移る。
【０１５５】
時間経過判断過程７５２では、温度上昇の経過時間が４８時間よりも短いか又はそれに等しいか否かが決定される。経過時間が４８時間よりも短いか又はそれに等しい場合に、制御は、時間経過判断過程７５２から警報出力過程７５４に移る。経過時間が４８時間よりも長いい場合に、制御は、時間経過判断過程７５２から温度上昇判断過程７６２に移る。
【０１５６】
警報出力過程７５４では、警報が、例えば、ディスプレイ７４又は可聴性又は振動性とすることができる他の出力デバイスに送信される。この出力警報は、動脈瘤が差し迫っているか又は進行中である可能性を示し、それによって追加の診断が推奨されることを医療従事者に示すはずである。次に、制御は、警報出力過程７５４から終了過程６２０に移る。
【０１５７】
温度逆転判断過程７５６に戻ると、左ＡＢＴＴ終端１０と右ＡＢＴＴ終端１０の間で温度逆転が発生したか否かが決定される。言い換えれば、それまで低い方であったＡＢＴＴ終端１０の温度が今度は高い方のＡＢＴＴ終端１０の温度である。温度逆転が示されなかった場合に、制御は、温度逆転判断過程７５６から警報出力過程７５８に移る。温度逆転が示された場合に、制御は、温度逆転判断過程７５６から警報出力過程７６０に移る。
【０１５８】
警報出力過程７５８では、警報が、例えば、ディスプレイ７４又は可聴性又は振動性とすることができる他の出力デバイスに送信される。この出力警報は、発作が差し迫っているか又は進行中である可能性を示し、それによって処置及び時に追加の診断が推奨されることを医療従事者に示すはずである。次に、制御は、警報出力過程７５８から終了過程６２０に移る。
【０１５９】
警報出力過程７６０では、警報が、例えば、ディスプレイ７４又は可聴性又は振動性とすることができる他の出力デバイスに送信される。この出力警報は、重度の発作が差し迫っているか又は進行中である可能性を示し、それによって処置及び時に追加の診断が推奨されることを医療従事者に示すはずである。次に、制御は、警報出力過程７６０から終了過程６２０に移る。
【０１６０】
温度上昇判断過程７６２に戻ると、片側の温度上昇がセ氏０．３５度よりも大きいか又はそれに等しいか否かに関して決定が行われる。片側の温度上昇がセ氏０．３５度よりも大きいか又はそれに等しい場合に、制御は時間経過判断過程７６４に移る。片側の温度上昇がセ氏０．３５度よりも小さい場合に、制御は、温度上昇判断過程７６２から正規化温度判断過程７６６に移る。
【０１６１】
時間経過判断過程７６４では、温度上昇の経過時間が１２０時間よりも短いか又はそれに等しいか否かが決定される。温度上昇の経過時間が１２０時間よりも短いか又はそれに等しい場合に、制御は、時間経過判断過程７６４から上述のように機能する警報出力過程７５４に移る。温度上昇の経過時間が１２０時間よりも長い場合に、制御は、時間経過判断過程７６４から正規化温度判断過程７６６に移る。
【０１６２】
正規化温度判断過程７６６では、ＡＢＴＴ終端１０が新しいより高いベースライン値に対して正規化されたか否かが決定される。ＡＢＴＴ終端１０が新しいより高いベースライン値に対して正規化されていない場合に、制御は、正規化温度判断過程７６６からコネクタ７６８に移され、コネクタ７６８は図１６Ａのコネクタ６６８に接続され、コネクタ６６８は、上述のように機能する温度センサ入力受信過程６０４に接続する。ＡＢＴＴ終端１０の温度が新しいより高い温度値に対して正規化されている場合に、制御は、正規化温度判断過程７６６から、温度センサ入力受信過程７７０に移される。
【０１６３】
温度センサ入力受信過程７７０では、センサ６２のような温度センサから温度信号が受信される。温度データが受信された状態で、制御は、受信温度入力過程７７０から片側判断過程７７２に移る。
【０１６４】
片側判断過程７７２では、一方のＡＢＴＴ終端１０の温度だけが増大したか否かが決定される。両方のＡＢＴＴ終端の温度が上昇又は低下した場合に、制御は、片側判断過程７７２から上述のように機能するコネクタ７６８に移る。一方のＡＢＴＴ終端１０の温度だけが増大した場合に、制御は、片側判断過程７７２から合計温度判断過程７７４に移る。
【０１６５】
合計温度判断過程７７４では、一方のＡＢＴＴ終端１０の合計温度上昇がセ氏０．４度よりも大きいか又はそれに等しいか否かが決定される。一方のＡＢＴＴ終端１０の合計温度上昇がセ氏０．４度よりも大きいか又はそれに等しい場合に、制御は、合計温度判断過程７７４から時間経過判断過程７７８に移る。一方のＡＢＴＴ終端１０の合計温度上昇がセ氏０．４度よりも小さい場合に、制御は、合計温度判断過程７７４から正規化温度判断過程７７６に移る。
【０１６６】
正規化温度判断過程７６６では、ＡＢＴＴ終端１０の温度が新しいより高い値に対して正規化されたか否かが決定される。温度が新しいより高い値に対して正規化されている場合に、制御は、正規化温度判断過程７６６から上述のように機能する温度センサ入力受信段階７７０に移る。温度が新しいより高い値に対して正規化されていない場合に、制御は、正規化温度判断過程７６６から上述のように機能するコネクタ７６８に移る。
【０１６７】
時間経過判断過程７７８では、一方のＡＢＴＴ終端１０での温度上昇の経過時間が１６８時間よりも短いか又はそれに等しいか否かが決定される。温度上昇が１６８時間よりも短いか又はそれに等しい時間内に発生した場合に、制御は、時間経過判断過程７７８から警報出力過程７５４に移る。温度上昇が１６８時間よりも長い期間で増大した場合に、制御は、時間経過判断過程７７８から上述のように機能するコネクタ７６８に移る。
【０１６８】
図１６Ｈは、全体的に１０００で示す本発明の開示の例示的実施形態による診断過程を示している。過程１０００は、入眠から睡眠、ＲＥＭ睡眠などを通して覚醒が定められる瞬間に至るまでの間隔として定められる睡眠サイクル中にＡＢＴＴ終端１０から放出される信号を取得するように構成された過程である。本出願人は、健常者では各睡眠サイクル中にＡＢＴＴ終端１０から放出される信号に一貫性があり、従って、そのような睡眠サイクルを長期変化に関して解析することができることを明らかにした。そのような変化は、例えば、癌、脳卒中のような病態を示す比較ベースラインからの温度変化とすることができることを理解しなければならない。例えば、睡眠サイクルにわたって比較ベースラインからのセ氏０．１度よりも大きいか又はそれに等しい温度低下が識別された場合に、この温度低下は、セ氏０．本明細書の他の箇所で説明するセ氏０．１度の温度低下が観察される病態を示すことができる。実際に睡眠サイクルは、本明細書の他の箇所で説明する温度偏差を測定するのに好ましい場所とすることができ、解析に影響を及ぼす可能性がある一過性のリスクを低下させることができる。
【０１６９】
過程１０００は、システムの制御デバイス、温度センサ、及び他の電子要素を初期化する段階、及び非一時的メモリから比較のためのプログラム及び予め決められた値をロードする段階などを含むことができる開始過程１００２で始まる。開始過程１００２が完了した状態で、制御は、開始過程１００２から睡眠パターン取得過程１００４に移る。
【０１７０】
睡眠パターン取得過程１００４では、睡眠サイクル全体中にＡＢＴＴ終端１０から放出される信号が取得され、非一時的メモリに格納される。睡眠パターン過程１００４が完了した状態で、制御は、睡眠パターン過程１００４から合計ベースライン判断過程１００６に移る。
【０１７１】
合計ベースライン判断過程１００６では、取得されたベースラインの本数が予め決められた最低本数に達しているか否かが決定される。そのような決定は、カウンタの値を予め決められた最低本数と比較することによって行われる。ある最低本数のベースラインが、睡眠サイクル中の軽微な変化を平均化又は統計的に補償するのに必要とされる。例示的実施形態では、比較ベースラインに対して最低でも７回の睡眠サイクルが取得される。別の例示的実施形態では、比較ベースラインに対して最低でも１０回の睡眠サイクルが取得される。更に別の例示的実施形態では、比較ベースラインに対して最低でも１５回の睡眠サイクルが取得される。本出願人は、最初に取得された睡眠サイクルの解析が初期ベースライン期間にわたるＡＢＴＴ終端エミッションデータ内で予想される変化よりも大きい変化を識別した場合により多い回数の睡眠サイクルを使用することはできるが、健常者における睡眠サイクルは一貫性を有するので、比較ベースラインに対する睡眠サイクルの回数は１５よりも大きい必要がないと決定した。
【０１７２】
取得されたベースラインの本数が予め決められた最低本数よりも少なかった場合に、制御は、合計ベースライン判断過程１００６からカウンタ過程１００８に移り、そこで、過程１０００が実施される最初の時点でゼロに設定することができるカウンタが、取得される睡眠パターンの個数を決定することに起因して１だけ増分され、新しいカウンタとして保存される。次に、制御は、カウンタ過程から上述のように機能する睡眠パターン取得過程１００４に移る。
【０１７３】
合計ベースライン判断過程１００６に戻ると、ベースライン睡眠パターンの合計本数が予め決められた最低数に達している場合に、制御は、合計ベースライン判断過程１００６から平均ベースライン判断過程１０１０に移り、そこで、ベースライン睡眠パターンが解析され、統計的に組み合わされて比較ベースラインが形成されたか否かが決定される。依然としてベースラインが解析されていない場合に、制御は、平均化を含むことができるベースライン位置合わせ及び解析過程１０１２に移る。過程１０１２では、取得されたベースライン睡眠パターンが解析されて比較ベースラインを提供する。比較ベースラインが生成された状態で、制御は、過程１０１２からベースライン更新必要性判断過程１０１４に移る。更に、前段階でベースラインが解析されていた場合に、制御は、平均ベースライン判断過程１０１から過程１０１４に移る。
【０１７４】
ベースライン更新必要性判断過程１０１４では、現存する比較ベースラインを置換する必要があるか否かが決定される。比較ベースラインは、運動療法の変化、体重の増加又は減少、加齢のような身体状態の緩慢な変化に伴って数週間又は数ヶ月であっても安定したものとすることができるが、ＡＢＴＴ終端１０によって放出される信号は変化する場合がある。従って、例えば、３ヶ月毎に１回のような定期的な間隔で新しい比較ベースラインを取得することができる。新しい比較ベースラインを取得することが必要である場合に、制御は、ベースライン更新必要性判断過程１０１４からカウンタゼロ設定過程１０１６に移り、そこでカウンタがゼロにリセットされ、それによってその後のサイクル中に新しいベースラインデータセットの取得が開始される。他の場合に、制御は、ベースライン更新必要性判断過程１０１４からベースライン更新新規完了判断過程１０１８に移る。
【０１７５】
ベースライン更新新規完了判断過程１０１８では、比較ベースライン更新が直近に完了したか否かが決定される。そのような更新が直近に完了している場合に、制御は、過程１０１８からベースライン解析過程１０２０に移る。ベースライン解析過程１０２０では、新しく更新された比較ベースラインが、前の比較ベースラインと比較され、いずれかの変化が予め決められた限度を超えているか否かが決定される。次に、制御は、識別警報過程１０２４に移る。
【０１７６】
ベースライン更新新規完了判断過程１０１８に戻ると、ベースライン更新が直近に完了していない場合に、制御は、過程１０１８から新規ＡＢＴＴパターン解析過程１０２２に移り、そこで、新しく取得されたＡＢＴＴ睡眠パターンが現存する比較ベースラインと比較される。次に、制御は、識別警報判断過程１０２４に移る。
【０１７７】
過程１０２０又は過程１０２２において、比較ベースラインとの予め決められた変化、予め決められた偏位、又は予め決められた差が発生したことを判別することによっていずれかの病態が識別された場合に、識別警報判断過程１０２４が、制御を警報出力過程１０２６に渡すことになる。他の場合に、制御は、終了過程１０２８に移ることになる。
【０１７８】
識別警報判断過程１０２４では、警報が表示されるか、又は電子デバイスに送信されて表示される。そのような警報は、追加診断を実施するという提案、並びに可能な病態又は活動性の病態の表示とすることができる。そのような警報は、差し迫った病態又は活動性の病態が早急な治療を必要とすることを警告することができる。そのような警報は、視覚表示、可聴出力、振動、光などを含むことができる。そのような警報は、ナースステーション（図示せず）のような中心的な場所に無線又は有線で送信することができる。警報出力過程１０２６が完了した状態で、制御は終了過程１０２８に移る。
【０１７９】
過程１０２８は、数年の期間にわたって続行される可能性がある過程１０００の完全サイクルの終了点であることを理解しなければならない。そのような完全サイクルは、比較ベースラインを生成するためのベースラインデータの取得、及び少なくとも１回の睡眠サイクルのＡＢＴＴ終端１０からの信号データの取得である。しかし、サイクル１０００は、その後の睡眠サイクル及びその後の比較ベースライン更新にわたって機能するために続行されることになる。従って、過程１０００は、一般的には毎日少なくとも１回行うべき定期的過程として説明することができる。
【０１８０】
図１７は、全体的に８００で示す本発明の開示の例示的実施形態による甲状腺障害及び他の障害に対する第７の処置過程を示している。甲状腺ホルモンの生成を増大するためのこの実施形態は、熱電デバイス又はペルチェデバイスのようなＡＢＴＴ終端１０から熱を除去することができる本明細書で説明するデバイスを含む。
【０１８１】
図１７の実施形態は、ＡＢＴＴ終端１０での温度をセ氏０．２度よりも大きいか又はそれに等しい量だけベースライン温度よりも低い温度値に低下させることによって多発性硬化症、癲癇、虚血性脳卒中、頭痛、及び偏頭痛を予防又は処置するように構成される。
【０１８２】
過程８００は、システムの制御デバイス、温度センサ、及び他の電子要素を初期化する段階、及び非一時的メモリから比較のためのプログラム及び予め決められた値をロードする段階などを含むことができる開始過程８０２で始まる。開始過程８０２が完了した状態で、制御は、開始過程８０２から受信温度入力過程８０４に移る。
【０１８３】
温度入力過程８０４では、温度センサ６２のような１又は２以上の温度センサからの温度信号が受信される。本明細書で説明するように、そのような信号は、１つのＡＢＴＴ終端１０からのもの又は２つのＡＢＴＴ終端１０からのものとすることができる。温度信号が受信された状態で、制御は、温度入力過程８０４からベースライン確立判断過程８０６に移る。
【０１８４】
ベースライン確立判断過程８０６では、プロセッサ６８のようなプロセッサが、ベースライン温度を確立するほど十分な温度情報を受信したか否かを決定する。依然として十分な情報が受信されていない場合に、制御は、ベースライン確立判断過程８０６から受信温度入力過程８０４に移る。少なくとも２分のようなある間隔にわたる平均温度と考えるべきベースライン温度を確立するほど十分な温度情報を受信した場合に、制御は、ベースライン確立判断過程８０６から熱除去過程８０８に移る。
【０１８５】
熱除去過程８０８では、ＡＢＴＴ終端１０から熱を除去してホルモン生成を増大するために温度変更デバイスが起動される。温度変更デバイスの初期温度は、ベースライン温度又はベースライン温度マイナスセ氏０．３度、又は別の値とすることができる。熱除去過程８０８が完了した状態で、制御は温度判断過程８１０に移る。
【０１８６】
温度判断過程８１０では、各ＡＢＴＴ終端１０の温度がベースライン温度マイナスセ氏０．３度よりも低いか又はそれに等しいか否かが決定される。温度がこの値よりも高い場合に、制御は温度低下過程８１２に移る。温度がこの値よりも低いか又はそれに等しい場合に、制御は、判断過程８１０から時間経過判断過程８１４に移る。
【０１８７】
時間経過判断過程８１４では、熱除去の経過時間が２分のような予め決められた期間よりも長いか又はそれに等しい時間に達しているか否かが決定される。予め決められた経過時間に達している場合に、制御は、過程８００を終了させる終了過程８１６に移る。経過時間が予め決められた期間よりも短い場合に、制御は、予め決められた間隔に達するまで時間経過判断過程８１４にループして戻る。
【０１８８】
温度低下過程８１２に戻ると、温度変更デバイスの温度が、セ氏０．１度のような予め決められた量だけ低下される。次に、制御は、温度低下過程８１２から上述のように機能する温度判断過程８１０に移る。
【０１８９】
図１８は、全体的に８５０で示す図１３５の実施形態と類似の本発明の開示の例示的実施形態による甲状腺障害及び他の障害に対する第９の処置過程を示している。甲状腺ホルモンの生成を増加又は低減するためのこの実施形態は、本明細書で説明するようにＡＢＴＴ終端１０に熱を追加するか又はそこから熱を除去することができる熱電デバイス又はペルチェデバイスのようなＡＢＴＴ終端１０に熱を追加するか又はそこから熱を除去することができる本明細書で説明するデバイスを含む。
【０１９０】
図１８の実施形態は、ＡＢＴＴ終端１０での温度をセ氏０．４度よりも大きいか又はそれに等しい量だけベースライン温度よりも低い温度値に低下させることによって低体温症及び睡眠障害を予防又は処置するように構成される。
【０１９１】
更に、図１８の実施形態は、ＡＢＴＴ終端１０での温度をセ氏０．４度よりも大きいか又はそれに等しい量だけベースライン温度よりも高い温度値に上昇させることによって低体温症を予防又は処置するように構成される。
【０１９２】
過程８５０は、システムの制御デバイス、温度センサ、及び他の電子要素を初期化する段階、及び非一時的メモリから比較のためのプログラム及び予め決められた値をロードする段階などを含むことができる開始過程８５２で始まる。開始過程８５２が完了した状態で、制御は、開始過程８５２から受信温度入力過程８５４に移る。
【０１９３】
温度入力過程８５４では、温度センサ６２のような１又は２以上の温度センサからの温度信号が受信される。本明細書で説明するように、そのような信号は、１つのＡＢＴＴ終端１０からのもの又は２つのＡＢＴＴ終端１０からのものとすることができる。温度信号が受信された状態で、制御は、温度入力過程８５４からベースライン確立判断過程８５６に移る。
【０１９４】
ベースライン確立判断過程８５６では、プロセッサ６８のようなプロセッサが、ベースライン温度を確立するほど十分な温度情報を受信したか否かを決定する。依然として十分な情報が受信されていない場合に、制御は、ベースライン確立判断過程８５６から受信温度入力過程８５４に移る。少なくとも２分のようなある間隔にわたる平均温度と考えるべきベースライン温度を確立するほど十分な温度情報を受信した場合に、制御は、ベースライン確立判断過程８５６からオペレータ入力過程８５８に移る。
【０１９５】
オペレータ入力過程８５８では、オペレータ又はユーザが、システムがホルモン生成を増大すること又は低減することのいずれを必要とするかを入力する。オペレータ入力過程８５８が完了した状態で、制御は、オペレータ入力過程８５８から甲状腺生成増大判断過程８６０に移る。
【０１９６】
甲状腺生成増大判断過程８６０では、ホルモン生成が増大されることになる場合に、制御は、熱除去過程８７２に移る。ホルモン生成が低減されることになる場合に、制御は、判断過程８６０から熱印加過程８６２に移る。
【０１９７】
熱印加過程８６２では、１又は２以上のＡＢＴＴ終端１０に熱を印加するようにデバイス６４のような１又は２以上の温度変更デバイスの温度が上昇される。次に、制御は、熱印加過程８６２から温度判断過程８６４に移る。
【０１９８】
温度判断過程８６４では、各ＡＢＴＴ終端１０の温度がベースライン温度プラスセ氏０．３度よりも高いか又はそれに等しいか否かが決定される。温度がこの値よりも低い場合に、制御は、温度上昇過程８７０に移る。温度がこの値よりも大きいか又はそれに等しい場合に、制御は、判断過程８６４から時間経過判断過程８６６に移る。
【０１９９】
時間経過判断過程８６６では、熱印加の経過時間が１分のような予め決められた期間よりも長いか又はそれに等しい時間に達しているか否かが決定される。予め決められた経過時間に達している場合に、制御は終了過程８６８に移り、そこで過程８５０は終了する。経過時間が予め決められた期間よりも短い場合に、制御は、予め決められた間隔に達するまで時間経過判断過程８６６にループして戻る。
【０２００】
温度上昇過程８７０に戻ると、温度変更デバイスの温度は、セ氏０．１度のような予め決められた量だけ増大される。次に、制御は、温度上昇過程８７０から上述のように機能する温度判断過程８６４に移る。
【０２０１】
ここで熱除去過程８７２に戻ると、ホルモン生成を増大するためにＡＢＴＴ終端１０から熱を除去するように温度変更デバイスが起動される。温度変更デバイスの初期温度は、ベースライン温度、又はベースライン温度マイナスセ氏０．３度、又は別の値とすることができる。熱除去過程８７２が完了した状態で、制御は温度判断過程８７４に移る。
【０２０２】
温度判断過程８７４では、各ＡＢＴＴ終端１０の温度がベースライン温度マイナスセ氏０．３度よりも低いか又はそれに等しいか否かが決定される。温度がこの値よりも高い場合に、制御は温度低下過程８７６に移る。温度がこの値よりも低いか又はそれに等しい場合に、制御は、判断過程８７４から時間経過判断過程８７８に移る。
【０２０３】
時間経過判断過程８７８では、熱除去の経過時間が２分のような予め決められた期間よりも長いか又はそれに等しい時間に達しているか否かが決定される。予め決められた経過時間に達している場合に、制御は、上記で記述した終了過程８６８に移る。経過時間が予め決められた期間よりも短い場合に、制御は、予め決められた間隔に達するまで時間経過判断過程８７８にループして戻る。
【０２０４】
温度低下過程８７６に戻ると、温度変更デバイスの温度が、セ氏０．１度のような予め決められた量だけ低下される。次に、制御は、温度低下過程８７６から上述のように機能する温度判断過程８７４に移る。
【０２０５】
図１９は、全体的に９００で示す本発明の開示の例示的実施形態による甲状腺障害及び他の障害に対する第１０の処置過程を示している。甲状腺ホルモンの生成を低減するためのこの実施形態は、熱電デバイス又はペルチェデバイス、保熱材料、抵抗加熱器、及びＩＲ加熱器などのようなＡＢＴＴ終端１０に熱を追加することができるデバイスを含む。
【０２０６】
図１９の実施形態は、ＡＢＴＴ終端１０での温度をセ氏０．５度よりも大きいか又はそれに等しい量だけベースライン温度よりも高い温度値に上昇させることによって癌を予防又は処置するように構成される。
【０２０７】
過程９００は、システムの制御デバイス、温度センサ、及び他の電子要素を初期化する段階、及び非一時的メモリから比較のためのプログラム及び予め決められた値をロードする段階などを含むことができる開始過程９０２で始まる。開始過程９０２が完了した状態で、制御は、開始過程９０２から受信温度入力過程９０４に移る。
【０２０８】
温度入力過程９０４では、温度センサ６２のような１又は２以上の温度センサからの温度信号が受信される。本明細書で説明するように、そのような信号は、１つのＡＢＴＴ終端１０からのもの又は２つのＡＢＴＴ終端１０からのものとすることができる。温度信号が受信された状態で、制御は、温度入力過程９０４からベースライン確立判断過程９０６に移る。
【０２０９】
ベースライン確立判断過程９０６では、プロセッサ６８のようなプロセッサが、ベースライン温度を確立するほど十分な温度情報を受信したか否かを決定する。依然として十分な情報が受信されていない場合に、制御は、ベースライン確立判断過程９０６から受信温度入力過程９０４に移る。少なくとも２分のようなある間隔にわたる平均温度と考えるべきベースライン温度を確立するほど十分な温度情報を受信した場合に、制御は、ベースライン確立判断過程９０６から熱追加過程９０８に移る。
【０２１０】
熱追加過程９０８では、ホルモン生成を低減するためにＡＢＴＴ終端１０に熱を追加するように温度変更デバイスが起動される。温度変更デバイスの初期温度は、ベースライン温度、又はベースライン温度プラスセ氏０．５度、又は別の値とすることができる。熱追加過程９０８が完了した状態で、制御は温度判断過程９１０に移る。
【０２１１】
温度判断過程９１０では、各ＡＢＴＴ終端１０の温度がベースライン温度プラスセ氏０．５度よりも高いか又はそれに等しいか否かが決定される。温度がこの値よりも高い場合に、制御は時間経過判断過程９１４に移る。温度がこの値よりも低いか又はそれに等しい場合に、制御は、判断過程９１０から温度上昇過程９１２に移る。
【０２１２】
時間経過判断過程９１４では、熱除去の経過時間が２分のような予め決められた期間よりも長いか又はそれに等しい時間に達しているか否かが決定される。予め決められた経過時間に達している場合に、制御は、過程９００を終了させる終了過程９１６に移る。経過時間が予め決められた期間よりも短い場合に、制御は、予め決められた間隔に達するまで時間経過判断過程９１４にループして戻る。
【０２１３】
温度上昇過程９１２に戻ると、温度変更デバイスの温度が、セ氏０．１度のような予め決められた量だけ低下される。次に、制御は、温度上昇過程９１２から上述のように機能する温度判断過程９１０に移る。
【０２１４】
図２１及び図２２を参照すると、本発明の開示の例示的実施形態によるＡＢＴＴ温度測定デバイスが示されており、全体的に９５０で示されている。デバイス９５０は、部分反射を行う鏡面又は反射面９５６を含むミラー９５４を支持するように構成されたハンドル９５２を含む。デバイス９５０は、部分反射を行って光が反射面９５６を通過することを可能にする反射面９５６の後部に位置決めすることができるディスプレイ９５８を含むように更に構成され、それによってディスプレイ９５８が照明された時にユーザがディスプレイ９５８を見ることが可能になる。
【０２１５】
デバイス９５０はまた、鏡面又は反射面９５６から遠ざかる方向に延び、好ましくは、面９５６に対してＡＢＴＴ終端１０の角度に適合する角度にあるアーム９６０を含むように構成される。図２１及び図２２では、アーム９６０を面９５６から延びるように示すが、別の例示的実施形態では、アーム９６０は、ハンドル９５２から延びるように構成される。アーム９６０は、その端部に温度センサ９６２を含むように構成され、アーム９６０のサイズ及び寸法は、ユーザが鏡面９５６をより容易に使用することを可能にして温度センサ９６２をＡＢＴＴ終端１０に、その近くに、その上に、それに隣接して、それに近接して、又はそれに並べて位置決めする際に補助するために温度センサ９６２が鏡面９５６の中心の近くに位置決めされるようなものである。デバイス９５０は、ハンドル９５２上に位置付けることができるスイッチ９６４を更に含む。スイッチ９６４は、温度センサ９６２を起動するように構成され、取得される温度測定値がディスプレイ９５８上に提示される。温度とは別に、放出器に結合された赤外線検出器を含む他のセンサを使用することができることを理解しなければならない。
【０２１６】
デバイス９５０は、可視光、すなわち、可視出力を放出するように構成された平行化ＬＥＤ９６６のような光源を含むように構成することができる。ＬＥＤ９６６は、アーム９６０上に位置決めすることができるＬＥＤハウジング９６８内に位置付けられる。スイッチ９６４は、第１の位置でＬＥＤ９６６を作動させ、第２の位置でＬＥＤ９６６及び温度センサ９６２を起動するロッカータイプのスイッチとして構成することができる。ディスプレイ９５８は、ＬＥＤ９６６及び温度センサ９６２の作動の結果として自動的に作動される。
【０２１７】
作動時には、ユーザがハンドル９５２を把持し、ミラー９５４を使用することによって温度センサ９６２をＡＢＴＴ終端１０に隣接する、すなわち、それにわたる又はその隣にある区域に位置決めする。例示的実施形態では、温度センサ９６２は、赤外線センサのような非接触センサとすることができ、又は熱電対のような接触センサ、光センサ、又は誘電センサとすることができる。任意的なＬＥＤ９６６が利用可能である場合に、ユーザは、ＬＥＤ９６６を起動するためにスイッチ９６４を押下することができ、ＬＥＤ９６６は、そこから出力された光が、ミラー９５４を通して見た時に温度センサ９６２を位置決めするためのガイドとして機能することができるようにアーム９６０に視準されるか又はそれに位置合わせされる。温度センサ９６２が正しく置かれた状態で、温度センサ９６２を起動するようにスイッチ９６４を移動することができる。ＬＥＤ９６６は、温度測定中に温度センサ９６２の位置を維持するのを補助するために点灯状態に留まることができる。デバイス９５０は、ＡＢＴＴ終端１０を位置付けるために温度センサ９６２の「走査」を可能にするように構成することができる。デバイス９５０がこの機能を含む場合に、デバイス９５０がＡＢＴＴ終端１０を位置付けた状態で、ディスプレイ９５８は、「ターゲット上」のような適切な表示を表示するように構成することができる。デバイス９５０がＡＢＴＴ終端１０から温度測定値を取得した状態で、温度結果はディスプレイ９５８上に提示され、ディスプレイ９５８上に予め決められた期間にわたって留めることができ、又はスイッチ９６４の解除と共に消すことができる。
【０２１８】
ＡＢＴＴ終端１０から温度を取り込むための他のデバイスは、顔面を取り込んで解析し、ＡＢＴＴ終端１０を自動的に識別し、更にＡＢＴＴ終端１０での温度を与えるように構成された赤外線（ＩＲ）アレイを含むことができる。本発明の開示の例示的実施形態に従って構成されたそのような温度測定デバイスを図２３及び図２４に示し、全体的に１１００で示している。
【０２１９】
デバイス１１００は、ＩＲ撮像カメラ１１０４を支持するように構成されたハンドル１１０２を含むように構成される。ハンドル１１０２は、指紋認識装置１１０６、並びに作動スイッチ１１０８を含むように構成することができる。デバイス１１００は、組み込みディスプレイ（図示せず）を有するように更に構成することができ、又はラップトップ、セル電話、タブレットのような外部電子デバイス（図示せず）との通信を与えるように構成されたコネクタ１１１０を含むことができる。デバイス１１００は、情報を外部電子デバイスに送信するための送受信機、送信機、又は受信機を含むことができる。例示的実施形態では、赤外線センサアレイ又はＩＲ撮像カメラ１１０４は、８，２００ナノメートルから１１，２００ナノメートルまでの波長領域の赤外線光を検出するように構成することができる。
【０２２０】
デバイス１１００は、第１の把持ハンドル１１０２によって作動される。指紋認識装置１１０６が作動中である場合に、デバイス１１００は、測定温度データを特定の患者に関連付けるためにユーザを識別し、正規ユーザを識別することができる。デバイス１１００が、聴覚的に示す個別の電子デバイス上のディスプレイによって示す又はデバイス１１００上のインジケータ（図示せず）の照明によって示すことができる適正な認識を与えた状態で、カメラ１１０４によるＩＲ信号の取得が利用可能である。ＡＢＴＴから放出される赤外線光は、ある一定の波長内で脳診断情報を伝達し、本発明の開示のＩＲ撮像カメラは、好ましくは、６，０００ナノメートルと１４，０００ナノメートルの間の波長内、より好ましくは、８，０００ナノメートルと１２，０００ナノメートルの間の波長内、より好ましくは、８，５００ナノメートルと１１，５００ナノメートルの間の波長内、更に好ましくは、８，２００ナノメートルと１１，２００ナノメートルの間の波長内の赤外線光を検出するように構成される。
【０２２１】
ユーザは、ＡＢＴＴ終端１０を含む顔面の区域を視準するようにデバイス１１００を保持し、作動スイッチ１１０８を押下する。ＩＲカメラ１１０４は比較的大きい視野（ＦＯＶ）を有するので、ＡＢＴＴ終端１０を顔面の周囲区域を加えて撮像することができる。ＩＲカメラ１１０４が感受した画像は、デバイス１１００に伝達されてその内部でプロセッサ又はコントローラ（図示せず）が処理することができ、又は画像は、コネクタ１１１０に取り付けられたケーブル（図示せず）によって信号として個別の電子デバイスに送信することができ、この個別の電子デバイスにおいてこれらの画像データは、ＡＢＴＴ終端１０の温度、並びに時変温度データを決定するために処理される。更に、例えば、ラップトップ、タブレット、セル電話等とすることができる個別の電子デバイスは、画像を表示するように構成することができ、この表示は、デバイス１１００の位置を最適化すること、並びに感染、血流不足のような熱異常に関して画像を分析することに有用とすることができる。
【０２２２】
図２４Ａ、図２４Ｂ、及び図２４Ｈは、本発明の開示の例示的実施形態によりＡＢＴＴ終端１０を位置付けるのを補助し、次にＡＢＴＴ終端１０の温度を測定するように構成された全体的に１１２０で示す更に別のデバイスの図を示している。デバイス１１２０は、様々な鼻サイズに対して調節を行うために拡張可能な接続部分１１２６によって分離された右センサ１１２０と左センサ１１２２を含む。温度測定デバイス１１２０はまた、プロセッサ１１２８と、送信機（又は送受信機）１１３０と、非一時的メモリ１１３２と、バッテリのような電源１１３４と、ディスプレイ１１３６とを含む。ディスプレイ１１３６は、右センサ１１２０及び左センサ１１２２と反対にあるデバイス１１２０の面上に位置決めされる。図２４Ｂは、例示的に小さめの鼻サイズ（又は瞳孔間距離）に合うように調節するために収縮させた接続部分１１２６を有するデバイス１１２０を示している。図７Ｈは、右ＡＢＴＴ終端１０及び左ＡＢＴＴ終端１０の温度を表示す簡単なディスプレイ１３６を示している。
【０２２３】
図２４Ｃ、図２４Ｄ、及び図２４Ｇは、本発明の開示の例示的実施形態によりＡＢＴＴ終端１０を位置付けるのを補助し、次にＡＢＴＴ終端１０の温度を測定するように構成された全体的に１１７０で示す更に別のデバイスの図を示している。温度測定デバイス１１７０はまた、プロセッサ１１２８（本明細書で説明するデバイス、装置、システムなどのうちのいずれかの中に組み込むことができる）と、送信機（又は送受信機）１１３０と、非一時的メモリ１１３２と、バッテリのような電源１１３４と、右ディスプレイ１１７６と、左ディスプレイ１１７８とを含む。右ディスプレイ１１７６及び左ディスプレイ１１７８は、デバイス１１７０のセンサと反対にあるデバイス１１７０の面上に位置決めされる。図２４Ｄは、例示的に小さめの鼻サイズ（又は瞳孔間距離）に合うように調節するために収縮させた接続部分１１２６を有するデバイス１１７０を示している。図２４Ｇは、センサ視野１１９０をＡＢＴＴ終端１０上に位置決めするようにデバイス１１７０が調節され、かつ位置決めされた後にＡＢＴＴ終端１０からのエミッションを取り込んでいるデバイス１１７０の背面上の右ディスプレイ１１７６及び左ディスプレイ１１７８を示している。右ディスプレイ１１７６及び左ディスプレイ１１７８は、ＡＢＴＴ終端１０での最大温度を含むＡＢＴＴ終端１０の領域内の様式化された温度を有する複数のピクセルを描いている。本発明の開示の原理に従って単一ディスプレイを使用することができることを理解しなければならない。
【０２２４】
図２４Ｅ及び図２４Ｆは、本発明の開示の例示的実施形態によりＡＢＴＴ終端１０を位置付けるのを補助し、次にＡＢＴＴ終端１０の温度を測定するように構成された全体的に１１８０で示す更に別のデバイスの図を示している。温度測定デバイス１１８０は、個別の電子デバイス１１８４（セル電話のような）との通信のための送受信機１１８２と、右ディスプレイ１１８６と、デバイス１１８０のセンサからデバイス１１８０の反対側に位置決めされた左アレイ１１８８とを含む。
【０２２５】
図２５〜図２８（図２５Ａ及び図２５Ｂを除く）は、全体的に１１５０で示す本発明の開示の例示的実施形態による温度測定デバイスを示している。デバイス１１５０は、第１のデバイス部材１１５４及び第２のデバイス部材１１５６を回転可能に支持するデバイス支持体１１５２を有して構成される。デバイス１１５０は、第１のデバイス部材１１５４及び第２のデバイス部材１１５６内に位置付けられた温度センサ（図示せず）を起動することによって温度測定過程を起動するための少なくとも１つのスイッチ１１５８を有して構成される。各デバイス部材１１５４及び１１５６は、ＡＢＴＴ終端１０をＦＯＶの一部として含めるのを容易にするために大きいＦＯＶを達成するように構成されたレンズのような光学系１１６０を含み、すなわち、デバイス１１５０が顔面に対して保持された時に、光学系１１６０の直径は、眼３２が光学系１１６０の中心に置かれ、光学系１１６０がＡＢＴＴ終端１０をも見ることができるようなものである。第１のデバイス部材１１５４及び第２のデバイス部材１１５６は、旋回又は回転するように構成されるので、眼３２の相互間隔の変動を受け入れるように第１のデバイス部材１１５４及び第２のデバイス部材１１５６を調節することができる。デバイス１１５０は、それ自体からラップトップ、タブレット、又はセル電話などのような個別の電子デバイス（図示せず）への信号接続を可能にするように構成されたコネクタ１１６２を更に含むことができる。個別の電子デバイスは、デバイス１１５０からの信号を解析し、デバイス１１５０内に位置付けられた温度センサによって取得された温度マップ又は温度画像の表示を含む解析結果の表示を行うように構成することができる。
【０２２６】
図２５Ａは、本発明の開示の例示的実施形態により少なくとも１つのＡＢＴＴ終端１０を位置付け、次に少なくとも１つのＡＢＴＴ終端１０の温度を測定するように構成された全体的に１２２０で示す更に別のデバイスの図を示している。温度測定デバイス１２２０は、各々がデバイス１２２０の前部分上に回転可能に装着された左センサ１２２２及び右センサ１２２４を含む。デバイス１２２０は、各々が外周又は外縁１２３０を有する第１の光学部材１２２６及び第２の光学部材１２２８を更に含む。第１の光学部材１２２６及び第２の光学部材１２２８は、これらの光学部材の間に開いた空間又は容積１２３２が形成されるように構成される。第１のセンサ１２２２及び第２のセンサ１２２４の各々は、デバイス１２２０が被検者の顔面上に置かれた時に、ＡＢＴＴ終端１０が見えるように位置決めされるように外周又は外縁１２３０を超えて空間又は容積１２３２内に延びる又は突出する。右センサ１２２２及び左センサ１２２４の各々は、第１の光学部材１２２６及び第２の光学部材１２２８を通して表示される画像、ホログラム、仮想現実、及び／又は拡張現実をユーザの眼が見ることを可能にしながらＡＢＴＴ終端１０が見えるように適応されたセンサ面１２３４を含み、それによって第１の光学部材１２２６及び第２の光学部材１２２８が提供する画像を見ながらＡＢＴＴ終端１０からの信号を取り込むことが可能になる。
【０２２７】
図２５Ｂは、本発明の開示の例示的実施形態により少なくとも１つのＡＢＴＴ終端を位置付け、次に少なくとも１つのＡＢＴＴ終端の温度を測定するように構成された全体的に１２４０で示す更に別のデバイスの図を示している。デバイス１２４０は、右センサ１２２４のような単一センサを含む。更に、デバイス１２４０は、右センサ１２２４の回転装着によって右センサ１２２４に対して利用可能な複数の任意的位置のうちの２つを示している。右センサ１２２４をＡＢＴＴ終端１０に位置合わせする際に、摺動及び回転を含む様々な機構を使用することができることを理解しなければならない。
【０２２８】
図２９〜図３２は、全体的に１２００で示す本発明の開示の例示的実施形態による別の温度測定デバイスを示している。デバイス１２００は、互いに回転可能に接続された第１のデバイス部材１２０２と第２のデバイス部材１２０４とを有して構成される。第１のデバイス部材１２０２は、第１のアーム１２０６を含み、第２のデバイス部材１２０４は、第２のアーム１２０８を含む。第１のアーム１２０６及び第２のアーム１２０８の各々は、これらの端部に位置決めされた温度センサ１２１０を含む。各温度センサ１２１０は、同じ方向に向くように置かれる。温度センサ１２１０は、互いに平行であるように向けられる。更に、ＡＢＴＴ終端１０の熱出力を測定する温度センサ１２１０の最外面はほぼ共面である。各温度センサ１２１０を第１のデバイス部材１２０２及び第２のデバイス部材１２０４と関連の顔面との干渉なくＡＢＴＴ終端１０の近くに位置決めすることを可能にするために、各温度センサ１２１０は、第１のデバイス部材１２０２及び第２のデバイス部材１２０４それぞれから離されたある距離にある。デバイス１２００は、温度センサ１２１０を起動することによって温度測定過程を起動するための少なくとも１つのスイッチ１２１２を有して構成される。第１のデバイス部材１２０２と第２のデバイス部材１２０４は、互いに対して旋回又は回転するように構成されるので、眼３２の相互間隔の変動を受け入れるように第１のデバイス部材１２０２及び第２のデバイス部材１２０４を調節することができる。デバイス１２００は、それ自体からラップトップ、タブレット、又はセル電話などのような個別の電子デバイス（図示せず）への温度センサ１２１０の伝達信号の接続を可能にするように構成されたコネクタ１２１４を更に含むことができる。個別の電子デバイスは、デバイス１２００からの信号を解析し、解析結果を表示するように構成することができる。
【０２２９】
図３３〜図３５は、全体的に１２５０で示す本発明の開示の例示的実施形態による別の温度測定デバイスを示している。デバイス１２５０は、両方共にデバイス支持体１２５６上で回転可能に支持された第１のデバイス部材１２５２と第２のデバイス部材１２５４とを有して構成される。デバイス１１５０及び１２００の場合と同様に、眼３２の相互間隔の変動を受け入れるために第１のデバイス部材１２５２及び第２のデバイス部材１２５４を調節することができるように、第１のデバイス部材１２５２と第２のデバイス部材１２５４は、互いに対して旋回又は回転するように構成される。第１のデバイス部材１２５２及び第２のデバイス部材１２５４は、各々が温度センサ１２５８を支持するように構成される。図３３〜図３５の例示的実施形態では、第１のデバイス部材１２５２と第２のデバイス部材１２５４は、互いに対して独立して移動するように構成される。別の実施形態では、第１のデバイス部材１２５２と第２のデバイス部材１２５４は、摩擦又は歯車配置によって互いに移動するように構成することができる。更に別の実施形態では、第１のデバイス部材１２５２と第２のデバイス部材１２５４は、これらのデバイス部材の間の間隔を変更するために横方向又は横断方向に摺動するように構成することができる。デバイス１２５０は、ラップトップ、タブレット、又はセル電話などのような個別の電子デバイス（図示せず）への温度センサ１２５８から出るデバイス１２５０からの信号の接続を可能にするように構成されたコネクタ１２６０を含むように更に構成される。個別の電子デバイスは、デバイス１２５０からの信号を解析し、解析結果を表示するように構成することができる。
【０２３０】
図２３及び図２４でハンドル上に位置決めされるように示すＩＲカメラ撮像カメラ１１０４は、図３６〜図４３に示すように他の方式で装着することができる。図１９及び図２０は、デスク又はテーブル上に位置決めされるのに適する入れ子式支持体２７０上に位置決めされるか又は位置付けられたカメラ１０４を示している。図３８及び図３９は、揺動アーム支持体１２７２上に位置決めされるか又は位置付けられたカメラ１１０４を示している。図４０及び図４１は、グースネック支持体１２７４上に位置決めされるか又は位置付けられたカメラ１１０４を示している。図４２及び図４３は、壁マウント支持体１２７６上に位置決めされるか又は位置付けられたカメラ１１０４を示している。
【０２３１】
他のデバイスをカメラ１１０４と併置することができる。例えば、図４４〜図４７は、個別の電子デバイス、例えば、ラップトップ、セル電話、タブレット、非一時的ストレージ媒体等と通信するように構成された送受信機、送信機、又は受信機１２７８を含むカメラ１１０４の構成を示している。
【０２３２】
図４７Ａ及び図４７Ｂは、測定されている被検者の様々な身長に合わせる調節に向けて揺動アーム支持体１２７２上に位置決めされた図２４Ｃ及び図２４Ｄのデバイス１１７０を示している。図４７Ａの実施形態では、右センサアレイ１１７２及び左センサアレイ１１７４の上方にデジタルカメラ１１９２が位置決めされ、このカメラは、ある一定の解剖学的目印の熱放出量に関するこの解剖学的目印の識別を可能にするために、赤外線画像の上にデジタル画像を重ねるように適応される。図４７Ｂは、図４７Ａに示す要素の側面図であり、縮んでいる場所を示している。
【０２３３】
図４７Ｃ及び図４７Ｄは、デバイス１１７０のためのネジベースの装着機構１１９４を示している。図４７Ｄは、測定されている被検者の様々な身長に合わせる調節に向けて入れ子式支持体１２７０上に位置決めされたデバイス１１７０を示している。デバイス１１７０は、図４７Ａ及び図４７Ｂの配置と同じく構成され、右センサアレイ１１７２及び左センサアレイ１１７４の上方に位置決めされたデジタルカメラ１１９２を含む。赤外線検出器を二重検出器又は二重センサアレイである左右のセンサアレイとして示したが、右ＡＢＴＴと左ＡＢＴＴの両方からの信号を検出するように適応された単一アレイを使用することもできることを理解しなければならない。このアレイを図４７Ｅに単一センサアレイ１１７３として示している。更に、本発明のあらゆる実施形態において単一センサアレイを使用することができることも理解しなければならない。
【０２３４】
図４８〜図５０は、全体的に１３００で示す本発明の開示の例示的実施形態によりＡＢＴＴ終端１０を位置付け、次にＡＢＴＴ終端１０の温度を測定するように構成されたシステムを示している。システム１３００は、その要素を支持するように更に構成されたデスク、テーブル、又はプラットフォーム１３０２を含むように構成される。システム１３００は、移動可能ＩＲカメラ１３０６を支持するように構成された支持システム１３０４を含むように更に構成される。支持システム１３０４は、少なくとも１つのＡＢＴＴ終端１０を位置付けることができるようにカメラ１３０６が複数の垂直位置に移動可能又は調節可能であることを可能にするように構成される。例示的実施形態では、カメラ１３０６は手動で移動される。別の例示的実施形態では、カメラ１３０６は、本明細書でより詳細に説明するコントローラを用いて移動される。更に別の例示的実施形態では、カメラ１３０６は、顔面及び少なくとも１つのＡＢＴＴ終端１０を位置付けるように自動的に移動可能である。
【０２３５】
システム１３００は、それに対して様々な制御機能を与えるためのキーパッド、マイクロフォン、ＵＳＢ又は他のポート、カードスキャナ、又は他のデバイスを含むように構成することができる制御デバイス１３０８を含むように更に構成される。そのような制御機能は、ＩＲカメラ１３０６を顔面１３１０に位置合わせするための支持システム１３０４に沿うＩＲカメラ１３０６の移動を含むことができる。ＩＲカメラ１３０６は、コネクタ（図示せず）、送受信機１３１２、又はこれらの両方を含むように構成することができる。同じく制御デバイス１３０８も、コネクタ（図示せず）、送受信機１３１４、又はこれらの両方を含むように構成することができる。従って、制御デバイス１３０８は、ケーブル（図示せず）を通して、又は送受信機１３１２及び１３１４を通してＩＲカメラ１３０６と通信することができる。システム１３００は、圧力センサ又は存在センサを含んで制御デバイス１３０８とケーブル（図示せず）又は無線のいずれかを通して通信するように構成された圧力検出デバイス又は存在検出デバイス１３１６を含むように更に構成することができる。
【０２３６】
ＩＲカメラ１３０６は、ある角度のＦＯＶ１３１８を含むことを理解しなければならない。例示的実施形態では、ＩＲカメラ１３０６の構成及び位置は、被検者１３２０が圧力検出デバイス又は存在検出デバイス１３１６の場所に立っている時にＦＯＶ１３１８が被検者又は患者の顔面１３１０のうちの殆ど又は全てを含むほど十分に大きいようなものである。ＦＯＶ１３１８の範囲にはＡＢＴＴ終端１０の区域及びＡＢＴＴ終端１０の直近又は隣の区域に対応する小さめの２次元区域１３２２が存在することを理解しなければならない。
【０２３７】
システム１３００を作動させるために、被検者１３２０は、圧力検出デバイス又は存在検出デバイス１３１６の上に立ち、それによってシステム１３００が開始又は起動される。圧力検出デバイス又は存在検出デバイス１３１６は、被検者１３２０の体重を容易に提供することができる。例示的実施形態では、被検者１３２０は、制御デバイス１３０８上のキーを押下することによって温度測定作動を始めることができる。これに代えて、圧力検出デバイス１３１６上の被検者１３２０の存在が、温度測定作動を開始することができる。更に別の代替として、セル電話、ラップトップ、タブレットのような個別の電子デバイス１３２４をシステム１３００と通信し、システム１３００作動を開始し、並びにシステム１３００の機能を制御するように構成することができる。
【０２３８】
例示的実施形態では、被検者１３２０は、ＩＲカメラ１３０６を眼の高さにくるように手動で移動するか、又は制御デバイス１３０８上の制御器を用いてＩＲカメラ１３０６を支持システム１３０４に沿って垂直に位置決めする。別の例示的実施形態では、ＩＲカメラ１３０６は、ＡＢＴＴ終端１０に対応する高温スポットに関して走査しながら支持システム１３０４に沿って移動する。この後者の実施形態では、ＩＲカメラ１３０６がＡＢＴＴ終端１０に対応する高温スポットを識別した状態で、ＩＲカメラ１３０６は、それ自体をＡＢＴＴ終端１０からの温度信号を取得するように位置決めする。ＩＲカメラ１３０６は、その熱撮像機能によって被検者１３２０の頭の上部の位置を決定することができるので、ＩＲカメラ１３０６の移動は、システム１３００に被検者１３２０の身長を測定する機能を更に与えることに注意しなければならない。これに代えて、ＡＢＴＴ終端１０から一般的な人の頭の上部までの平均距離が以前に測定された距離であることを前提として、ＩＲカメラ１３０６がＡＢＴＴ終端１０を位置付けた状態で、システム１３００は、被検者１３２０の身長を推定することができる。
【０２３９】
ＩＲカメラ１３０６がＡＢＴＴ終端１０の温度を測定するように位置決めされた状態で、制御デバイス１３０８又は個別の電子デバイス１３２４内で達成することができる温度データの取得及び解析が始まる。データ取得過程は、必要とされるデータ解析のタイプに依存して複数の時間間隔を含むように構成することができる。簡単な温度測定では、データ取得の長さは、一般的に数秒、例えば、１０秒から２０秒までである。複雑な測定では、データ取得の長さは数分である場合がある。一部のデータ取得間隔は非常に長い場合があり、被検者１３２０に対して椅子を与えることを有益とすることができる。
【０２４０】
図５０Ａ及び図５０Ｂは、全体的に１３３０で示す本発明の開示の例示的実施形態によりＡＢＴＴ終端１０を位置付け、次にＡＢＴＴ終端１０の温度を測定するように構成された別のシステムの図を示している。ＡＢＴＴ終端測定システムは、右センサアレイ１１７２と、左センサアレイ１１７４と、これらのセンサアレイの位置を変更するための摺動機構１３３２と、キーパッドとカードスロット１３３６を有するカード読取器との組合せ１３３４とを含む。この実施形態では、広告に使用することができるもののようなディスプレイが存在せず、測定は、カードスロット１３３６内にＩＤカードを挿入すること、又は支払いに向けてクレジットカードをカードスロット１３３６内に挿入することによって行われる。図５０Ｂに示すように、キーパッド及びカード読取器１３３４は、測定中にシステム１３３０に作動的に結合された電子デバイス１１８４に接続するための第２のスロット１３３８を含み、この測定において、電子デバイス１１８４、例えば、セル電話は、電子デバイススロット１３３８内に入れられた時にシステム１３３０に身長情報を与え、それによって摺動機構１３３２による自動高さ調節が可能になる。キーパッド及びカード読取器１３３４は、ユーザが測定及び識別カードなどを購入する場合のクレジットカードに対する読取器を含むことができる。
【０２４１】
支持システム１３０４は、様々な配置に構成することができる。図５１及び図６２は、垂直に延びる２つのポール１３２６と横断バー１３２８とを含む「Ｈ字」構成を含む例示的な支持システム１３０４ａを示している。ＩＲカメラ１３０６は、横断バー３２８に沿って左右に移動するように構成され、横断バー１３２８は、ポール１３２６に沿って垂直に移動するように構成され、これら両方の移動により、被検者又は患者の顔面に位置合わせするためのＩＲカメラ１３０６の移動が可能になる。図５３及び図５４は、ポール１３２６に垂直に沿うＩＲカメラ１３０６の移動を可能にするように構成された単一ポール１３２６を含む別の例示的な支持システム１３０４ｂを示している。左右位置決め又は水平位置決めを達成するために、患者又は被検者は左又は右に移動することになる。
【０２４２】
図５５〜図５９は、全体的に１３５０で示す本発明の開示の例示的実施形態による別のＡＢＴＴ終端測定システムを示している。システム１３５０は、多くの点でシステム１３００と同様であるが、ミラー１３５２を更に含む。
【０２４３】
図６０〜図６５は、全体的に１３６０で示す本発明の開示の例示的実施形態による別のＡＢＴＴ温度測定システムを示している。システム１３６０は、多くの点でシステム１３００及び１３５０と同様であるが、ＩＲカメラ１３０６の出力を被検者３２０に提供するように構成されたディスプレイ１３６２を更に含む。ディスプレイ１３６２は、ＩＲエネルギに対して透過性を有し、従って、カメラ１３０６は、ディスプレイ１３６２を透過したＩＲエネルギを感受する。
【０２４４】
図６６〜図７２は、全体的に１３７０で示す本発明の開示の例示的実施形態による別のＡＢＴＴ温度測定システムを示している。システム１３７０は、多くの点でシステム１３６０と同様であるが、ＩＲカメラ１３０６を位置合わせするのを補助するために可視光波長で顔面１３１０の画像を取り込んで顔面１３１０をディスプレイ１３６２上に提示するように構成されたデジタルカメラ１３７２を更に含む。
【０２４５】
図７３〜図７９は、全体的に１３８０で示す本発明の開示の例示的実施形態による別のＡＢＴＴ温度測定システムを示している。システム１３８０は、多くの点でシステム１３６０及び１３７０と同様であるが、ＩＲカメラ１３０６に隣接して位置決めされた表示デバイス１３８２を更に含む。表示デバイス１３８２は、顔面１３１０に対してＩＲカメラ１３０６を位置合わせするのを補助するために表示デバイス１３８２上に出力が提示されるデジタルカメラを含むように構成することができる。
【０２４６】
図８０〜図８６は、全体的に１３９０で示す本発明の開示の例示的実施形態による別のＡＢＴＴ温度測定システムを示している。システム１３９０は、システム１３７０及び１３８０からの選択的な特徴を含む。表示デバイス１３８２は、顔面１３１０に対してＩＲカメラ１３０６を位置合わせするのを補助するためにデジタルカメラ１３７２によって供給される視覚データを提示するように構成される。
【０２４７】
図８７は、全体的に１４００で示す本発明の開示の例示的実施形態によりＡＢＴＴ終端１０を位置付け、次にＡＢＴＴ終端１０の温度を測定するように構成された別のシステムを示している。システム１４００は、移動可能ＩＲカメラ１４０４を支持するように構成された支持システム１４０２を含むように構成される。支持システム１４０２は、少なくとも１つのＡＢＴＴ終端１０を位置付けることができるようにＩＲカメラ１４０４が複数の垂直位置に移動可能又は調節可能であることを可能にするように構成される。例示的実施形態では、カメラ１４０４は手動で移動される。別の例示的実施形態では、カメラ１４０４は、コントローラを用いて移動される。更に別の例示的実施形態では、カメラ１４０４は、顔面１４０６及び少なくとも１つのＡＢＴＴ終端１０を位置付けるように自動的に移動可能である。
【０２４８】
図８７Ａ及び図８７Ｂは、全体的に１４２０で示す本発明の開示の例示的実施形態によりＡＢＴＴ終端１０を位置付け、次にＡＢＴＴ終端１０の温度を測定するように構成された更に別のシステムの図を示している。システム１４２０は、ディスプレイ１４２４の上方に位置決めされてディスプレイ１４２４と作動的に結合された熱電対列アレイを含むことができる赤外線センサアレイ１４２２を含む。ディスプレイ１４２４は、ＡＢＴＴ終端１０からのエミッションの測定中に広告を表示するように構成することができ、測定結果を広告中のランダムな時点でディスプレイ１４２４上に出現するように構成することができる。図８７Ｂは、センサアレイ１４２２が被検者のＡＢＴＴ終端１０からの熱信号を取り込んでいる状態にある被検者を測定中のシステム１４２０の一部分の図を示している。
【０２４９】
図８７Ｃ及び図８７Ｄは、全体的に１４３０で示す本発明の開示の例示的実施形態によりＡＢＴＴ終端１０を位置付け、次にＡＢＴＴ終端１０の温度を測定するように構成された更に別のシステムの図を示している。ＡＢＴＴ温度測定システム１４３０は、画面１４３４の背後に位置決めされた熱センサ１４３２を含み、熱センサ１４３２は、赤外線センサ及び熱撮像デバイスのうちの少なくとも一方を含み、画面１４３４は、画面１４３４によって発生される熱エネルギを計算するのを容易にするために好ましくはＬＥＤディスプレイであり、これは、ＬＥＤが比較的安定した温度を有し、ＡＢＴＴ終端１０の温度を決定するのにセンサ１４３２によって測定された温度を調節又は補正するためにＬＥＤ画面１４３４の温度を使用することができるという理由に基づいている。画面１４３４は、ＩＲエネルギに対して透過性を有することができ、従って、赤外線センサ１４３２は、画面１４３４を透過したＩＲエネルギを感受する。システム１４３０は、広告のような画像１４３６が画面１４３４上に提示されている間にＡＢＴＴ終端１０からの熱信号を測定するように構成され、被検者は、測定を受けるためには画面１４３４を注視しなければならない。これに加えて、画面１４３４上には測定結果が示されている。図８７Ｄは、センサアレイ４３２が被検者のＡＢＴＴ終端１０からの熱信号を取り込んでいる状態にある被検者を測定中のシステム１４３０を示している。
【０２５０】
図８７Ｅ及び図８７Ｆは、全体的に１４５０で示す本発明の開示の例示的実施形態によりＡＢＴＴ終端１０を位置付け、次にＡＢＴＴ終端１０の温度を測定するように構成された更に別のシステムの図を示している。ＡＢＴＴ温度測定システム１４５０は、デジタルカメラ１４５２と、赤外線センサアレイ１４５４と、ＡＢＴＴ終端１０からのエミッションの測定が行われている間に広告１４５８又は他の情報を示す画面１４５６とを含む。図８７Ｆは、センサアレイが被検者のＡＢＴＴからの熱信号を取り込んでいる状態にある被検者を測定中のシステム１４５０を示している。デジタルカメラ１４５２は、ＡＢＴＴ終端１０及び眼３２の画像を取り込み、これらの画像情報を用いて赤外線センサアレイ１４５４をＡＢＴＴ終端１０に位置合わせする。次に、デジタル画像は、表示中の熱画像上に重ね合わされる。
【０２５１】
図８７Ｇ及び図７０Ｈは、全体的に１４６０で示す本発明の開示の例示的実施形態によりＡＢＴＴ終端１０を位置付け、次にＡＢＴＴ終端１０の温度を測定するように構成された更に別のシステムの図を示している。ＡＢＴＴ温度測定システム１４６０は、熱画像カメラ１４６２と、ＡＢＴＴ終端１０の熱エミッションの測定値が取得されている間に広告１４６６又は他の情報を示す画面１４６４とを含む。図８７Ｈは、センサアレイ１４６２が被検者のＡＢＴＴ終端１０からの熱信号を取り込んでいる状態にある被検者を測定中のシステム１４６０の図を示している。
【０２５２】
図８７Ｉ〜図８７Ｋは、全体的に１４７０で示す本発明の開示の例示的実施形態によりＡＢＴＴ終端１０を位置付け、次にＡＢＴＴ終端１０の温度を測定するように構成された更に別のシステムの図を示している。ＡＢＴＴ温度測定システム１４７０は、デジタルカメラ１４５２と、赤外線センサアレイ４５４と、ディスプレイ１４７６を含んで、測定値が取得されている間にこのディスプレイ１４７６上に広告１４７８及び他の情報を示す電子デバイス１４７４を固定するように構成されたクランプ機構１４７２とを含む。図８７Ｊは、セル電話、タブレット、及びコンピュータなどのような電子デバイス１４７４を固定するためのクランプ機構１４７２の詳細を示している。図８７Ｉは、センサアレイ１４５４が被検者のＡＢＴＴ終端１０からの熱信号を取り込んでいる状態にある被検者を測定中のシステム１４７０の図を示している。デジタルカメラ１４５２は、ＡＢＴＴ終端１０及び眼３２の画像を取り込み、これらの画像情報を用いて赤外線センサアレイ１４５４をＡＢＴＴ終端１０に位置合わせする。次に、デジタル画像は、熱画像上に重ね合わされる。
【０２５３】
図８７Ｌ〜図８７Ｍは、全体的に１５４０で示す本発明の開示の例示的実施形態によりＡＢＴＴ終端１０を位置付け、次にＡＢＴＴ終端１０の温度を測定するように構成された更に別のシステムの図を示している。これに代えて、システム１５４０及び本発明の開示の他のシステムは、測定ステーションであるとして説明することができる。ＡＢＴＴ温度測定システム１５４０は、自由端にサーミスタのような接触センサ１５４６を有するロッド１５４４を含むセンサデバイス１５４２と、キーパッド１５４８と、キーパッド１５４８に隣接し、センサデバイス１５４２によって測定された値を報告するディスプレイ１５５０とを含む。ディスプレイ１５５０は、センサデバイス１５４２の電子回路と作動的に結合され、測定が終了した後に広告を表示し、同時に測定結果を表示する。ペン状のセンサデバイス１５４２は、センサ１５４６と様々な身長を有する人々のＡＢＴＴ終端１０との位置合わせに向けてシステム１５４０の摺動機構１３３２に接続される。この実施形態では、結果は、測定が終了した後に計算して報告され、図８７Ａから図８７Ｈに示すような移動可能ディスプレイは存在しない。図８７Ｍは、システム１５４０の摺動機構１３３２に接続するための機械的コネクタ（図示せず）を含み、更に接触センサ１５４６とＡＢＴＴ終端１０との位置合わせのための回転機構を含む単一センサデバイス１５４２を示している。
【０２５４】
図８７Ｎは、全体的に１５６０で示す本発明の開示の例示的実施形態による二重センサデバイスを示している。デバイス１５６０は、システム１５４０の摺動機構１３３２に接続するためのコネクタ（図示せず）を含む。デバイス１５６０は、右アーム１５６２と左アーム１５６４を含む。右アーム１５６２は右センサ１５６６を含み、左アーム１５６４は左センサ１５６８を含む。
【０２５５】
図８７Ｏは、全体的に１５８０で示す本発明の開示の例示的実施形態によるセンサデバイスを示している。デバイス１５８０は、センサ本体１５８２と、格納可能ケーブル又はワイヤ１５８６によってセンサ本体１５８２に接続されたセンサロッド１５８４とを含む。センサ本体１５８２は、システム１５４０の摺動機構１３３２上に装着され、摺動機構１３３２と相互作用するように構成される。デバイス５８０は、センサロッド１５８４上にその遠位端で位置決めされたセンサ１５９０と、測定中にセンサ１５９０を保護して相互汚染を回避するためのカバー１５８８とを更に含む。
【０２５６】
図８７Ｐは、全体的に１６００で示す本発明の開示の例示的実施形態によるセンサデバイスを示している。デバイス１６００は、二重センサ１６０２と、これらのセンサ１６０２がそこに位置決めされたセンサロッド１６０４とを含む。センサロッド１６０４は、例えば、システム１５４０の格納可能ケーブル又はワイヤ１６１０のコネクタ又はジャック１６０８に嵌合するためのコネクタ１６０６を含む。センサデバイス１６００は、測定中に相互汚染を回避するためのセンサ１６０２に対するカバー１６１２を更に含む。
【０２５７】
図８７Ｑは、摺動機構１３３２に接続され、右ＡＢＴＴ終端１０及び左ＡＢＴＴ終端１０の温度を表示するディスプレイ１５５２が追加されたシステム１５４０を示している。
【０２５８】
医師である本出願人による臨床実験は、右ＡＢＴＴ終端１０と左ＡＢＴＴ終端とを好ましくは同時に測定することにより、いくつかの疾患のリスク及びいくつかの疾患の診断に関する重要な臨床情報が与えられることを示している。測定値は、絶対値（例えば、右がセ氏３６．６度及び左がセ氏３６．０度）、左側と右側の間の差、又は経時温度変化を含むことができる。右ＡＢＴＴ終端１０（「Ｒ」）及び左ＡＢＴＴ終端１０（「Ｌ」）に関する温度対時間をプロットした以下のグラフは、これまで認識されていなかった疾患及び病態の特性をＡＢＴＴ終端１０の出力の解析に基づいて描いている。
【０２５９】
図８９は、右ＡＢＴＴ終端１０が左ＡＢＴＴ終端１０よりも高い温度を有することを示し、右側の動脈瘤破裂のリスクを示している。
【０２６０】
図９０は、右ＡＢＴＴ終端１０での正常温度及び左ＡＢＴＴ終端１０での高い温度を示し、左側の脳癌のリスクを示している。
【０２６１】
図９１は、左ＡＢＴＴ終端１０で高めの周波数を有し、右ＡＢＴＴ終端１０で低めの周波数を有する振動パターンを示し、左側の発作のリスクを示している。
【０２６２】
図９２は、両方の側で正常周波数よりも低い周波数を有するが、右ＡＢＴＴ終端１０の方が高い周波数を有する振動パターンを示し、脳又は神経系の左側の感染の進行を示している。
【０２６３】
図９３は、低めのＡＢＴＴと比較して右ＡＢＴＴ終端１０で高い温度変化速度を示し、右側の膿瘍のリスクを示している。
【０２６４】
図９４は、右ＡＢＴＴ終端１０と左ＡＢＴＴ終端１０の両方において低めの周波数を有する振動パターンを示し、アルツハイマー病又は海馬を超えるアルツハイマー病の広がりを示している。
【０２６５】
図９５は、右ＡＢＴＴ終端１０で低めの温度（セ氏３６．０度）及び左ＡＢＴＴ終端１０で正常温度（セ氏３６．７度）を有する絶対数値を示し、右側の脳卒中のリスクを示すディスプレイを示している。
【０２６６】
システム１４００は、システム１４００に対して様々な制御機能を与えるためのキーパッド、マイクロフォン、ＵＳＢ又は他のポート、カードスキャナ、又は他のデバイスを含むように構成することができる制御デバイス１４０８を含むように更に構成される。そのような制御機能は、ＩＲカメラ１４０４を顔面１４０６に位置合わせするための支持システム１４０２に沿うＩＲカメラ１４０４の移動を含むことができる。ＩＲカメラ１４０４は、コネクタ（図示せず）、送受信機（図示せず）、又はこれらの両方を含むように構成することができる。同じく制御デバイス１４０８は、コネクタ（図示せず）、送受信機（図示せず）、又はこれらの両方を含むように構成することができる。従って、制御デバイス１４０８は、ケーブル（図示せず）又は無線を通してＩＲカメラ１４０４と通信することができる。システム１４００は、圧力センサ又は存在センサを含んで制御デバイス１４０８とケーブル（図示せず）又は無線のいずれかを通して通信するように構成された圧力検出デバイス又は存在検出デバイス１３１６を含むように更に構成することができる。
【０２６７】
ＩＲカメラ１４０４は、ある角度のＦＯＶ１４１０を含むことを理解しなければならない。例示的実施形態では、ＩＲカメラ１４０４の構成及び位置は、被検者１４１２が圧力検出デバイス又は存在検出デバイス１３１６の場所に立っている時にＦＯＶ１４１０が顔面１４０６のうちの殆ど又は全てを含むほど十分に大きいようなものである。ＦＯＶ１４１０の範囲にはＡＢＴＴ終端１０の区域及びＡＢＴＴ終端１０の直近又は隣の区域に対応する小さめの２次元区域１４１４が存在することを理解しなければならない。
【０２６８】
システム１４００を作動させるために、被検者１４１２は、圧力検出デバイス又は存在検出デバイス１３１６の上に立ち、それによってシステム１４００が開始又は起動される。圧力検出デバイス又は存在検出デバイス１３１６は、被検者１４１２の体重を容易に提供することができる。例示的実施形態では、被検者１４１２は、制御デバイス１４０８上のキーを押下することによって温度測定作動を始めることができる。これに代えて、圧力検出デバイス１３１６上の被検者１４１２の存在が、温度測定作動を開始することができる。更に別の代替として、セル電話、ラップトップ、タブレットのような個別の電子デバイス（図示せず）は、システム１４００と通信し、システム１４００の作動を開始し、かつシステム１４００の機能を制御するように構成することができる。
【０２６９】
例示的実施形態では、被検者１４１２は、自分の眼に視準してＩＲカメラ１４０４を手動で移動するか、又は制御デバイス１４０８上の制御器を用いてＩＲカメラ１４０４を支持システム１４０２に沿って垂直に位置決めする。別の例示的実施形態では、ＩＲカメラ１４０４は、ＡＢＴＴ終端１０に対応する高温スポットに関して走査しながら支持システム１４０２に沿って移動する。この後者の実施形態では、ＩＲカメラ１４０４がＡＢＴＴ終端１０に対応する高温スポットを識別した状態で、ＩＲカメラ１４０４は、それ自体をＡＢＴＴ終端１０からの温度信号を取得するように位置決めする。ＩＲカメラ１４０４はその熱撮像機能によって被検者１４１２の頭の上部を位置付けることができるので、ＩＲカメラ１４０４の移動は、システム１４００に被検者１４１２の身長を測定する機能を更に与えることに注意しなければならない。これに代えて、ＡＢＴＴ終端１０から一般的な人の頭の上部までの平均距離が以前に測定された距離であることを前提として、ＩＲカメラ１４０４がＡＢＴＴ終端１０を位置付けた状態で、システム１４００は、被検者１４１２の身長を推定することができる。
【０２７０】
ＩＲカメラ１４０４がＡＢＴＴ終端１０の温度を測定するように位置決めされた状態で、制御デバイス１４０８又は個別の電子デバイス（図示せず）内で達成することができる温度データの取得及び解析が始まる。データ取得過程は、必要とされるデータ解析のタイプに依存して複数の時間間隔を含むように構成することができる。簡単な温度測定では、データ取得の長さは、一般的に数秒、例えば、１０秒から２０秒までである。複雑な測定では、データ取得の長さは数分である場合がある。一部のデータ取得間隔は非常に長い場合があり、被検者１４１２に対して椅子を与えることを有益とすることができる。
【０２７１】
図８８は、全体的に１５００で示す本発明の開示の例示的実施形態によるＡＢＴＴ取得過程を示している。過程１５００の機能は、ＩＲカメラ１３０６のようなＩＲカメラをＡＢＴＴ終端１０の温度出力を測定することができる場所まで駆動することである。過程５１００は、開始過程１５０２で開始され、その間にＡＢＴＴ温度測定システムの様々な要素が給電されて初期化される。ＡＢＴＴ温度測定システムが初期化された状態で、制御は、開始過程１５０２から第１方向移動過程１５０４に移る。
【０２７２】
第１方向移動過程１５０４では、ＩＲカメラが支持システムに沿って垂直に移動される。ＩＲカメラは、移動する間にＩＲ画像を取得する。例示的実施形態では、ＩＲカメラからのデータは、取得された時に例えばデータ解析過程１５０６において解析される。別の例示的実施形態では、データは、ＩＲカメラが第１の移動限界に達した後に解析される。データが、取得された時に近実時間で解析される場合に、制御は、ＡＢＴＴ終端１０の場所が識別された状態でＡＢＴＴ終端位置付け判断過程１５０８に移る。他の場合に、ＩＲカメラは第１の限界に達することが許され、制御は、その後にＡＢＴＴ終端位置付け判断過程１５０８に移される。
【０２７３】
ＡＢＴＴ終端位置付け判断過程１５０８では、ＡＢＴＴ終端１０が位置付けられたか否かに関して決定が行われる。そのような決定は、カ氏９７．５度からカ氏１０６度の範囲にある温度のような顔面の予め決められた温度が識別された場合に行うことができる。ある一定の状況では、ＡＢＴＴ終端１０を取り囲む皮膚がＡＢＴＴ終端１０よりも高温である場合がある。本発明の開示のＡＢＴＴ温度測定システムは、ＡＢＴＴ終端１０を取り囲む全ての温度がＡＢＴＴ終端１０よりも高温であることを認識すること、従って、ＡＢＴＴ終端１０がそれを取り囲む皮膚よりも低温であることを認識することによってこの状況に対処することができる。非常に希な状況では、周辺皮膚の温度がＡＢＴＴ終端１０の温度とほぼ同じ温度であり、この場合に、有効な温度測定値を達成するために周辺皮膚を冷却するための追加対策を必要とする場合がある。ＡＢＴＴ終端１０を識別することができた場合に、制御は、ＡＢＴＴ終端場所へ移動過程１５１０に移る。ＡＢＴＴ終端１０を識別することができなかった場合に、制御は、第２方向移動過程１５１８に移る。
【０２７４】
ＡＢＴＴ終端場所へ移動過程１５１０では、ＩＲカメラが、ＡＢＴＴ終端１０が識別された高さ又は場所に駆動される。ＩＲカメラが決定された場所に達した状態で、制御は、ＡＢＴＴ終端場所過程１５１０からデータ取得過程１５１２に移る。
【０２７５】
データ取得過程１５１２では、ＡＢＴＴ終端１０からの温度データが予め決められた期間にわたって取得される。そのようなデータ取得は、数秒から数十分にわたるとすることができる。温度読取だけのためのデータ取得の一般的な範囲は、約１０秒から２０秒までである。病状を診断するためのより詳細なデータ取得では、データ取得は、３０秒から２０分又はそれよりも更に長い場合がある。データ取得に対する予め決められた期間が経過した状態で、制御は、データ取得過程１５１２からデータ解析過程１５１４に移る。
【０２７６】
データ取得過程５１２において受信されたデータは、データ解析過程１５１４において解析される。解析が完了した状態で、制御は、データ解析過程１５１４からデータ送信又は表示過程１５１６に移り、そこで解析されたデータが、ラップトップ、タブレット、セル電話のような電子デバイスに送信されるか、又はシステムディスプレイ上に表示されるか、又はこれらの両方が行われる。その後に、制御は終了過程１５２６に移り、過程１５２６は、解析されたデータの精査を可能にするための予め決められた期間の後に全てのハードウエアを待機モード又は停止モードに入れることができる。
【０２７７】
第２方向移動過程１５１８に戻ると、ＩＲカメラは、支持システムに垂直に沿って第１の方向と反対の第２の方向に移動される。ＩＲカメラは、移動する間にＩＲ画像を取得する。例示的実施形態では、ＩＲカメラからのデータは、取得された時に例えばデータ解析過程１５２０において解析される。別の例示的実施形態では、データは、ＩＲカメラが第２の移動限界に達した後に解析される。データが、取得された時に近実時間で解析される場合に、制御は、ＡＢＴＴ終端１０の場所が識別された状態でＡＢＴＴ終端位置付け判断過程１５２２に移る。他の場合に、ＩＲカメラは第１の限界に達することが許され、制御は、その後にＡＢＴＴ終端位置付け判断過程１５２２に移される。
【０２７８】
ＡＢＴＴ終端位置付け判断過程１５２２では、ＡＢＴＴ終端１０が位置付けられたか否かに関して決定が行われる。そのような決定は、カ氏９７．５度からカ氏１１０６度の範囲にある温度のような顔面の予め決められた温度が識別された場合に行うことができる。ある一定の状況では、ＡＢＴＴ終端１０を取り囲む皮膚がＡＢＴＴ終端１０よりも高温である場合がある。本発明の開示のＡＢＴＴ温度測定システムは、ＡＢＴＴ終端１０を取り囲む全ての温度がＡＢＴＴ終端１０よりも高温であることを認識すること、従って、ＡＢＴＴ終端１０がそれを取り囲む皮膚よりも低温であることを認識することによってこの状況に対処することができる。非常に希な状況では、周辺皮膚の温度がＡＢＴＴ終端１０の温度とほぼ同じ温度であり、この場合に、有効な温度測定値を達成するために周辺皮膚を冷却するための追加対策を必要とする場合がある。ＡＢＴＴ終端１０を識別することができた場合に、制御は、本明細書で上述したようにＡＢＴＴ終端場所へ移動過程１５１０に移る。ＡＢＴＴ終端１０を識別することができなかった場合に、制御は、エラー返信過程１５２４に移る。
【０２７９】
エラー返信過程１５２４では、被検者、患者、又は他の個人にＡＢＴＴ終端１０が位置付けられなかったという通知が与えられる。その後に、制御は、エラー返信過程１５２４から上述のように機能する終了過程１５２６に移る。
【０２８０】
本明細書における一部の実施形態は、顔面全体が取得されるような熱撮像を記載しているが、ＡＢＴＴ終端１０が位置付けられた眼と鼻の間の角状領域を位置付け、この領域を識別するのに全顔面撮像を必要としないことを理解しなければならない。従って、一部の実施形態では、熱撮像カメラは、全顔面ではなくＡＢＴＴ終端１０が位置付けられた独特な場所を識別するのに十分な視野しか必要としない場合がある。
【０２８１】
図９６〜図９９を参照すると、本発明の開示の例示的実施形態により測定デバイスを有して構成された電子装置が示されており、全体的に２０４０で示されている。電子装置２０４０は、セル電話、タブレット、又は他の類似のサイズの電子デバイスとして構成することができる。電子装置２０４０は、カメラ２０４２と、ディスプレイ２０４４と、第１のセンサ２０４６と、左ＡＢＴＴ終端１０及び右ＡＢＴＴ終端１０の同時取得を可能にするために第１のセンサ２０４６からある距離だけ遠隔に位置決めされた第２のセンサ２０４８とを含むように構成される。
【０２８２】
電子装置２０４０は、最初にカメラ２０４２を起動し、図２及び図３に示すもののような顔面をディスプレイ２０４４上に表示することによって一方又は両方のＡＢＴＴ終端１０の温度を取得するように構成することができる。例示的実施形態では、ユーザが電子装置を左ＡＢＴＴ終端１０及び右ＡＢＴＴ終端１０の場所に案内することを可能にするために、顔面を表示することに加えて追加の温度表示を示すことができる。第１のセンサ２０４６及び第２のセンサ２０４８が左ＡＢＴＴ終端１０及び右ＡＢＴＴ終端１０の温度を測定するように位置決めされる数秒を要する段階が終わると、電子装置２０４０は、各ＡＢＴＴ終端１０の温度を迅速に、正確に、かつ高精度で取得してディスプレイ２０４４上に提示し、脳コア２０２４の温度の非接触測定を可能にする。電子装置２０４０の全ての機能は、対話式タッチ画面として構成することができるディスプレイ２０４４を通して、又は電子装置２０４０上に位置付けられた１又は２以上の物理的なボタン、スイッチ、又は他の制御器を通して起動することができる。センサ２０４６及び２０４８は、熱電対列、赤外線センサ、又は直接接触なしで身体パラメータを測定するように構成された他の適切なセンサとすることができるが、一度にセンサ２０４６又はセンサ２０４８のいずれかを一方のＡＢＴＴ終端１０と直接接触状態に入れることしかできないことを理解しなければならない。
【０２８３】
図１００及び図１０１を参照すると、本発明の開示の例示的実施形態による温度測定デバイスを有して構成された別の電子装置が示されており、全体的に２０５０で示されている。電子装置２０５０は、バンド２０５２と装置本体５４とを含む腕時計のような手首装着式デバイスとして構成される。更に、電子装置５０は、ディスプレイ２０５６と、機能及び構造において第１のセンサ２０４６及び第２のセンサ２０４８に類似とすることができるセンサ２０５８とを含む。電子装置２０５０のユーザは、１又は２以上の制御器（図示せず）を押下するか又はタッチ画面として構成することができるディスプレイ２０５６を電子装置２０５０への入力として用い、次に、センサ２０５８をＡＢＴＴ終端１０の近くに置いた場所に自分の手首を保持することによってＡＢＴＴ終端１０での温度を取得することができる。電子装置２０５０は、予め決められた範囲の温度を感受すること、又はＡＢＴＴ終端１０の周りの領域内の温度をマッピングすることによって達成することができるＡＢＴＴ終端を位置付ける段階が終わったことを示すための第１の可聴出力を有するように構成することができる。そのようなマッピングは、例えば、センサ２０５８がＡＢＴＴ終端１０でピーク温度を見つけることができるような又は非常に高温の雰囲気条件下で発生する可能性があるＡＢＴＴ終端１０での温度が周辺皮膚の温度よりも低い希な状況ではＡＢＴＴ終端１０で最低温度を見つけることができるような電子装置２０５０の走査タイプの運動によって達成することができる。そのような走査は、全体が引用によって本明細書に組み込まれている現在特許出願中の米国特許出願第１４／５９３，８４８号明細書により詳細に記載されている。ＡＢＴＴ終端１０を位置付けた状態で、第１の可聴出力とは異なるとすることができる第２の可聴出力が、ＡＢＴＴ終端１０での温度を測定し終えたことを示すことができる。ＡＢＴＴ終端１０の温度を測定した状態で、ユーザは、見ることができる場所にディスプレイ５６を移動して表示温度を確認することになり、又は可聴出力がＡＢＴＴ終端１０の温度を提示することができる。
【０２８４】
図１０２は、本発明の開示の例示的実施形態による温度測定デバイスを有して構成された全体的に２０６０で示す更に別の電子装置の図である。電子装置２０６０は、ディスプレイ２０６２と、温度感知デバイス２０６４と、電気コネクタ２０６６とを含むように構成される。温度感知デバイス２０６４は、電子装置２０６０に取り付けられてコネクタ２０６６と相互作用するように構成される。温度感知デバイス２０６４は、プローブ２０６８と、電子装置２０６０のハウジング２０７０に取り付けるように構成されたセンサ本体２０７０と、コネクタ２０６６に嵌合するように構成された電気センサコネクタ２０７２とを含むように構成される。プローブ２０６８は、センサアーム２０７６の遠位端に位置付けられたセンサ２０７４を含むように構成される。感知デバイス２０６４は、センサコネクタ２０７２を通じたものとすることができる接続デバイスとして構成される。
【０２８５】
センサ２０７４は、ＡＢＴＴ終端１０と接触しているように位置決めすることができる。ＡＢＴＴ終端１０を見つけるために、ＡＢＴＴ終端１０の区域をセンサ２０７４によって走査することができ、電子装置２０６０は、可聴出力、ディスプレイ２０６２上のもの又は点減光のような視覚出力、又は触覚フィードバックとしても説明される振動出力を与える。電子装置２０６０からの第１の表示は、ＡＢＴＴ終端１０の位置付けを示すことができ、電子装置２０６０からの第２の表示は、ＡＢＴＴ終端１０の温度測定を示すことができる。電子装置２０６０は、温度データを他の電子デバイスに無線又は有線で送信するように構成することができる。
【０２８６】
図１０３を参照すると、本発明の開示の例示的実施形態による温度測定デバイスを有して構成された別の電子装置が示されており、全体的に２０８０で示されている。電子装置２０８０は、セル電話（又はこれに代えて、タブレット及びコンピュータデバイスなど）として構成することができ、前面２０８４と、背面２０８６と、ディスプレイ２０８８と、温度センサ２０９０とを含む装置本体２０８２を含む。装置本体２０８２は、上側面２０９２と、右側面２０９４と、下側面２０９６と、左側面２０９８とを左上コーナ２１００と、右上コーナ２１０２と、右下コーナ２１０４と、左下コーナ２１０６とに加えて更に含む。温度センサ２０９０は、機能及び構造において第１のセンサ２０４６及び第２のセンサ２０４８に類似とすることができる。
【０２８７】
ＡＢＴＴが鼻と眉の接合部の眼窩上盤区域内の比較的狭い隠れた区域に位置付けられることを考慮して、装置本体２０８２内の温度センサ２０９０の位置は、この区域と特定の定められた方式で嵌合するように構成され、又は他に測定は困難になり、鼻が適正な測定を妨害する場合がある。例えば、セル電話として例証する装置本体２０８２の中間部分にセンサが位置決めされた場合に、温度センサ２０９０が眼窩上盤にあるＡＢＴＴ終端１０に到達するのを眼窩骨が阻止することになる。眼窩上盤及び眉と鼻の接合部に位置決めされたＡＢＴＴ終端１０に到達するために、装置本体２０８２内の温度センサ２０９０は、好ましくは、コーナ２１００、２１０２、２１０４、又は２１０６のうちの１つの近くに位置付けられ、同じく好ましくは、側面２０９２、２０９４、２０９６、及び２０９８のうちの１つの中に位置付けられる。温度センサ２０９０からコーナ２１００、２１０２、２１０４、又は２１０６のうちの１つまでの好ましい距離は、３０ｍｍに等しいか又はそれよりも短く、より好ましくは、２０ｍｍに等しいか又はそれよりも短く、更に好ましくは、１５ｍｍに等しいか又はそれよりも短く、更に好ましくは、１０ｍｍに等しいか又はそれよりも短く、最も好ましくは、５ｍｍに等しいか又はそれよりも短い。
【０２８８】
温度センサ２０９０は、好ましくは、上部コーナ２０９４及び２０９６、並びに下部コーナ２０９８及び２１００のうちの１つの近くに位置付けられる。限定ではなく例として、図１０３では、温度センサ２０９０は、上側面２０９２上でコーナ２１０２に隣接して、並んで、近くに、又は近接して位置付けられる。
【０２８９】
図１０４は、本発明の開示の例示的実施形態により測定デバイスを有して構成された全体的に２１１０で示す更に別の電子装置の斜視図を示している。電子装置１１０は、図１０３に示す電子装置２０８０との相違点を含むが、特徴は十分に似通っており、従って、簡潔化の目的で同じ要素番号を用いている。図１０４では、温度センサ２０９０は、左側面２０９８上又は内でコーナ２１０６に隣接した、近くの、並んだ、又は近接した場所に位置決めされる。
【０２９０】
電子装置２０８０及び電子装置２１１０は、図１０５及び図１０６に示すように、温度センサ２０９０をＡＢＴＴ終端１０に位置合わせするように装置本体２０８２を位置決めする際に補助するために、温度センサ２０９０に恒久的又は一体的に固定するか又は着脱可能に接続することができる鼻あて２１１２を含むように構成することができる。
【０２９１】
装置２０８０のユーザは、１又は２以上の制御器（図示せず）を押下するか又はタッチ画面として構成することができるディスプレイ２０８６を電子装置２０８０への入力として用い、次に、図１０４のセンサ２０９０が測定センサ（接触測定又は非接触測定を実施する）として例示的に示され、ＡＢＴＴ終端１０からの熱信号を感受している図１０７に示すように、装置本体２０８２をディスプレイ２０８８が鼻２０２６に対して実質的に平行な状態で鼻２０２６の隣に、並んで、近くに、又は近接して保持し、かつ温度センサ９０をＡＢＴＴ終端１０に、ＡＢＴＴ終端１０で、又はＡＢＴＴ終端１０上でその近くに、隣接して、並んで、近接して置く場所に保持することによってＡＢＴＴ終端１０での温度を取得することができる。図１０８は、鼻あて１１２が測定に向けてユーザの顔面の鼻２０２６の上に位置決めされた状態の電子装置２０８０を示している。
【０２９２】
センサ２０９０を主として温度センサとして説明するが、センサ２０９０、並びにＡＢＴＴ終端１０と相互作用するための本明細書で説明する他のセンサは、一例として、グルコースセンサ、化学センサ、酸素センサ、脈拍センサ、酸素飽和度測定センサ、血圧センサ、光センサ、蛍光センサ、並びに２００７年３月６日に付与された米国特許第７，１８７，９６０号明細書、２０１２年５月８日に付与された米国特許第８，１７２，４５９号明細書、２０１２年１２月１１日に付与された米国特許第８，３２８，４２０号明細書、２０１４年５月１３日に付与された米国特許第８，７２１，５６２号明細書、２０１４年９月３０日に付与された米国特許第８，８４９，３７９号明細書、２０１５年４月２１日に付与された米国特許第９，０１１，３４９号明細書、２０１５、９月１日に付与された米国特許第９，１１９，５３０号明細書、２０１４年９月２９日出願で係属中の米国特許出願第１４／５００，３６２号明細書、２０１４年９月２９日出願で係属中の米国特許出願第１４／５００，５５０号明細書、２０１５年２月１３日出願で係属中の米国特許出願第１４／６２２，２８４号明細書、及び２０１５年４月１５日出願で係属中の米国特許出願第１４／６８７，１０６号明細書を含む「生体パラメータを測定するための装置及び方法（Ａｐｐａｒａｔｕｓ  ａｎｄ  Ｍｅｔｈｏｄ  ｆｏｒ  Ｍｅａｓｕｒｉｎｇ  Ｂｉｏｌｏｇｉｃ  Ｐａｒａｍｅｔｅｒｓ）」という名称の下にある様々な特許及び出願において本出願人が記載している様々な生体信号及び生体パラメータを含むいずれかの生体変数又は生体信号を測定することができるいずれかのセンサを含む様々なセンサを含むことができ、これらの文献の内容は、その全部が引用によって本明細書に組み込まれている。
【０２９３】
センサ２０９０は、接触センサ及び非接触センサ、並びに赤外線検出器を含む検出器を含むことができる。センサ２０９０の一部として近接センサ及び光センサなどのような他のセンサを含めることができ、単体又は他のセンサとの組合せに使用することができる。本発明の開示で説明するセンサのいずれも、本明細書で言及する複数のセンサを単一センサ又はセンサの組合せとして含むことができる。
【０２９４】
図１０９は、本発明の開示の例示的実施形態による全体的に２１３２で示す測定デバイスを有して構成された全体的に１３０で示す電子装置の図を示している。測定デバイス２１３２は、装置本体２０８２の側面２０９２、２０９４、２０９６、又は２０９８のうちの１つの上に位置決めされた１対のセンサ２１３４を含む。一例として、センサ２１３４の各々は、ユーザの顔面上の少なくとも１つのＡＢＴＴ終端１０からの赤外線エミッションを読み取るように構成された赤外線センサのアレイを含むことができる。ＡＢＴＴ終端１０からのエミッションは、センサ２１３４によって取り込まれて、ディスプレイ２０８８上に表示することができる。取り込み画像は、ＡＢＴＴ終端１０の温度を決定するために電子装置２１２０が解析することができる。ＡＢＴＴ終端１０からのエミッションを取り込むことによってグルコースを含む分析物の化学測定及び測定を達成することができ、装置本体２０８２内に位置付けられたプロセッサ（図示せず）が、化学物質及び分析物の濃度及び量を計算及び報告するための作動を実行することを理解しなければならない。
【０２９５】
図１１０は、全体的に２１４０で示す本発明の開示の例示的実施形態による電子装置の図を示している。電子装置２１４０は、図１１０の電子装置２１２０と同様であるが、各アレイ２１３４が単一センサ２１３６、すなわち、熱センサアレイの代わりの単一熱センサで置換されている。２つのセンサ２１４２を説明するが、代替実施形態では電子装置２１４０が１つのセンサ２１４０のみを含むことを理解しなければならない。
【０２９６】
図１１１は、本発明の開示の更に別の例示的実施形態による全体的に２１５２で示す測定デバイスを含むように構成された全体的に２１５０で示す電子装置の図を示している。図１１１の例示的実施形態では、測定デバイス２１５２は熱センサアレイを含む。右側のような第１の側を測定し、次に左側のような反対の第２の側を測定することによって各ＡＢＴＴ終端１０を測定することができる。測定デバイス２１５２は、電子装置２１５０の本体上に位置決めされたコネクタ内に嵌合するように構成された本明細書の他の箇所で説明する電気ジャック又は電気コネクタによって電子装置の本体に着脱可能に取り付けられて接続される。
【０２９７】
ＡＢＴＴ終端１０の解剖学的構造は、鼻２０２６の解剖学的構造及び寸法に関連付けられる。図１１２〜図１１５は、全体的に２１６０で示す本発明の開示の例示的実施形態による電子装置の図を示している。電子装置２１６０は、その端部の近くに配置され、各々がある人口集団の各個人に独特の鼻２０２６に位置決め可能又は調節可能な１対の回転可能センサ２１６２を含む。各センサ２１６２は、電子装置２１６０の装置本体２１６８の左上コーナ２１６４及び／又は右上コーナ２１６６のようなコーナ上に位置決めされる。ユーザが各センサ２１６２をそれぞれのＡＢＴＴ終端１０に位置合わせすることを可能にするために、１対又は二重のセンサの各センサ２１６２は、電子装置２１６０の最長長さに沿って延びる電子装置２１６０の長手軸の周りに回転可能である。電子装置２１６０は、右側面２１７２のような電子装置の側面上に１対のセンサ２１７０を更に含む。各センサ２１７０は、これらのセンサの間の間隔を変更するためにスロット又は溝２１７４内で個々に摺動可能であり、そのような間隔は、それぞれのＡＢＴＴ終端１０との位置合わせに向けてセンサ２１７０の間隔を調節するための最小の予め決められた間隔２１７６と最大の予め決められた間隔２１７８とを有する。回転可能センサ２１６２及び摺動可能センサ又は摺動センサ２１７０を装置本体２１６８に恒久的に固定されるように示すが、回転可能機構又は摺動機構を有する着脱可能に取り付けられたセンサアセンブリが本発明の開示の範囲にあることを理解しなければならない。
【０２９８】
図１１６及び図１２０は、全体的に２１８０で示す本発明の開示の例示的実施形態による分離可能センサデバイスの図を示している。分離可能センサデバイス２１８０は、センサアセンブリとして説明することができ、本明細書に開示する他の分離可能センサデバイスも同じく説明することができることを理解しなければならない。分離可能センサデバイス２１８０は、電子装置に位置決めされた合わせ電気コネクタに接続するように構成された電気ジャック又は電気コネクタ２１８２を含む。分離可能センサデバイス２１８０は、図１１６に示す弛緩状態でほぼ平行にあるとすることができる２つの可撓性アーム２１８４を含み、これらの可撓性アーム２１８４は、センサ２１８６間の第１の離間距離２２０４からセンサ２１８６間の第２の離間距離２２０６までを構成するように、図１２０に示すように互いから遠ざかるように移動することができる。第１の離間距離２２０４及び第２の離間距離２２０６は、個人の鼻及び顔面の解剖学的構造、例えば、鼻幅に対する適合性の範囲を与える。各可撓性アームは長手方向に延び、終端又は遠位端２１８８にセンサ２１８６を含み、各センサ２１８６は、アーム１８４の長手方向に対して実質的に垂直に位置決めされた軸を有し、更に測定面２１９０を有する。測定面２１９０は、ＡＢＴＴ終端１０の放出信号を測定するように構成される。
【０２９９】
図１１７は、電子装置２１９２の装置本体２１９４上に位置決めされ、ジャック２１８２によって固定された分離可能センサデバイス２１８０を示している。代替実施形態では、分離可能センサデバイス２１９６は、図１１８に示すようにジャック２２００内で終端するワイヤ又はケーブル２１９８を含む。ジャック２２００は、装置本体２１９４に位置決めされた電気コネクタ２２０２と嵌合してシステムを形成するように構成される。
【０３００】
図１１９は、全体的に２２１０で示す本発明の開示の例示的実施形態によるセンサシステムを示している。センサシステム２２１０は、少なくとも相補的無線受信機を含む遠隔電子装置２２１４と作動的に結合された近距離無線送信機を含む分離可能センサデバイス２２１２を含む。この場合に、分離可能センサデバイス２２１２は、対応する電子装置２２１４から物理的に完全に分離することができるが、ＡＢＴＴ終端１０からのエミッションを取得するために依然として電子装置２２１４と通信しているとすることができる。
【０３０１】
本出願人は、アルツハイマー病、パーキンソン病、多発性硬化症、癌、並びに高体温及び低体温の病態を含む様々な障害を処置するためのＡＢＴＴ終端１０への熱エネルギを含むエネルギの印加を示した。本発明の開示は、温度変更デバイスと、電子装置に作動的に結合された温度変更デバイスを接続し、ＡＢＴＴ終端１０から熱を除去し、そこに熱を印加するように構成されたシステムとを開示している。温度変更デバイス内に位置付けられた温度変更要素は、加熱及び冷却を提供するように構成された双方向熱電デバイス、抵抗加熱器、流体システム、赤外線ライト、赤外線ＬＥＤ、又は温度を変更するように構成された他のデバイスとすることができる。
【０３０２】
図１２１は、全体的に２２２０で示す温度変更デバイスと、全体的に２２２２で示す電子装置とを示している。温度変更デバイス２２２０が、電子装置２２２２上に位置決めされ、それに取り付けられ、又はそれに接続されると、温度感知変更システム２２２４が形成される。温度変更デバイス２２２０は、装置本体２２２６に位置決めされた電気コネクタ２２３８に嵌合する電気コネクタ又は電気ジャック２２２８を通して電子装置２２２２の装置本体２２２６に接続又は取り付けることができる。温度変更デバイス２２２０は、本明細書の他の箇所で説明する可撓性アーム１８４と同様又は同一とすることができる２つの可撓性アーム２２３０を含み、これらの可撓性アーム２２３０は、ほぼ平行又は平行とすることができる。可撓性平行アーム２２３０の各々は、遠位終端２２３４に位置決めされた少なくとも１つの温度変更要素２２３１とセンサ２２３２とを含む。各センサ２２３２は、アームの最長寸法に対して実質的に垂直に位置決めされてＡＢＴＴ終端１０での信号を測定するように構成された測定面２２３６を含む。
【０３０３】
図１２２は、全体的に２２４０で示す本発明の開示の別の例示的実施形態による温度変更デバイスの図を示している。温度変更デバイス２２４０は、温度変更デバイス２２２０の特徴と同様又は同一のいずれかであるいくつかの特徴を含む。相応に図３０では、図１２１と同様又は同一要素を同じ要素番号でラベル付けしている。温度変更デバイス２４０は、ジャック２２４４内で終端するワイヤ又はケーブル２２４２を含む。ジャック２２４４は、装置本体２２２６に位置決めされた電気コネクタ２２３８と嵌合してシステムを形成するように構成される。
【０３０４】
図１２３は、全体的に２２５０で示す本発明の開示の更に別の例示的実施形態による温度変更デバイスの図を示している。温度変更デバイス２２５０は、図１２１に示す温度変更デバイス２２２０といくらか同様であり、相応に簡潔化の目的で同様にラベル付けしている。温度変更デバイス２２５０は、図１２１に示す電子装置２２２２のような別々の又は遠隔な電子装置との通信に向けて送信機２２５２を含む。
【０３０５】
ＡＢＴＴ終端の解剖学的構造及び鼻梁の形態構造を考慮して、分離可能センサデバイス又は温度変更デバイスの一部を形成するアームは、ＡＢＴＴ区域上又はその周りに装着するための特定の寸法を含む。アーム２１８４のようなアームの好ましい長さは、１００ｍｍに等しいか又はそれよりも短く、より好ましくは、５０ｍｍに等しいか又はそれよりも短く、更に好ましくは、３０ｍｍに等しいか又はそれよりも短く、更に好ましくは、２０ｍｍに等しいか又はそれよりも短い。最も好ましくは、１０ｍｍに等しいか又はそれよりも短い。各アームの好ましい直径（又は幅）は、４０ｍｍに等しいか又はそれよりも短く、より好ましくは、２０ｍｍに等しいか又はそれよりも短く、更に好ましくは、１５ｍｍに等しいか又はそれよりも短い、更に好ましくは、１０ｍｍに等しいか又はそれよりも短く、最も好ましくは、５ｍｍに等しいか又はそれよりも短い。
【０３０６】
図１２４は、全体的に２２６０で示す本発明の開示の更に別の例示的実施形態による温度変更デバイスの図を示している。上述の温度変更デバイス２２２０と機能的に類似の要素を同様にラベル付けしている。温度変更デバイス２２２０は、プロセッサ２２６２と、送信機２２６４と、電源２２６８と、２つの長手に延びる可撓性平行アーム２２６８とを含む。各可撓性平行アームは、遠位端又は終端２２７２に熱伝達デバイス２２７０を含み、各熱伝達デバイス２２７０は熱伝達面２２７４を含む。各熱伝達デバイス２２７０は、それぞれのアーム２２６８の長手方向に対してほぼ垂直な方向に延びる。熱伝達面２２７４及び熱伝達デバイス２２７０は、ＡＢＴＴ終端１０に熱を印加するか又はそこから熱を除去するように構成される。アーム２２６８は、ユーザの鼻上に温度変更デバイス２２６０を固定するためのバネ機構２２７６によって接続され、鼻に対して圧力を印加する。鼻の上でアセンブリを支持するためのあらゆる機構及び圧縮機構、接着機構、並びに類似なものを使用することができ、これらの機構が本発明の開示の範囲にあることを理解しなければならない。更に、温度の変更のためのあらゆる実施形態は、あらゆる分離可能センサデバイス内で本発明の開示のあらゆるセンサと併用することができ、センサに関するあらゆる実施形態は、本発明の開示のあらゆる温度変更デバイスと併用することができることを理解しなければならない。
【０３０７】
図１２５は、全体的に２２８０で示す本発明の開示の例示的実施形態による分離可能センサデバイスの図を示している。分離可能センサデバイス２２８０は、センサヘッド２２８２と、それを回転させる回転機構２２８４とを含むように構成される。センサヘッド２２８２は、その上に位置決めされたセンサ２２８６を含む。回転機構２２８４は、センサ２２８６を地面に対して４５度の角度で位置決めするように構成され、ＡＢＴＴ１２の皮膚入口は、眉と鼻梁によって形成される眉の直下のコーナに位置付けられるので、この位置決めによってＡＢＴＴ終端１０との位置合わせが可能になる。
【０３０８】
図１２６及び図１２８は、全体的に２２９０で示す本発明の開示の別の例示的実施形態による分離可能センサデバイスの図を示している。分離可能センサデバイス２２９０は、その長手本体２２９６に沿って延びる長手軸２２９４に対してほぼ垂直な方向に延びる電気コネクタ又は電気ジャック２２９２を含む。分離可能センサデバイス２２９０は、コネクタ２２９２から遠ざかる方向に延びるセンサ面２２９８を含む。図１２８は、電子装置２３０４に接続され、ＡＢＴＴ終端１０からのエミッションを取得するように位置決めされた分離可能センサデバイス２２９０の図を示している。
【０３０９】
図１２７は、全体的に２３００で示す本発明の開示の例示的実施形態による別の分離可能センサデバイスの斜視図を示している。分離可能センサデバイス２３００は、そのコネクタ２２９２の長手広がりに対してほぼ平行な複数のセンサ測定面２３０２を含む。両方のセンサ測定面２３０２の向きは、互いに対してほぼ平行に前方向又は前方方向に向くように定められる。
【０３１０】
センサ測定面は、測定アーム上で図１２７に示すような前方、図１２５に示すような対角方向、及び図１２６に示すような上方を含むあらゆる向きに位置決めすることができることを理解しなければならない。また、温度変更デバイスの実施形態においてセンサアセンブリの全ての実施形態を使用することができ、温度変更デバイスの実施形態は、角度を付けて様々な分離可能センサデバイス及びセンサの測定面と類似の向きの方式で位置決めされた熱伝達面を有することができることも理解しなければならない。
【０３１１】
図１２９〜図１３１は、全体的に２３１０で示す本発明の開示の例示的実施形態により測定デバイスを有して構成された電子装置の図を示している。電子装置２３１０は装置本体２３１２を含み、装置本体２３１２は、移動可能、回転可能、又は反転可能なアーム２３１４を含む。反転可能アーム２３１４は、アーム２３１４のピボット軸又は回転軸２３１８から遠位にあるか又は離れたアーム２３１４の端部に位置決めされたセンサ２３１６を含む。センサ２３１６は、アーム２３１４の長手広がりに対してほぼ垂直なセンサ面２３２０を有するように向けられる。図１３１に示すように、アーム２３１４は、図１３０に示す矢印３２２２の方向及び図１３１の矢印２３２４の方向に回転して電子装置２３１０からの離間距離でユーザのＡＢＴＴ終端１０からのエミッションを取得するための場所にセンサ２３１６を位置決めし、センサ２３１６は、ＡＢＴＴ終端１０上又はその近くに静置される。従来のセンサ実施形態に示したものと類似の方式でセンサを温度変更デバイスで置換することができ、そのような温度変更デバイスが本発明の開示の範囲にあることを理解しなければならない。
【０３１２】
図１３２から図１３９は、本発明の開示の例示的実施形態による代替実施形態の分離可能センサデバイスを示している。図１３２〜図１３９に示す分離可能センサデバイスは、図１１６から図１２０に示す分離可能センサデバイスと同様であるが、図１３２〜図１３９の実施形態は、単一センサ及びこのセンサを支持するための単一アームしか含まず、各分離可能センサデバイスのセンサを有する端部の反対端は、Ｃ字形鼻支持体内で終端する。実施形態間で特徴が共通又は同様である場合に、簡潔化の目的で同じ要素番号を用いている。
【０３１３】
図１３２は、全体的に２３３０で示す本発明の開示の例示的実施形態によりセンサ支持アーム２３３２と、その上に位置決めされたセンサ２３３４と、「Ｃ字」形支持部分２３３６と、送信機２３３８とを含む分離可能センサデバイスを示している。Ｃ字形支持部分２３３６は、ユーザの鼻の形状と共形であるように構成され、それによってＡＢＴＴ終端１０のエミッションが測定される間に分離可能センサデバイス２３３０を支持する機能が与えられる。図１３１は、全体的に２３４０で示す本発明の開示の例示的実施形態による分離可能センサデバイスを示している。この実施形態では、送信機３３８は、本明細書の他の箇所で説明するように、電子装置上に位置決めされた電気コネクタに嵌合するように構成された電気コネクタ又は電気ジャック２３４２で置換される。図１３４及び図１３５は、電子装置２３４４上に位置決めされ、コネクタ２３４２と電子装置２３４４との接続によって支持された分離可能センサデバイス２３４０を示している。図１３６は、全体的に２３４６で示す本発明の開示の例示的実施形態による分離可能センサデバイスを示している。この実施形態では、コネクタ又はジャック２３４２は、分離可能センサデバイス２３４６のデバイス本体２３５０にワイヤ又はケーブル２３５２によって接続した電気コネクタ又は電気ジャック２３４８で置換される。更に、Ｃ字形支持部分２３３６の代わりに、分離可能センサデバイス２３４６のセンサ支持アーム２３５６に対してほぼ垂直である短く真っ直ぐなアーム２３５４が存在する。図１３７〜図１３９は、全体的に２３６０で示す本発明の開示の例示的実施形態による分離可能センサデバイスを示している。分離可能センサデバイス２３６０は、図１３３に示す分離可能センサデバイス２３３６及び図１３６に示す分離可能センサデバイス２３４６の特徴を含み、相応にラベル付けしている。図１３７は、ＡＢＴＴ終端１０との位置合わせのための装置本体の主軸に対して４５度の角度にある位置への１つの第１の回転、及びアームの軸に関して４５度の角度へのセンサヘッドの第２の回転という分離可能センサデバイス２３６０の二重軸回転移動を示している。図１３８は、鼻２０２６上に位置決めされ、ＡＢＴＴ終端１０に位置合わせされた分離可能センサ２３６０を示している。図１３９は、ＡＢＴＴ終端１０との好ましい位置合わせのためのセンサ２３３４の角度を示している。
【０３１４】
図１４０は、全体的に２３７０で示す本発明の開示の例示的実施形態による別の分離可能センサデバイスの斜視図を示している。分離可能センサデバイス２３７０は、各々が鼻２０２６の皮膚への並置に向けて実質的に平坦又は平面である第１の右アーム２３７２、第２の左アーム２３７４と、右アーム２３７２と左アーム２３７４の間に位置決めされてこれらのアームに接続された接続部分２３７６とを含む。接続部分２３７６は、分離可能センサデバイス２３７０を鼻２６の皮膚に留めるための接着面２３７８を含む。右アーム２３７２及び左アーム２２７４のうちの少なくとも一方は、その遠位端又は自由端に位置決めされたセンサ２３８０を含む。分離可能センサデバイス２３７０は、例えば、Ｗｉ−Ｆｉ又はＢｌｕｅｔｏｏｔｈ（登録商標）とすることができる無線通信のための送信機２３８２と、プロセッサ２３８４と、１又は２以上のバッテリのような電源２３８６とを更に含む。
【０３１５】
図１４１は、全体的に２３９０で示す本発明の開示の例示的実施形態による更に別の分離可能センサデバイスの図を示している。分離可能センサデバイス２３９０は、各々が鼻２０２６の皮膚への並置に向けて実質的に平坦又は平面である第１の右アーム２３９２、第２の左アーム２３９４と、右アーム２３９２と左アーム２３９４の間に位置決めされてこれらのアームに接続された接続部分２３９６とを含む。接続部分２３９６は、分離可能センサデバイス２３９０を鼻２６の皮膚に留めるための接着面２３９８を含む。接着面２３９８は、着脱可能な保護カバー又は保護層２４００によって覆われる。右アーム２３９２及び左アーム２３９４の各々は、その遠位端又は自由端に位置決めされたセンサ２４０２を含む。分離可能センサデバイス２３９０は、右アーム２３９２と左アーム２３９４の間の均衡調整に向けて右アーム２３９２上に位置決めされた電源２４０４と、プロセッサ及び送信機（すなわち、無線デバイス）を含む集積回路２４０６とを更に含む。右アーム２３９２の電子要素と左アーム２３９４の電子要素とは、ワイヤ又は好ましくはフレックス回路（図示せず）によって接続される。
【０３１６】
図１４２は、本発明の開示の例示的実施形態による全体的に２４１０で示す更に別の分離可能センサデバイスと、全体的に２４１２で示す電子装置との斜視図を示している。分離可能センサデバイス２４１０と電子装置２４１２とはセンサシステム２４１４を形成する。分離可能センサデバイス２４１０は、左アーム２４１６と、右アーム２４１８と、左アーム２４１６と右アーム４１８とを互いに向けて加勢するように構成された、すなわち、分離可能センサデバイス２４１０が鼻上に置かれた時に左アーム２４１６及び右アーム２４１８を鼻２２６の側面に対して押圧することになるバネ４２０又は形状記憶プラスチックを含むバネ性能を有する他の圧縮性材料とを含む。左アーム２４１６及び右アーム２４１８の各々は、均衡調整に向けて各アームの自由端又は遠位端に位置決めされたセンサ２４０２を含む。センサシステム２４１４はまた、分離可能センサデバイス２４１０を電子装置２４１２に接続するためのワイヤ又はケーブル２４２２を含む。電子デバイス２４１２は、電源２４２４と、プロセッサ２４２６と、送信機２４２８と、ディスプレイ２４３０とを含むように構成される。
【０３１７】
図１４３は、全体的に２４４０で示す本発明の開示の例示的実施形態による更に別の分離可能センサデバイスの斜視図を示している。分離可能センサデバイス２４４０は、左アーム２４４２と右アーム２４４４を含む。更に、分離可能センサデバイス２４４０は、右アーム２４４４の自由端又は遠位端に位置付けられたセンサ２４０２と、左アーム２４４２の自由端に位置付けられた温度変更デバイス２４４６と、左アーム２４４２上に位置決めされたプロセッサ及び無線デバイスを有する集積回路４４８と、右アーム２４４４上に位置決めされた電源２４５０とを含む。
【０３１８】
図１４４は、本発明の開示の例示的実施形態による全体的に２４６０で示す分離温度変更デバイスと、全体的に２４６２で示す電子装置との斜視図を示している。デバイス２４６０は、左アーム２４６４と右アーム２４６６を含む。更に、デバイス２４６０は、右アーム２４６６の自由端又は遠位端上に位置決めされた熱伝達デバイス２４６８と、左アーム２４６４上に位置決めされたプロセッサ及び無線デバイスを有し、セル電話、タブレット、及びコンピュータデバイスなどとすることができる電子装置２４６２に無線接続した集積回路２４７０と、電源２４７２とを含む。
【０３１９】
図１４５は、ユーザの鼻２０２６上に位置決めされた図１４０に示す分離可能センサデバイス２３７０の図を示している。図１４６は、ヘルメット２４３２上に位置決めされ、被検者によって使用されている図１４２に示す分離可能センサデバイス２４１０及び電子装置２４１２の図を示している。図１４７は、ヘルメット２４３２上に位置決めされ、被検者によって使用されている温度変更デバイス２４６０及び電子装置２４６２の図を示している。温度変更デバイス２４６０は、電子装置２４６２と無線通信する。あらゆるヘッド装着式装具及びネック装着式装具を本発明の開示の原理に従って使用することができ、これらの装具が本発明の開示の範囲にあることを理解しなければならない。
【０３２０】
図１４８は、全体的に２４８０で示す本発明の開示の例示的実施形態による別の分離可能センサデバイスの斜視図を示している。分離可能センサデバイス２４８０は、長手に延びるロッド状本体２４８２を含む。更に、デバイス４８０は、本体２４８２の遠位端に位置決めされたセンサ２４８４と、本体２４８２の近位端に位置決めされ、本体２４８２を通る長手軸に対してほぼ垂直に延びる電気コネクタと、１対の拡張可能把持アーム２４８６とを含む。把持アーム２４８６は、装置本体を把持するように構成される。
【０３２１】
図１４９は、全体的に２４９０で示す本発明の開示の例示的実施形態による別の分離可能センサデバイスの斜視図を示している。デバイス２４９０は、ある一定の態様においてデバイス２４８０と同様である。従って、類似の要素を同様に付番している。デバイス２４９０は、ロッド状本体４９２を含む。更に、デバイス４９０は、電気コネクタ又は電気ジャック２４９４と、ジャック２４９４を本体２４９２に接続するケーブル又はワイヤ４９６とを含む。
【０３２２】
図１５０は、本発明の開示の例示的実施形態による全体的に２５０２で示す電子装置に取り付けられた全体的に２５００で示す分離可能センサデバイスの斜視図を示している。分離可能センサデバイス２５００は、ロッド状本体２５０４を含む。把持アーム２４８８が、電子装置２５０２の前面と電子装置２５０２の背面とを把持し、これらの把持アーム２４８８は、第１の位置又は向きにおいてロッド状本体２５０４を電子装置２５０２と並べて位置決めし、かつロッド状本体２５０４を電子装置２５０２に対してほぼ垂直に位置決めするように構成された回転機構２５０６によって本体２５０４に接続される。分離可能センサデバイス２５００は、電子装置２５０２（例えば、作動的に結合された）との通信に向けて送信機のような無線デバイスを更に含む。
【０３２３】
図１５１は、第１の非延長位置２５０８と第２の延長位置２５１０とにある把持アーム２４８８を示している。把持アーム２４８８は、第１の位置２５０８にある時に、第１の離間距離２５１２だけ距離を置いて位置決めされる。把持アーム２４８８は、第２の位置２５１０にある時に、第１の離間距離２５１２よりも大きい第２の離間距離２５１４だけ距離を置いて位置決めされる。把持アーム４８８を延長又は拡張する機能は、装備される分離可能センサデバイスを様々な厚みの装置本体に留めることを可能にする。分離可能センサデバイス２５００は、セン４８４を本体２５０４の主長手軸２５１８に関する対角位置又は角度２５１６で位置決めするように構成される。
【０３２４】
図１５３から図１５５は、電子装置の装置本体に嵌合するように構成されたセンサケースの実施形態を示している。各センサケースはセンサを含む。
【０３２５】
図１５３は、本発明の開示の例示的実施形態による全体的に２５３２で示す電子装置上に位置決めされた全体的に２５３０で示す更に別の分離可能センサデバイスの図を示している。分離可能センサケース２５３０は、電子装置２５３２の装置本体２５３６を受け入れるように構成されたケース本体２５３４と、デバイス５３０及び電子装置２５３２の破断部分内に示す電子装置２５３２の電気コネクタ２５４０に嵌合するように構成された電気コネクタ２５３８と、ケース本体２５３４に回転機構２５０６によって接続したセンサデバイス２５４２とを含む。センサデバイス２５４２は、センサ２４８４がその上に位置決めされたロッド状本体２５４４を含む。センサ２４８４のセンサ面２５４４は、センサデバイス２５４２の主軸に関して対角に位置決めされる。センサ２４８４は、それ自体が感受するエミッションに比例する信号を発生させる。信号は、コネクタ２５３８に送信される。
【０３２６】
図１５４は、本発明の開示の例示的実施形態による全体的に２５５２で示す電子装置上に位置決めされた全体的に２５５０で示す更に別の分離可能センサデバイスの図を示している。分離可能センサデバイス２５５０は、電子装置２５５０の受信機２５５８と通信的に結合された送信機２５５６が内部に位置決めされたロッド状本体２５５４を含む。ロッド状本体２５５４は、プロセッサ２５６０と電源５６２とを更に含む。
【０３２７】
図１５５〜図１５７は、センサ２４８４を位置決めしてＡＢＴＴ終端１０に位置合わせするために電子装置２５３２の平坦前面２５４６に対してほぼ垂直になるように回転されるロッド状本体２５４４を有する分離可能センサデバイス２５３０の図を示している。
【０３２８】
図１５８から図１６６は、本発明の開示の例示的実施形態による感覚腕時計の図を示している。各感覚腕時計は、前面と、その上に位置決めされたディスプレイと、背面と、前面から背面まで延びる複数の側面とを含む。
【０３２９】
図１５８は、全体的に２５７０で示す本発明の開示の例示的実施形態による測定デバイスを含む感覚腕時計の図を示している。感覚腕時計２５７０は、ディスプレイ２５７４と、それに隣接する１対の並列二重センサ又は並列二重検出器２５７６と、これらのセンサ２５７６の間に位置決めされたカメラ２５７８と、センサ２５７６をＡＢＴＴ終端１０に位置合わせするのを補助するための照準線光源２５８０とがそこに位置決めされた前面２５７２を含む。その後の図において図１５８の要素と同様又は同一の要素が使用される場合に、そのような同様又は同一の要素は、図１５８の要素と同じ品目番号を用いてラベル付けする。
【０３３０】
図１５９は、全体的に２５９０で示す本発明の開示の別の例示的実施形態による測定デバイスを含む感覚腕時計の図を示している。感覚腕時計２５７０は、ディスプレイ２５９４と、１つのセンサ２５７６と、このセンサ２５７６に隣接して配置されたカメラ５７８と、照準線光源２５８０と、無線デバイス、すなわち、セル電話、コンピュータ、タブレット、又は他の電子デバイスを含む外部電子デバイス又は分離電子デバイス２５９８と通信的又は作動的に結合された送信機又は送受信機とがそこに位置決めされた前面２５９２を含む。
【０３３１】
図１６０は、センサ２５７６の視野をＡＢＴＴ終端１０に位置合わせし、次に、ＡＢＴＴ終端１０からの信号を取得するために被検者によって使用されている感覚腕時計２５７０を描いている。
【０３３２】
図１６１は、全体的に２６００で示す本発明の開示の更に別の例示的実施形態による測定デバイスを含む感覚腕時計の図を示している。感覚腕時計２６００は、前面２６０２と、背面２６０４と、前面２６０２から背面２６０４まで延びる複数の側面２６０６とを含む。感覚腕時計２６００は、側面２６０６のうちの１つの上に位置決めされたセンサ２５７６と、このセンサ２５７６に隣接して配置されたカメラ２５７８と、照準線光源２５８０とを含む。
【０３３３】
図１６２は、全体的に２６１０で示す本発明の開示の更に別の例示的実施形態による測定デバイスを含む感覚腕時計の図を示している。感覚腕時計２６１０は、前面２６１２と、背面２６１４と、前面２６１２から背面２６１４まで延びる複数の側面２６１６とを含む。感覚腕時計２６１０は、側面２６１６のうちの１つの上に位置決めされ、各々が感覚腕時計２６１０上で摺動機構２６１８によって摺動可能に支持されるように構成された二重センサ又は二重検出器２５７６を含む。摺動機構２６１８は、センサ２５７６とＡＢＴＴ終端１０との位置合わせに向けてセンサ５７６の間の離間距離を調節するように構成される。離間距離は、第１の最小離間距離２６２０から最大離間距離２６２２の範囲にあるように構成される。離間距離２６２０及び離間距離２６２２の実寸法は、センサ２５７６がそこに位置決めされた側面２６１６の最長寸法に依存する。図１６３は、ユーザがＡＢＴＴ終端１０からの信号を取得するように各センサ２５７６の視野２６２４を位置決めするために感覚腕時計２６１０を作動させており、前面２６１２上に位置決めされたディスプレイ２６２６上に測定結果が表示されている図を示している。
【０３３４】
図１６４から図１６６は、センサアセンブリを有し、ディスプレイ及び電子機器に接続された感覚リストバンドを示している。本明細書の他の実施形態の場合と同様に、実施形態間で同様又は同一の要素が存在する場合に同じ品目番号を用いている。
【０３３５】
図１６４は、全体的に２６３０で示す本発明の開示の更に別の例示的実施形態による測定デバイスを含む腕時計の図を示している。腕時計２６３０は、ディスプレイ２６３４と、そこから遠ざかる２つのほぼ反対の方向に延びる感覚リストバンド２６３２とを含む。感覚リストバンド２６３２は、バンド２６３６と、第１の右アーム２６３８と、第２の左アーム２６４０とを含む。右アーム２６３８及び左アーム２６４０の各々は、右アーム２６３８の自由端及び左アーム２６４０の自由端に沿って位置決めされたセンサ２６４２を含む。右アーム２６３８及び左アーム２６４０は、ディスプレイ２６３４に隣接する場所で始まるバンド２６３６の縁部に隣接して位置決めされる。右アーム２６３８及び左アーム２６４０は、異なるサイズの鼻に合うように、かつＡＢＴＴ終端１０との位置合わせに向けて右アーム２６３８及び左アーム２６４０を調節するための可撓性の調節可能な機構を含む。図１６６は、ユーザによって作動されており、センサがＡＢＴＴに位置合わせされた状態で顔面の鼻２０２６の隣に位置決めされた腕時計２６３０を示している。図１６６では接触センサが使用されており、皮膚と接触しているが、本発明の開示の原理により、接触センサを示す実施形態のあらゆるものにおいて非接触センサを使用することができることを理解しなければならない。本発明の開示の原理により、非接触センサを使用する実施形態のあらゆるものにおいて接触センサを使用することができることを理解しなければならない。本発明の開示の原理により、センサを示す実施形態のあらゆるものにおいて温度変更デバイスを使用することができることを理解しなければならない。
【０３３６】
図１６５は、全体的に２６５０で示す本発明の開示の更に別の例示的実施形態による測定デバイスを含む腕時計の図を示している。腕時計２６５０は腕時計２６３０と同様であるが、単一センサ２６４２のみを有する。更に、第１の右アーム２６３８及び第２の左アーム２６４０の調節性を矢印２６５２に示している。右アーム２６４０にはセンサがなく、感覚リストバンド２６３２を鼻２０２６上に位置決めするのに使用される。
【０３３７】
図１６７は、全体的に２６６０で示す本発明の開示の例示的実施形態によるセンサデバイスの図を示している。センサデバイス２６６０は、近位端２６６４と遠位端２６６６とを含むペン形又は実質的に円筒形の本体２６６２を含む。遠位端２６６６は、センサ２６７０がその上に配置されたセンサヘッド２６６８を含む。近位端２６６４は、電子装置２６７８にケーブル又はワイヤ２６７６によって接続したジャック２６７４に嵌合するように構成された電気コネクタ２６７２を含む。
【０３３８】
図１６８は、全体的に２６８０で示す本発明の開示の例示的実施形態による別のセンサデバイスの図を示している。センサデバイス２６８０は、その遠位端でセンサヘッド２６８４がその上に位置決めされた円柱又はロッド状のセンサ本体２６８２を含む。センサヘッド２６８４は、その自由端上に位置決めされたセンサ２６９２を各々が含む右アーム２６９０及び左アーム２６８８を含む二股支持体２６８６を含む。センサ本体２６８２は、電子装置２６９８にケーブル又はワイヤ２７００を通して接続したジャック又はコネクタ２６９６を受け入れるように構成された電気コネクタ２６９４を更に含む。電子装置２６９８は、ディスプレイ２７０２と、センサデバイス２６８０を起動するためのトリガボタン２７０４とを含む。センサ本体２６８２は、センサ２６９２からの信号を読み取ってそれを報告するように構成されたあらゆる電子デバイス又は温度計に接続することができることを理解しなければならない。
【０３３９】
図１６９は、全体的に２７１０で示す本発明の開示の例示的実施形態による更に別のセンサデバイスの図を示している。センサデバイス２７１０は、図１６８の実施形態といくつかの点で同様であり、そのような類似の要素は、同じ要素番号を用いてラベル付けしている。センサデバイス２７１０は、円柱、ロッド状、管状、又はペン形のセンサ本体２７１２と、電子装置２７１４、例えば、セル電話又は専用電子装置２７１６とを含む。センサ本体２７１２は、その自由端でセンサ２７２０がその上に位置決めされた遠位端でのセンサヘッド２７１８を含む。更に、センサ本体２７１２は、近位端に位置決めされた電気コネクタ２７２２を含む。コネクタ２７２２は、電子装置２７１４及び電子装置２７１６に接続するように構成される。
【０３４０】
図１７０は、全体的に７３０で示す本発明の開示の例示的実施形態による更に別のセンサデバイスの図を示している。センサデバイス２７３０は、図１６８及び図１６９の実施形態と同様であるが、電子装置２７１４及び電子装置２７１６との通信は、送信機を通じたものである。
【０３４１】
図１７１は、本発明の開示の例示的実施形態により２７４０で示す電子装置に接続されたセンサデバイス２７３０を示している。電子装置２７４０はディスプレイ２７０２を含み、センサデバイス２７３０からの信号を読み取るように構成される。電子装置２７４０は、センサ２７２０をＡＢＴＴ終端１０に位置合わせするために上下回転機構を有して構成された電気コネクタ２７４２を含む。矢印２７４６に示すように、ディスプレイ２７０２も軸７４４の周りに回転可能である。図１７２は、ディスプレイ２７０２が軸２７４４の周りに１８０度だけ回転され、それによって医師のような別の個人がディスプレイ２７０２上で結果を確認することが可能になることを示している。図１７３から図１７６は、コネクタ２７４２に位置決めされている間にセンサデバイス７３０がそれ自体の軸の周りに回転した時のセンサデバイス７３０の複数の例示的な向きを示している。
【０３４２】
図１７７は、本発明の開示の例示的実施形態による全体的に２７５０で示すセンサデバイスの全体的に２７５２で示す回転機構の図を示している。センサデバイス７５０は、センサ本体７５４と、センサ２７５８を支持するセンサヘッド２７５６とを含む。センサヘッド２７５６は、図１７７に示す位置によって例証するように、センサヘッド２７５６が複数の位置に来るようにセンサヘッド２７５６を向けることを可能にするために、センサヘッド２７５６がセンサ本体２７５４の長手軸７６２に対して垂直な軸２７６０の周りに回転することを可能にする回転機構２７５２によってセンサ本体２７５４に接続される。回転機構２７５２は、ＡＢＴＴ終端１０の測定に最適なセンサ２７５８の位置を与えるようにセンサヘッド２７５６の位置を調節するように構成される。
【０３４３】
図１７８及び図１７９は、全体的に２７７０で示す本発明の開示の例示的実施形態による支持構造体の図を示している。支持構造体２７７０は、３つの部分を更に含むハウジング２７７２を含む。１つの部分は、作動又は起動ボタン２７７６を含むハンドル２７７４と、電子装置の合わせコネクタと適合するように構成された電気コネクタ又は電気ジャック２７７８を含むケーブル２７７８とを含む。別の部分は、センサデバイス２７３０のようなセンサデバイスの遠位端を受け入れるように構成された電気コネクタ２７８８を含む中間部分２７８６である。更に別の部分は、電子装置本体を固定するように構成されたクランプ機構２７９２を含む上側部分２７９０である。クランプ機構２７９２は、複数の寸法の電子装置２７９６を受け入れるために矢印２７９４の方向に延びるように構成される。例示目的で、電子装置との接続のためのケーブル２７７８を示すが、内部電気接続部をクランプ機構２７９２の底面に沿って位置決めし、電子装置の相補的電気接続部を受け入れるように構成することができ、そのような実施形態が本発明の開示の範囲にあることを理解しなければならない。図１８１は、センサ２６７０をＡＢＴＴ終端１０に位置合わせするように位置決めされたセンサデバイス２７３０を示している。
【０３４４】
図１８０は、全体的に２８００で示す本発明の開示の例示的実施形態による別の支持構造体の図を示している。支持構造体２８００は、ハンドル２８０４と、起動ボタン２８０６と、クランプ機構２８１２を含む上側部分２８１０と、中間部分２８１６とを含むハウジング２８０２を含む。中間部分８１６は、センサデバイス２６６０のようなセンサデバイスへの接続のための延長可能／格納可能なワイヤ又はケーブル８０８を含む。
【０３４５】
図１８２は、全体的に２８３０で示す本発明の開示の例示的実施形態によるセンサクリップアセンブリの図を示している。センサクリップアセンブリ２８３０は、回転可能右アーム２８３２と、回転可能左アーム２８３４と、これらのアームを互いに向けて又は対して付勢又は押圧するバネ機構２８３８が内部に位置決めされたハウジング２８３６と、右アーム２８３２に接続され、圧縮又は押圧された時に右アーム２８３２を左アーム２８３４から遠ざかるように移動するレバー又はハンドル２８４０とを含む。更に、センサクリップアセンブリ２８３０は、電気コネクタ２８４２と、そこから延びて電気コネクタ２８４６で終端するケーブル２８４４とを含む。右アーム２８３２及び左アーム２８３４の各々は、それぞれのアームの自由端に位置決めされたセンサ２８４８を含む。
【０３４６】
図１８３は、全体的に２８５０で示す本発明の開示の例示的実施形態によるセンサヘッドの図を示している。センサヘッド２８５０は、センサ本体２８５２と、接続部分２８５４と、接触センサ部分２８５６とを含む。接触センサ部分８５６は、接触センサ２８５８と、センサ本体２８５２の主長手軸２８６４に対してほぼ垂直な軸２８６２に沿って位置決めされたバネ機構２８６０とを含む。センサヘッド２８５０は、接触センサ２８５８を接続部分２８５４に接続するためにセンサ本体２８５２に沿って延びるワイヤ２８６６を更に含む。
【０３４７】
図１８３は、全体的に２８７０で示す本発明の開示の別の例示的実施形態によるセンサヘッドの図を示している。センサヘッド２８７０は、センサ本体２８７２と、接続部分２８７４と、非接触センサ部分２８７６とを含む。非接触センサ部分２８７６は、センサ本体２８７２の主長手軸２８８４に対してほぼ垂直な軸２８８２に沿って位置決めされたセンサハウジング２８８０内に位置決めされた非接触センサ２８７８を含む。センサヘッド２８７０は、非接触センサ２８７８を接続部分２８７４に接続するためにセンサ本体２８７２に沿って延びるワイヤ２８８６を更に含む。センサハウジング２８８０は、取り囲む周囲温度及び汗による妨害に対して赤外線センサのような非接触センサ２８７８を保護する。
【０３４８】
図１８５及び図１８６は、全体的に２８９０で示す本発明の開示の例示的実施形態による温度計の図を示している。温度計２８９０は、ハンドル２８９２とセンサヘッド２８９４とを含む。センサヘッド８９４は、その上に位置決めされたセンサ８９６を含む。ハンドル２８９２は、ハンドル軸２９００に対して最適には４５度である角度８９８で位置決めされるか又は配置される。角度２８９８は、好ましくは、１０度から８０度の範囲、より好ましくは、１５度から７５度の範囲、更に好ましくは、３０度から６０度の範囲、最も好ましくは、４０度から５０度の範囲にある。最適な４５度角は、ハンドル２８９２が顔平面２９０２と平行である時に、又は被検者によって使用されている温度計２８９０を示す図１８６に示すようにハンドル８９２が顔平面２９０２と垂直に位置決めされた時にセンサ２８９６をＡＢＴＴ終端１０に位置合わせすることを可能にする。
【０３４９】
図１８７及び図１８８は、全体的に２９１０で示す本発明の開示の例示的実施形態によるセンサヘッドの図を示している。センサヘッド２９１０は、センサ２９１２と、センサ２９１２を取り囲み、センサ２９１２を取り囲む開放端２９１６を含むハウジング２９１４と、接続アーム２９１８とを含む。図１８８は、皮膚２９２０上に位置決めされ、そこからの放射線を感受しているセンサヘッド２９１０を示している。開放端２９１６を有するハウジング２９１４は、皮膚２９２０からの放射線２９２４に対する密封環境及び保護環境（容積９２２）を生成する。図１８９及び図１９０は、被検者によって使用されており、ＡＢＴＴ終端１０と約４５度の対角で位置合わせされているセンサヘッド２９１０を示している。図１８３〜図１９０の実施形態は、本発明の開示で説明するセンサデバイス及び温度変更デバイスのうちのいかなるものとも併用することができることを理解しなければならない。
【０３５０】
図１９１は、全体的に２９３０で示す本発明の開示の例示的実施形態によるセンサデバイスを示している。センサデバイス２９３０は、右アーム２９３２と、その自由端に位置決めされた右センサ２９３４と、左アーム２９３６と、その自由端に位置決めされた左センサ２９３８と、垂直支持アーム２９４０とを含む。垂直支持アーム２９４０は、好ましくは、硬質のものであり、その第１の端部において右アーム２９３２と左アーム２９３６とに接続するように構成される。垂直支持アーム２９４０の第２の端部は、ヘルメット２９４８によって支持されてそれに接続されたヘルメットアーム２９４６によって支持された相補的な磁石材料又は鉄材料２９４４と相互作用してそこに留まるように構成された磁石材料又は鉄材料２９４２において終端する。ヘルメット２９４８は、右センサ２９３４及び左センサ２９３８からの信号を遠隔電子デバイスに送信するために無線デバイスと、プロセッサと、電源（図示せず）とを含むように構成される。
【０３５１】
図１９２は、全体的に３０００で示す本発明の開示の例示的実施形態による更に別のセンサデバイスの図を示している。センサデバイス３０００は、図１６８及び図１６９の実施形態といくつかの点で同様であり、そのような類似の要素は、同じ要素番号を用いてラベル付けしている。センサデバイス３０００は、円柱、ロッド状、管状、又はペン形のセンサ本体３００２と、電子装置２７１４、例えば、セル電話又は専用温度計３００４とを含む。専用温度計３００４は、例えば、耳温度計、腋窩温度計、口腔温度計等として構成することができる。すなわち、専用温度計３００４は組み込み温度センサを含む。センサ本体３００２は、遠位端にあるセンサヘッド３００６と、その自由端でセンサ３００８がその上に位置決めされた前方向き面とを含む。更に、センサ本体３００２は、近位端に位置決めされて非温度計電子装置２７１４のジャック３０１４と専用温度計のジャック３０１６とに接続するように適応された電気コネクタ３０１０を含む。コネクタ３０１０は、電子装置２７１４と温度計３００４とに接続するように構成される。更に、コネクタ３０１０は、ケーブル３０１２のコネクタに接続するように構成される。センサデバイス３０００が専用温度計３００４に接続されると、センサデバイス３０００からの出力は、専用温度計３００４の組み込み温度計に優先する。別の実施形態では、専用温度計３００４上に位置決めされたスイッチを組み込み温度計からの入力又はセンサデバイス３０００からの入力を選択するように位置決めすることができる。センサデバイス３０００が専用温度計３００４に接続されると、専用温度計３００４からの出力信号は、専用温度計３００４のディスプレイ上に値として提示される。
【０３５２】
図１９３を参照すると、本発明の開示の例示的実施形態によるセンサ又は温度測定デバイスを有して構成された別の電子装置が示されており、全体的に３２２０で示されている。電子装置３２２２は、眼鏡類とすることができ、かつフレーム３２２４を含む。フレーム３２２４は、左レンズリム３２２６と、右レンズリム３２２８と、右側ヘッド３２３０と、左側ヘッド３２３２と、鼻あて３２５０と、接続部分３２３４とを含む。接続部分３２３４は、右レンズリム３２２８を左レンズリム３２２６に接続するセンサアセンブリ３２４８を含む。右側ヘッド３２３０は、バッテリ３２３６と入力ポート３２３８とを含む。左側ヘッド３２３２は、送信機３２４０と、非一時的メモリ３２４２と、プロセッサ３２４４とを含む。送信機３２４０は、外部デバイス３２５２と通信し、外部デバイス３２５２に信号を送信するように構成される。右側ヘッド３２３０は、好ましくは、フレックス回路としてのワイヤ３２４６を通して左側ヘッド３２３２と電気接続する。図１９４は、支持板３２５６と、曲げ可能接合部３２５４と、センサ３２５８とを含むセンサアセンブリ３２４８を詳細に示している。センサ３２５８は上に向き、かつ支持板３２５６の平面に対して垂直な視野を含む。あらゆる実施形態のあらゆる部分は、ある単一実施形態を生成するために組み合わせることができ、かつあらゆる実施形態のあらゆる部分は、別の実施形態に対する置換又は追加として使用することができ、取得される全ての実施形態が本発明の開示の範囲にある。
【０３５３】
図１９５及び図１９６を参照すると、本発明の開示の例示的実施形態によるセンサ又は温度測定デバイスを有して構成された別の装置が示されており、全体的に３２６０で示されている。感知装置３２６２は、それ自体を人体の一部の上で支持するために接着剤３２６４を有するように構成することができ、本体３２６６と、アーム３２６８と、ケーブル３２７０と、測定ヘッド３２７４と、読取デバイス及びディスプレイ（図示せず）に接続するように適応されたコネクタ３２７２とを含む。測定ヘッド３２７４は、センサ３２７６を含む。図１９６は、絶縁材料又は発泡材３２７８を含む測定ヘッド３２７４を詳細に示している。発泡材３２７８はまた、センサ３２７６を固定する。
【０３５４】
図１９７は、全体的に３２９２で示す図１９５の装置の代替実施形態を示している。装置３２９２は、無線デバイス３２８０と、プロセッサ３２８２と、非一時的メモリ３２８４と、電源３２８６と、ディスプレイ３２８８とを含む。無線デバイス３２８０は、セル電話、腕時計、眼鏡、タブレット、ラジオ、及びコンピュータなどのような遠隔デバイス３２９０と通信するように構成される。そのような通信は、制御信号及び／又はデータ信号の伝達を含むことができる。
【０３５５】
本発明の開示の様々な実施形態を図示して説明したが、これらの実施形態は、それに限定されないことは理解される。当業者は、これらの実施形態を変更、修正、かつ更に応用することができる。従って、これらの実施形態は、これまでに図示して説明した詳細に限定されず、むしろ全てのそのような変更及び修正を同じく含むものである。
【符号の説明】
【０３５６】
１０  ＡＢＴＴ終端
１４  前頭静脈
１８  眼窩上静脈
１６  上眼瞼静脈
２０  眼角静脈
【図１】
2018511411.tif 000003
【図２】
2018511411.tif 000004
【図３】
2018511411.tif 000005
【図４】
2018511411.tif 000006
【図５】
2018511411.tif 000007
【図６】
2018511411.tif 000008
【図７】
2018511411.tif 000009
【図８】
2018511411.tif 000010
【図９】
2018511411.tif 000011
【図１０】
2018511411.tif 000012
【図１１】
2018511411.tif 000013
【図１２】
2018511411.tif 000014
【図１３】
2018511411.tif 000015
【図１４】
2018511411.tif 000016
【図１５】
2018511411.tif 000017
【図１６Ａ】
2018511411.tif 000018
【図１６Ｂ】
2018511411.tif 000019
【図１６Ｃ】
2018511411.tif 000020
【図１６Ｄ】
2018511411.tif 000021
【図１６Ｅ】
2018511411.tif 000022
【図１６Ｆ】
2018511411.tif 000023
【図１６Ｇ】
2018511411.tif 000024
【図１６Ｈ】
2018511411.tif 000025
【図１７】
2018511411.tif 000026
【図１８】
2018511411.tif 000027
【図１９】
2018511411.tif 000028
【図２０】
2018511411.tif 000029
【図２１】
2018511411.tif 000030
【図２２】
2018511411.tif 000031
【図２３】
2018511411.tif 000032
【図２４】
2018511411.tif 000033
【図２４Ａ】
2018511411.tif 000034
【図２４Ｂ】
2018511411.tif 000035
【図２４Ｃ】
2018511411.tif 000036
【図２４Ｄ】
2018511411.tif 000037
【図２４Ｅ】
2018511411.tif 000038
【図２４Ｆ】
2018511411.tif 000039
【図２４Ｇ】
2018511411.tif 000040
【図２４Ｈ】
2018511411.tif 000041
【図２５】
2018511411.tif 000042
【図２５Ａ】
2018511411.tif 000043
【図２５Ｂ】
2018511411.tif 000044
【図２６】
2018511411.tif 000045
【図２７】
2018511411.tif 000046
【図２８】
2018511411.tif 000047
【図２９】
2018511411.tif 000048
【図３０】
2018511411.tif 000049
【図３１】
2018511411.tif 000050
【図３２】
2018511411.tif 000051
【図３３】
2018511411.tif 000052
【図３４】
2018511411.tif 000053
【図３５】
2018511411.tif 000054
【図３６】
2018511411.tif 000055
【図３７】
2018511411.tif 000056
【図３８】
2018511411.tif 000057
【図３９】
2018511411.tif 000058
【図４０】
2018511411.tif 000059
【図４１】
2018511411.tif 000060
【図４２】
2018511411.tif 000061
【図４３】
2018511411.tif 000062
【図４４】
2018511411.tif 000063
【図４５】
2018511411.tif 000064
【図４６】
2018511411.tif 000065
【図４７】
2018511411.tif 000066
【図４７Ａ】
2018511411.tif 000067
【図４７Ｂ】
2018511411.tif 000068
【図４７Ｃ】
2018511411.tif 000069
【図４７Ｄ】
2018511411.tif 000070
【図４７Ｅ】
2018511411.tif 000071
【図４８】
2018511411.tif 000072
【図４９】
2018511411.tif 000073
【図５０】
2018511411.tif 000074
【図５０Ａ】
2018511411.tif 000075
【図５０Ｂ】
2018511411.tif 000076
【図５１】
2018511411.tif 000077
【図５２】
2018511411.tif 000078
【図５３】
2018511411.tif 000079
【図５４】
2018511411.tif 000080
【図５５】
2018511411.tif 000081
【図５６】
2018511411.tif 000082
【図５７】
2018511411.tif 000083
【図５８】
2018511411.tif 000084
【図５９】
2018511411.tif 000085
【図６０】
2018511411.tif 000086
【図６１】
2018511411.tif 000087
【図６２】
2018511411.tif 000088
【図６３】
2018511411.tif 000089
【図６４】
2018511411.tif 000090
【図６５】
2018511411.tif 000091
【図６６】
2018511411.tif 000092
【図６７】
2018511411.tif 000093
【図６８】
2018511411.tif 000094
【図６９】
2018511411.tif 000095
【図７０】
2018511411.tif 000096
【図７１】
2018511411.tif 000097
【図７２】
2018511411.tif 000098
【図７３】
2018511411.tif 000099
【図７４】
2018511411.tif 000100
【図７５】
2018511411.tif 000101
【図７６】
2018511411.tif 000102
【図７７】
2018511411.tif 000103
【図７８】
2018511411.tif 000104
【図７９】
2018511411.tif 000105
【図８０】
2018511411.tif 000106
【図８１】
2018511411.tif 000107
【図８２】
2018511411.tif 000108
【図８３】
2018511411.tif 000109
【図８４】
2018511411.tif 000110
【図８５】
2018511411.tif 000111
【図８６】
2018511411.tif 000112
【図８７】
2018511411.tif 000113
【図８７Ａ】
2018511411.tif 000114
【図８７Ｂ】
2018511411.tif 000115
【図８７Ｃ】
2018511411.tif 000116
【図８７Ｄ】
2018511411.tif 000117
【図８７Ｅ】
2018511411.tif 000118
【図８７Ｆ】
2018511411.tif 000119
【図８７Ｇ】
2018511411.tif 000120
【図８７Ｈ】
2018511411.tif 000121
【図８７Ｉ】
2018511411.tif 000122
【図８７Ｊ】
2018511411.tif 000123
【図８７Ｋ】
2018511411.tif 000124
【図８７Ｌ】
2018511411.tif 000125
【図８７Ｍ】
2018511411.tif 000126
【図８７Ｎ】
2018511411.tif 000127
【図８７Ｏ】
2018511411.tif 000128
【図８７Ｐ】
2018511411.tif 000129
【図８７Ｑ】
2018511411.tif 000130
【図８８】
2018511411.tif 000131
【図８９】
2018511411.tif 000132
【図９０】
2018511411.tif 000133
【図９１】
2018511411.tif 000134
【図９２】
2018511411.tif 000135
【図９３】
2018511411.tif 000136
【図９４】
2018511411.tif 000137
【図９５】
2018511411.tif 000138
【図９６】
2018511411.tif 000139
【図９７】
2018511411.tif 000140
【図９８】
2018511411.tif 000141
【図９９】
2018511411.tif 000142
【図１００】
2018511411.tif 000143
【図１０１】
2018511411.tif 000144
【図１０２】
2018511411.tif 000145
【図１０３】
2018511411.tif 000146
【図１０４】
2018511411.tif 000147
【図１０５】
2018511411.tif 000148
【図１０６】
2018511411.tif 000149
【図１０７】
2018511411.tif 000150
【図１０８】
2018511411.tif 000151
【図１０９】
2018511411.tif 000152
【図１１０】
2018511411.tif 000153
【図１１１】
2018511411.tif 000154
2018511411.tif 000155
【図１１３】
2018511411.tif 000156
【図１１４】
2018511411.tif 000157
【図１１５】
2018511411.tif 000158
【図１１６】
2018511411.tif 000159
【図１１７】
2018511411.tif 000160
【図１１８】
2018511411.tif 000161
【図１１９】
2018511411.tif 000162
【図１２０】
2018511411.tif 000163
【図１２１】
2018511411.tif 000164
【図１２２】
2018511411.tif 000165
【図１２３】
2018511411.tif 000166
【図１２４】
2018511411.tif 000167
【図１２５】
2018511411.tif 000168
【図１２６】
2018511411.tif 000169
【図１２７】
2018511411.tif 000170
【図１２８】
2018511411.tif 000171
【図１２９】
2018511411.tif 000172
【図１３０】
2018511411.tif 000173
【図１３１】
2018511411.tif 000174
【図１３２】
2018511411.tif 000175
【図１３３】
2018511411.tif 000176
【図１３４】
2018511411.tif 000177
【図１３５】
2018511411.tif 000178
【図１３６】
2018511411.tif 000179
【図１３７】
2018511411.tif 000180
【図１３８】
2018511411.tif 000181
【図１３９】
2018511411.tif 000182
【図１４０】
2018511411.tif 000183
【図１４１】
2018511411.tif 000184
【図１４２】
2018511411.tif 000185
【図１４３】
2018511411.tif 000186
【図１４４】
2018511411.tif 000187
【図１４５】
2018511411.tif 000188
【図１４６】
2018511411.tif 000189
【図１４７】
2018511411.tif 000190
【図１４８】
2018511411.tif 000191
【図１４９】
2018511411.tif 000192
【図１５０】
2018511411.tif 000193
【図１５１】
2018511411.tif 000194
【図１５２】
2018511411.tif 000195
【図１５３】
2018511411.tif 000196
【図１５４】
2018511411.tif 000197
【図１５５】
2018511411.tif 000198
【図１５６】
2018511411.tif 000199
【図１５７】
2018511411.tif 000200
【図１５８】
2018511411.tif 000201
【図１５９】
2018511411.tif 000202
【図１６０】
2018511411.tif 000203
【図１６１】
2018511411.tif 000204
【図１６２】
2018511411.tif 000205
【図１６３】
2018511411.tif 000206
【図１６４】
2018511411.tif 000207
【図１６５】
2018511411.tif 000208
【図１６６】
2018511411.tif 000209
【図１６７】
2018511411.tif 000210
【図１６８】
2018511411.tif 000211
【図１６９】
2018511411.tif 000212
【図１７０】
2018511411.tif 000213
【図１７１】
2018511411.tif 000214
【図１７２】
2018511411.tif 000215
【図１７３】
2018511411.tif 000216
【図１７４】
2018511411.tif 000217
【図１７５】
2018511411.tif 000218
【図１７６】
2018511411.tif 000219
【図１７７】
2018511411.tif 000220
【図１７８】
2018511411.tif 000221
【図１７９】
2018511411.tif 000222
【図１８０】
2018511411.tif 000223
【図１８１】
2018511411.tif 000224
【図１８２】
2018511411.tif 000225
【図１８３】
2018511411.tif 000226
【図１８４】
2018511411.tif 000227
【図１８５】
2018511411.tif 000228
【図１８６】
2018511411.tif 000229
【図１８７】
2018511411.tif 000230
【図１８８】
2018511411.tif 000231
【図１８９】
2018511411.tif 000232
【図１９０】
2018511411.tif 000233
【図１９１】
2018511411.tif 000234
【図１９２】
2018511411.tif 000235
【図１９３】
2018511411.tif 000236
【図１９４】
2018511411.tif 000237
【図１９５】
2018511411.tif 000238
【図１９６】
2018511411.tif 000239
【図１９７】
2018511411.tif 000240
【国際調査報告】
2018511411.tif 000241
2018511411.tif 000242
2018511411.tif 000243